(57)【特許請求の範囲】
【請求項１】
電力系統を監視制御する監視制御装置を備える監視制御システムであって、
前記監視制御システムは、
前記監視制御装置と接続されるとともに、変電所及び前記監視制御装置とは異なる場所に設けられ、前記変電所に設けられた複数の変電所機器からの情報を用いて各種処理を行う外部システム、を備え、
前記監視制御装置は、
前記電力系統における設備の予定停止及び前記電力系統の変更を含む操作を指令する手順表を作成する作成部と、
前記作成部で作成された前記手順表に基づいて前記操作を実行する制御部と、を有し、
前記外部システムは、前記複数の変電所機器からの情報を、前記監視制御装置を介さずに取得可能である監視制御システム。
【請求項２】
前記設備の操作手順と件名とを対応つけて記憶するデータベースを備え、
前記作成部は、前記データベースに記憶された操作対象の件名に対応する操作手順に基づいて前記手順表を作成する請求項１に記載の監視制御システム。
【請求項３】
前記監視制御装置は、前記電力系統における設備の充停電状態を監視し、監視対象の設備の充停電状態を管理するための第１情報と、停電状態の監視対象の設備の情報を管理するための第２情報とを給電所の端末に送信する情報送信部を有する請求項１または請求項２に記載の監視制御システム。
【請求項４】
前記制御部は、前記電力系統における設備に対する制御権を取得していることを条件に、該設備の制御を実行する請求項１から請求項３のいずれか１項に記載の監視制御システム。
【請求項５】
前記監視制御装置は、前記電力系統における停電を含む事故に関する情報を作成し、作成した事故に関する情報を給電所を含む関連個所に送信する事故情報送信部を有する請求項１から請求項４のいずれか１項に記載の監視制御システム。
【請求項６】
前記監視制御装置は、前記電力系統における停電情報を作成し、作成した停電情報をＷｅｂ上に掲載する停電情報掲載部を有する請求項１から請求項５のいずれか１項に記載の監視制御システム。
【発明の詳細な説明】
【技術分野】
【０００１】
本発明は、電力系統を監視制御する監視制御システムに関する。
【背景技術】
【０００２】
電力系統は、発電所で発電された電力が一次送電線に供給され、一次送電線で送電された電力が送電用変電所で降圧されて二次送電線に供給され、さらに配電用変電所で降圧されて配電線に供給される。このような電力系統を監視制御するシステムとして監視制御システムが知られている。例えば、下記特許文献１には、電力系統の中の送電系統（送電用変電所の開閉設備など）を監視制御する系統制御システムと、電力系統の中の配電系統（配電用変電所や配電線の開閉設備などを監視制御する配電制御システムと、電力系統（送電系統、配電系統）における変電所の設備機器の状態を監視し保守業務を支援する設備状態監視システムとを備えた監視制御システムが記載されている。
【０００３】
この監視制御システムにおいて、系統制御システム、配電制御システム、及び設備状態監視システムは、それぞれ、直接制御通信回線で接続されている。また、複数の変電所（送電用変電所、配電用変電所）において既に設置されている設備（変電所機器等）は、遠方監視制御装置（ＴＣ：テレコントロールユニット）及び信号変換装置を介して直接制御通信回線に接続されている。また、複数の変電所において新しく設置される設備は、伝送装置を介して直接制御通信回線に接続されている。
【先行技術文献】
【特許文献】
【０００４】
【特許文献１】特開２００９−６５７７８号公報
【発明の概要】
【発明が解決しようとする課題】
【０００５】
上記特許文献１における監視制御システムにおいて、系統制御システムが電力系統（例えば送電系統）における設備の予定停止や電力系統の変更などの操作を手順表に基づいて実行する。しかし、手順表の作成時に、予定停止などの操作に対応していない誤った手順表が作成されてしまうと、誤った操作が実行されてしまうこととなり、事故等の原因となる。
【０００６】
本発明は、前述した事情に鑑みてなされたものであり、手順表をミスなく作成することができる監視制御システムを提供することを目的とする。
【課題を解決するための手段】
【０００７】
電力系統を監視制御する監視制御装置を備える監視制御システムであって、監視制御システムは、監視制御装置と接続されるとともに、変電所及び監視制御装置とは異なる場所に設けられ、変電所に設けられた複数の変電所機器からの情報を用いて各種処理を行う外部システム、を備え、監視制御装置は、電力系統における設備の予定停止及び電力系統の変更を含む操作を指令する手順表を作成する作成部と、作成部で作成された手順表に基づいて操作を実行する制御部と、を有し、外部システムは、複数の変電所機器からの情報を、監視制御装置を介さずに取得可能である。
本発明は、電力系統を監視制御する監視制御装置を備える監視制御システムであって、監視制御装置は、電力系統における設備の予定停止及び電力系統の変更を含む操作を指令する手順表を作成する作成部と、作成部で作成された手順表に基づいて操作を実行する制御部と、を有する監視制御システムを提供する。
【０００８】
また、設備の操作手順と件名とを対応つけて記憶するデータベースを備え、作成部は、データベースに記憶された操作対象の件名に対応する操作手順に基づいて手順表を作成する構成でもよい。また、監視制御装置は、電力系統における設備の充停電状態を監視し、監視対象の設備の充停電状態を管理するための第１情報と、停電状態の監視対象の設備の情報を管理するための第２情報とを給電所の端末に送信する情報送信部を有する構成でもよい。
【０００９】
また、制御部は、電力系統における設備に対する制御権を取得していることを条件に、該設備の制御を実行する構成でもよい。また、監視制御装置は、電力系統における停電を含む事故に関する情報を作成し、作成した事故に関する情報を給電所を含む関連個所に送信する事故情報送信部を有する構成でもよい。また、監視制御装置は、電力系統における停電情報を作成し、作成した停電情報をＷｅｂ上に掲載する停電情報掲載部を有する構成でもよい。
【発明の効果】
【００１０】
本発明では、電力系統における設備の予定停止及び電力系統の変更を含む操作を指令する手順表を作成する作成部と、作成部で作成された手順表に基づいて操作を実行する制御部と、を有するので、操作を指令する手順表をミスなく作成し、作成した手順表に基づいて操作を実行することができる。
【図面の簡単な説明】
【００１１】
【図１】本発明の第１実施形態に係る監視制御システムの構成を示すシステム構成図である。
【図２】図１に示すデータセンターの配置を示す図である。
【図３】図１に示すＧＷ及びＦＧＷの第１接続例を示すブロック図である。
【図４】図１に示すＧＷ及びＦＧＷの第２接続例を示すブロック図である。
【図５】本発明の第１実施形態に係る監視制御システムのアプリケーション構成を示す図である。
【図６】系統監視制御のアプリケーションを示す図である。
【図７】配電監視制御のアプリケーションを示す図である。
【図８】統合ネットワーク設備管理のアプリケーションを示す図である。
【図９】データフォーマット構成の一例を示す図である。
【図１０】システム側と変電所側との間の情報の伝送制御手順を示すシーケンス図である。
【図１１】ＧＷ及びＴＣが実行する処理を示すフローチャートである。
【図１２】ＦＧＷが実行する処理を示すフローチャートである。
【図１３】本発明の第１実施形態に係る監視制御システムのネットワーク構成を示す図である。
【図１４】給電所及び監視制御装置の系統監視制御サブシステムの構成を示すブロック図である。
【図１５】変電所における変圧器の一例を示す図である。
【図１６】図１５に示す変圧器における操作指令手順表及び機器個別操作手順表の例を示す図である。
【図１７】本発明の第２実施形態に係る監視制御システムの構成を示すシステム構成図である。
【図１８】本発明の第３実施形態に係る監視制御システムの構成を示すブロック図である。
【図１９】本発明の第３実施形態に係る監視制御システムの構成を示すブロック図である。
【発明を実施するための形態】
【００１２】
以下、本発明の実施形態について図面を参照して説明する。ただし、本発明はこれに限定されるものではない。また、図面においては実施形態を説明するため、一部分を大きく又は強調して記載するなど適宜縮尺を変更して表現する場合がある。
【００１３】
＜第１実施形態＞
図１は、本発明の第１実施形態に係る監視制御システムＳＹＳ−Ａの構成を示すシステム構成図である。図１に示す監視制御システムＳＹＳ−Ａは、電力系統を監視し制御するシステムである。図１に示すように、監視制御システムＳＹＳ−Ａは、監視制御装置１０、フロントエンドプロセッサ１５ａ，１５ｂ（以下、ＦＥＰという。）、ゲートウェイ３１，４１，５１（以下、ＧＷという。）、ＴＣ６１，７１（ＴＣ：テレコントロールユニット、遠方監視制御装置）、フィールドゲートウェイ６２，７２（以下、ＦＧＷという。）、中継機器５５、電力ネットワークモデルデータベース９１（以下、電力ＮＷモデルＤＢという。）、手順・件名データベース９２（以下、手順・件名ＤＢという。）、データウェアハウス９３、ＤＸ連携９４、及び外部システム１００を備えている。なお、監視制御システムＳＹＳ−Ａは、変電所等における制御対象設備である複数の変電所機器６３，６４，７３，７４や、配電機器８１、配電塔設備８２、ＩＴ開閉器８３、回線選択８４（２２ｋＶ回線選択）を含む構成であると定義してもよい。
【００１４】
電力系統は、データセンター１で監視制御される。図２は、図１に示すデータセンター１の配置を示す図である。図２に示す例では、データセンター１として３つのデータセンター１Ａ，１Ｂ，１Ｃが３箇所に設けられている。なお、図１にはデータセンター１Ａだけを示している。データセンター１Ａは、通常時に電力系統を監視制御するメインのデータセンターである。第１サブデータセンター１Ｂ及び第２サブデータセンター１Ｃは、データセンター１Ａの監視制御装置１０において故障などの異常が発生したときに電力系統の監視制御を継続して実行するためのバックアップ用の緊急時データセンターである。３つのデータセンター１Ａ，１Ｂ，１Ｃは、それぞれ、異なる場所（地理的に離れた場所）に設けられる（後述する図１３のサーバ拠点３００，３１０，３２０を参照）。本実施形態では、３つのデータセンター１Ａ，１Ｂ，１Ｃをデータセンター１と総称することがある。
【００１５】
監視制御装置１０、リアルタイムサービスバス１４、ＦＥＰ１５ａ，１５ｂ、オペレーションサービスバス１１０、及びシステム運用サービスバス１１１は、データセンター１Ａ，１Ｂ，１Ｃにそれぞれ設置される。すなわち、いずれのデータセンター１Ａ，１Ｂ，１Ｃにも同じ構成の監視制御装置、リアルタイムサービスバス、ＦＥＰ、オペレーションサービスバス、及びシステム運用サービスバスが設けられる。本実施形態では、電力ＮＷモデルＤＢ９１、手順・件名ＤＢ９２、データウェアハウス９３、ＤＸ連携９４、及び外部システム１００は、データセンター１Ａにだけ設けられている。
【００１６】
データセンター１Ａの監視制御装置１０に異常が発生した場合、第１サブデータセンター１Ｂがメインのデータセンターとなり、第１サブデータセンター１Ｂの監視制御装置が電力系統を監視制御する。また、データセンター１Ａ及び第１サブデータセンター１Ｂの監視制御装置に異常が発生した場合、第２サブデータセンター１Ｃがメインのデータセンターとなり、第２サブデータセンター１Ｃの監視制御装置が電力系統を監視制御する。本実施形態では、２つのサブデータセンター１Ｂ，１Ｃを設けているので、第１サブデータセンター１Ｂの監視制御装置等のテストを行っているときに第２サブデータセンター１Ｃの監視制御装置等でデータセンター１Ａの監視制御装置１０のバックアップを行うことができる。同様に、第２サブデータセンター１Ｃの監視制御装置等のテストを行っているときに第１サブデータセンター１Ｂの監視制御装置等でデータセンター１Ａの監視制御装置１０のバックアップを行うことができる。また、本実施形態では、監視制御装置から変電所や配電設備の機器への情報は、メインのデータセンターの監視制御装置から送られ、変電所や配電設備の機器から監視制御装置への情報は、すべてのデータセンター（メイン及びサブのデータセンター）の監視制御装置に送られる。
【００１７】
監視制御装置１０は、電力系統を監視制御するための装置である。図１に示すように、監視制御装置１０は、リアルタイムサービスバス１４、オペレーションサービスバス１１０、及びシステム運用サービスバス１１１と接続されている。また、図１に示すように、監視制御装置１０は、系統監視制御サブシステム１１、及び配電監視制御サブシステム１２、統合ネットワーク設備管理サブシステム１３（以下、統合ＮＷ設備管理サブシステムという。）で構成されている。現行の監視制御システムは、各々異なる場所に設置された、系統制御、配電制御及び設備状態監視等の複数のシステムの集合体であるが、本実施形態の監視制御システムＳＹＳ−Ａでは、各サブシステム１１，１２，１３が統合されたシステムとして動作する。
【００１８】
系統監視制御サブシステム１１、配電監視制御サブシステム１２及び統合ＮＷ設備管理サブシステム１３は、電力系統の監視制御を実行するために目的別に構成されたサブシステムである。系統監視制御サブシステム１１、配電監視制御サブシステム１２及び統合ＮＷ設備管理サブシステム１３は、１台又は複数台のサーバで構成されている。また、図１には示していないが、系統監視制御サブシステム１１、配電監視制御サブシステム１２及び統合ＮＷ設備管理サブシステム１３は、それぞれ、情報を管理するデータベースを備えている。なお、各サブシステム１１，１２，１３共通のデータベースを設けてもよい。
【００１９】
系統監視制御サブシステム１１は、電力系統の中の送電系統（例えば６万６千Ｖ以上の系統）における送電用変電所６０の変電所機器６３，６４（例えば、変圧器、遮断器、保護リレー）などを監視し制御するサブシステムである。この系統監視制御サブシステム１１は、監視制御機能（Supervisory Control And Data Acquisition：ＳＣＡＤＡ）、エネルギー管理システム機能（Energy Management System :ＥＭＳ）、その他の機能、及び電力ネットワークモデル（電力ＮＷモデル）管理機能を備えた統合的な監視制御システムとして構成される。これらの機能は、それぞれ、例えば以下に示す機能を備える。
【００２０】
（ア）ＳＣＡＤＡとして備える機能；
系統監視制御サブシステム１１は、ＳＣＡＤＡとして、「データ送受信」、「コミュニケーション装置（ＧＷ３１に相当する装置）からのデータ取得」、「設定に応じた情報の自動取得と取得情報に基づいた自動制御」、「遠隔エラー検知」、「時刻同期」、「コントロールセンター（シンクライアント）からのアクセス」、「各種データ処理（アナログ／デジタルデータ、計算済みデータ、トポロジー、マニュアルデータ、外部からの登録データ等）」、「複数イベントのシーケンス管理」、「各種装置類の監視制御（アイソレーター、アーススイッチ、ブレーカー、ボルトアンペア無効電力（ＶＡＲ）コントロール、タップチェンジコントロール、セットポイントコントロール等）」、「各種監視情報の蓄積及び復旧（回路ブレーカー状態、リアルタイムスナップショット、定期的なスナップショット、イベントデータ、障害情報、履歴、メッセージログ等）」などの機能を備える。
【００２１】
（イ）ＥＭＳとして備える機能；
系統監視制御サブシステム１１は、ＥＭＳとして、「状態評価（電圧等のリアルタイム測定とそれに基づいた状態予測・評価。オペレーターの指示に基づいた各種状態の評価。）」、「経路計算」、「コンティンジェンシー分析（様々な仮定条件を基に最も安定した運用プランを導出するための機能。計画停電等に用いる。）」、「電圧を安定させるための分析」、「短絡計算」、「電力最適化とセキュリティ分析、コンティンジェンシーディスパッチ（潮流・電圧等の様々な測定値を基に、最適化目標を実現するための案を提示する 。また最適化するにあたっての制約条件（コンティンジェンシー）を分析する。制約条件を回避するための最も効果的な改善策を決定する。）」、「電圧スケジューラー（系統制御のロス（無効電力）を最小化するための最適なデバイス設定を支援する。）」などの機能を備える。
【００２２】
（ウ）その他の機能；
系統監視制御サブシステム１１は、その他の機能として、「スイッチ分析」、「スイッチシーケンス指示管理」、「障害箇所検知及びサービス復旧」、「計画停電管理」、「計画外停電管理」、「予測機能（機能短期、中期、長期）」、「各種分析、レポーティング（法定帳票、パフォーマンスや品質分析のためのレポート等）」などの機能を備える。
【００２３】
（エ）電力ネットワークモデル（ＣＩＭモデル）管理機能；
系統監視制御サブシステム１１は、電力ネットワークモデル（ＣＩＭモデル）管理機能として、「系統監視制御モデル管理」の機能を備える。
【００２４】
配電監視制御サブシステム１２は、電力系統の中の配電系統（例えば２万２千Ｖや６千Ｖの系統）における配電用変電所７０の変電所機器７３，７４（例えば、変圧器、遮断器、保護リレー）や配電線の開閉設備などを監視し制御するシステムである。この配電監視制御サブシステム１２は、監視制御機能（ＳＣＡＤＡ）、配電管理システム機能（Distribution Management System：ＤＭＳ）、その他の機能、及び電力ネットワークモデル（ＣＩＭモデル）管理機能を備えた統合的な監視制御システムとして構成される。これらの機能は、それぞれ、例えば以下に示す機能を備える。
【００２５】
（ア）ＳＣＡＤＡとして備える機能；
配電監視制御サブシステム１２は、ＳＣＡＤＡとして、「データ送受信」、「コミュニケーション装置（ゲートウェイ４１に相当する装置）からのデータ取得」、「設定に応じた情報の自動取得と取得情報に基づいた自動制御」、「遠隔エラー検知」、「時刻同期」、「コントロールセンター（シンクライアント）からのアクセス」、「各種データ処理（アナログ／デジタルデータ、計算済みデータ、トポロジー、マニュアルデータ、外部からの登録データ等）」、「複数イベントのシーケンス管理」、「各種装置類の監視制御（アイソレーター、アーススイッチ、ブレーカー、ボルトアンペア無効電力（ＶＡＲ）コントロール、タップチェンジコントロール、セットポイントコントロール等）」、「各種監視情報の蓄積及び復旧（回路ブレーカー状態、リアルタイムスナップショット、定期的なスナップショット、イベントデータ、障害情報、履歴、メッセージログ等）」などの機能を備える。
【００２６】
（イ）ＤＭＳとして備える機能；
配電監視制御サブシステム１２は、ＤＭＳとして、「障害箇所検知及びサービス復旧」、「スイッチ分析」、「スイッチシークエンス指示管理」、「ボルトアンペア無効電力（VAR）最適化」、「アンバランスロードフロー」、「短絡分析機能」、「電力最適化（潮流・電圧等の様々な測定値を基に、最適化目標を実現するための案を提示する 。）」、「電圧スケジューラー（配電制御のロス（無効電力）を最小化するための最適なデバイス設定を支援する。）」などの機能を備える。
【００２７】
（ウ）その他の機能；
配電監視制御サブシステム１２は、その他の機能として、「計画停電管理機能」、「計画外停電管理機能」などの機能を備える。
【００２８】
（エ）電力ネットワークモデル（ＣＩＭモデル）管理機能；
配電監視制御サブシステム１２は、電力ネットワークモデル（ＣＩＭモデル）管理機能として、「配電監視制御モデル管理」の機能を備える。
【００２９】
統合ＮＷ設備管理サブシステム１３は、送配電系統（送電系統、配電系統）の変電所設備（変電所機器６３，６４，７３，７４）の状態を監視し、保守業務を支援するシステムである。この統合ＮＷ設備管理サブシステム１３は、系統監視制御・配電監視制御の両方にまたがる設備機器、ＩＴ機器の構成を定義し、電力ネットワークモデル管理機能を備えたサブシステムとして構成される。
【００３０】
監視制御システムＳＹＳ−Ａの電力ネットワークモデルを統合ＮＷ設備管理サブシステム１３で一元管理することで、「電力ネットワークモデルの一貫性の保持」、「電力ネットワークモデル管理のワークフロー化による手作業の軽減」、「電力ネットワークモデル変更の際の分析スピードの向上」、「ＣＩＭベースで電力ネットワークモデルを一元化することにより、将来的な外部システム１００の連携コストを低減」、「電力ネットワークモデル分析能力の向上」という効果を得ることができる。統合ＮＷ設備管理サブシステム１３における「電力ネットワークモデル管理機能」は、それぞれ、例えば以下に示す機能を備える。
【００３１】
（ア）電力ネットワークモデル（ＣＩＭモデル）管理機能；
統合ＮＷ設備管理サブシステム１３は、電力ネットワークモデル（ＣＩＭモデル）管理機能として、「ＣＩＭモデル構築に必要な既存データの収集機能」、「ＣＩＭモデル管理機能（編集・検証・更新機能、モデルの状態管理機能、リポジトリ機能、サブシステムで派生するＣＩＭモデルの管理、履歴管理機能（セキュリティ機能））」、「系統監視制御サブシステム１１及び配電監視制御サブシステム１２及び外部システム１００とのＣＩＭモデル連携機能（モデルインポート・エクスポート時のバリデーションチェック、フォーマット（様式）管理、ワークフロー、モデルの整合性管理）」、「各種分析に必要なデータの提供機能」などの機能を備える。
【００３２】
系統監視制御サブシステム１１、配電監視制御サブシステム１２及び統合ＮＷ設備管理サブシステム１３は、それぞれ、情報を伝送するリアルタイムサービスバス１４に接続されている。ＦＥＰ１５ａ，１５ｂは、データセンター１内に配置され、リアルタイムサービスバス１４及びＷＡＮ２０（Wide Area Network；広域通信網）に接続されている。ＦＥＰ１５ａ，１５ｂは、各サブシステム１１，１２，１３とコミュニケーション装置（ＧＷ３１，４１）との間における情報の集約及び送受信を行う。なお、ＦＥＰ１５ａ、１５ｂは、上述した各種プロトコルに対応できること、ハードウェアはメンテナンス性を向上させるためにコンポーネント化されていること、信頼性を担保するために構成部品が冗長化されていること、監視制御システムＳＹＳ−Ａの各種セキュリティ基準に基づいたセキュリティ対策機能を備えていること、時刻同期機能があること、などが要求される。
【００３３】
データセンター１内（各サブシステム１１，１２，１３のサーバ間）は、国際標準に準拠した通信プロトコル（規約、データフォーマット）であるＩＣＣＰ（The Inter-Control Center Communications Protocol（ＩＣＣＰ又はＩＥＣ６０８７０−６／ＴＡＳＥ．２という。））及びＩＥＣ６０８７０−５−１０４、ＩＥＣ６１８５０、ＩＥＣ６１９７０、ＩＥＣ６１９６８、ＩＥＣ６２３５１に従って情報の通信が行われる。具体的には、ＦＥＰ１５ａとＦＥＰ１５ｂ間はＩＣＣＰに従って情報の通信が行われ、リアルタイムサービスバス１４ではＩＥＣ６０８７０−５−１０４、ＩＥＣ６１８５０、ＩＥＣ６１９７０、ＩＥＣ６１９６８、ＩＥＣ６２３５１に従って情報の通信が行われる。
【００３４】
ＧＷ３１，４１は制御所３０，４０単位に設置される。図１に示す例では、制御所３０にＧＷ３１が設置され、制御所４０にＧＷ４１が設置されている。ＧＷ３１，４１は、それぞれ、ＷＡＮ２０に接続される。また、ＧＷ３１，４１は、変電所６０，７０に設置されているＴＣ６１，７１だけ接続され（図３に示す第１接続例を参照）、又は、ＴＣ６１，７１及びＦＧＷ６２，７２の両方が接続される（図４に示す第２接続例を参照）。すなわち、ＦＧＷ６２，７２が直接ＦＥＰ１５ａ，１５ｂに接続されてもよく、ＦＧＷ６２，７２がＧＷ３１，４１を経由してＦＥＰ１５ａ，１５ｂに接続されてもよい。
【００３５】
図３は、図１に示すＧＷ３１，４１及びＦＧＷ６２，７２の第１接続例を示すブロック図である。図３に示す第１接続例では、制御所３０，４０に設置されたＧＷ３１，４１は、それぞれ、国際標準に準拠した通信プロトコルであるＩＥＣ６０８７０−５−１０４やＩＥＣ６１８５０の通信回線１５０でＷＡＮ２０に接続されている。また、ＧＷ３１，４１は、それぞれ、国際標準に準拠していない通信プロトコルであるＨＤＬＣ（High Level Data Link Control）やＣＤＴ（Cyclic Data Transfer）の通信回線１６０でＴＣ６１，７１に接続されている。また、ＦＧＷ６２，７２は、それぞれ、国際標準に準拠した通信プロトコルであるＩＥＣ６０８７０−５−１０４やＩＥＣ６１８５０の通信回線１７０でＷＡＮ２０に接続されている。
【００３６】
図４は、図１に示すＧＷ３１，４１及びＦＧＷ６２，７２の第２接続例を示すブロック図である。図４に示す第２接続例では、制御所３０，４０に設置されたＧＷ３１，４１は、それぞれ、国際標準に準拠した通信プロトコルであるＩＥＣ６０８７０−５−１０４やＩＥＣ６１８５０の通信回線１５０でＷＡＮ２０に接続されている。また、ＧＷ３１，４１は、それぞれ、国際標準に準拠していない通信プロトコルであるＨＤＬＣやＣＤＴの通信回線１６０でＴＣ６１，７１に接続されている。また、ＦＧＷ６２，７２は、それぞれ、国際標準に準拠した通信プロトコルであるＩＥＣ６１８５０の通信回線１８０でＧＷ３１，４１に接続されている。
【００３７】
図１の説明に戻り、ＧＷ３１，４１は、ＴＣ６１，７１（又は／及びＦＧＷ６２，７２）から送信される各種情報を受信し、受信した情報のプロトコル変換を行った上で監視制御装置１０側に送信する。また、ＧＷ３１，４１は、監視制御装置１０側から送信された情報を受信し、受信した情報のプロトコル変換を行った上でＴＣ６１，７１（又は／及びＦＧＷ６２，７２）に送信する。なお、図１では、２つの制御所３０，４０だけを示しているが、実際には複数個所の制御所（例えば５０箇所程度の制御所）が設けられ、各制御所にＧＷが設置される。
【００３８】
送電用変電所６０には、ＴＣ６１、ＦＧＷ６２及び変電所機器６３，６４が設けられている。送電用変電所６０は例えば１２００箇所ほど設けられている。ＴＣ６１は、図３に示す通信回線１６０で制御所３０のＧＷ３１と接続され、配線で変電所機器６３と接続されている。図３及び図４に示すように、変電所機器６３は複数の機器（図３及び図４に示す変電所機器６３−１〜６３−ｎ）がＴＣ６１に接続されている。ＴＣ６１は、変電所機器６３からの情報を収集し、収集した情報を通信回線１６０で伝送可能な情報（ＨＤＬＣやＣＤＴの情報）に変換してＧＷ３１に送信する。また、ＴＣ６１は、ＧＷ３１からの通信回線１６０で伝送可能な情報（ＨＤＬＣやＣＤＴの情報）を変電所機器６３に対応した情報に変換して変電所機器６３に送信する。
【００３９】
ＦＧＷ６２は、図３に示す第１接続例では通信回線１７０でＷＡＮ２０（つまりＦＥＰ１５ａ，１５ｂのいずれか）と接続され、又は図４に示す第２接続例では通信回線１８０で制御所３０のＧＷ３１に接続されている。また、ＦＧＷ６２は、配線で変電所機器６４と接続されている。図３及び図４に示すように、変電所機器６４は複数の機器（図３及び図４に示す変電所機器６４−１〜６４−ｎ）がＦＧＷ６２に接続されている。ＦＧＷ６２は、変電所機器６４からの情報を収集し、収集した情報を通信回線１７０又は１８０で伝送可能な情報（ＩＥＣ６１８５０の情報）に変換してＷＡＮ２０又はＧＷ３１に送信する。また、ＦＧＷ６２は、ＧＷ３１からの通信回線１７０又は１８０で伝送可能な情報（ＩＥＣ６１８５０の情報）を変電所機器６４に対応した情報に変換して変電所機器６４に送信する。なお、ＦＧＷ６２は、変電所機器６４との間で通信プロトコル（ＩＥＣ６１８５０）の情報を送受信する場合は、ＷＡＮ２０又はＧＷ３１との間の情報の送受信に際して情報の変換を行う必要はない。ＦＧＷ６２は、ＳＡＳ（Substation Automation System）やＲＴＵ（Remote Terminal Units）で構成される。
【００４０】
変電所機器６３，６４は、変電所６０の構内に設けられた機器（設備）であって、変圧器や遮断器、保護リレーなどの機器を含む。変電所機器６３，６４の情報としては、変圧器や遮断器のオン・オフ情報などがある。
【００４１】
配電用変電所７０においても、送電用変電所６０と同様に、ＴＣ７１、ＦＧＷ７２及び変電所機器７３，７４が設けられている。配電用変電所７０は例えば１５００箇所ほど設けられている。ＴＣ７１は、図３に示す通信回線１６０で制御所３０のＧＷ３１と接続され、配線で変電所機器７３と接続されている。図３及び図４に示すように、変電所機器７３は複数の機器（図３及び図４に示す変電所機器７３−１〜７３−ｎ）がＴＣ７１に接続されている。ＴＣ７１は、変電所機器７３からの情報を収集し、収集した情報を通信回線１６０で伝送可能な情報（ＨＤＬＣやＣＤＴの情報）に変換してＧＷ３１に送信する。また、ＴＣ７１は、ＧＷ３１からの通信回線１６０で伝送可能な情報（ＨＤＬＣやＣＤＴの情報）を変電所機器７３に対応した情報に変換して変電所機器７３に送信する。
【００４２】
ＦＧＷ７２は、図３に示す第１接続例では通信回線１７０でＷＡＮ２０（つまりＦＥＰ１５ａ，１５ｂのいずれか）と接続され、又は図４に示す第２接続例では通信回線１８０で制御所３０のＧＷ３１に接続されている。また、ＦＧＷ７２は、配線で変電所機器７４と接続されている。図３及び図４に示すように、変電所機器７４は複数の機器（図３及び図４に示す変電所機器７４−１〜７４−ｎ）がＦＧＷ７２に接続されている。ＦＧＷ７２は、変電所機器７４からの情報を収集し、収集した情報を通信回線１７０又は１８０で伝送可能な情報（ＩＥＣ６１８５０の情報）に変換してＷＡＮ２０又はＧＷ３１に送信する。また、ＦＧＷ７２は、ＧＷ３１からの通信回線１７０又は１８０で伝送可能な情報（ＩＥＣ６１８５０の情報）を変電所機器７４に対応した情報に変換して変電所機器７４に送信する。なお、ＦＧＷ７２は、変電所機器７４との間で通信プロトコル（ＩＥＣ６１８５０）の情報を送受信する場合は、ＷＡＮ２０又はＧＷ３１との間の情報の送受信に際して情報の変換を行う必要はない。ＦＧＷ７２は、ＳＡＳ（Substation Automation System）やＲＴＵ（Remote Terminal Units）で構成される。
【００４３】
変電所機器７３，７４も、変電所７０の構内に設けられた機器（設備）であって、変圧器や遮断器、保護リレーなどの機器を含む。変電所機器７３，７４の情報としては、変圧器や遮断器のオン・オフ情報などがある。
【００４４】
本実施形態では、ＧＷ３１，４１、ＴＣ６１，７１、及びＦＧＷ６２，７２は「中継装置」を構成する。図３に示す第１接続例の場合は、ＧＷ３１，４１及びＴＣ６１，７１が「第１中継部」を構成し、ＦＧＷ６２，７２が「第２中継部」を構成する。また、ＦＧＷ６２，７２が「ゲートウェイ」を構成する。図４に示す第２接続例の場合は、ＧＷ３１，４１及びＴＣ６１，７１が「第１中継部」を構成し、ＧＷ３１，４１及びＦＧＷ６２，７２が「第２中継部」を構成する。すなわち、ＧＷ３１，４１は、「第１中継部」と「第２中継部」で兼用される。また、ＧＷ３１，４１が第２中継部における「第１ゲートウェイ」を構成し、ＦＧＷ６２，７２が第２中継部における「第２ゲートウェイ」を構成する。
【００４５】
なお、図１には示していないが、変電所機器（例えば、配電用変電所７０のＴＣ７１以外に接続される機器、屋外分散変電所の機器）は、ＴＣやＦＧＷではなく、インターフェイスを介してＧＷ３１，４１に接続されるものもある。この場合、インターフェイスは、変電所機器からの屋外分散方式の通信プロトコルの情報を通信回線（ＬＡＮ：Local Area Network）でＧＷ３１，４１に送信する。そして、ＧＷ３１，４１は、インターフェイスからの情報についてプロトコル変換を行い、プロトコル変換後の情報をＷＡＮ２０を介してＦＥＰ１５ａ，１５ｂのいずれかに送信する。なお、インターフェイスは、通信回線でＷＡＮ２０と直接接続されてもよい。この場合、インターフェイスは、変電所機器からの屋外分散方式の通信プロトコルの情報をＷＡＮ２０（ＦＥＰ１５ａ，１５ｂのずれか）に送信する。ＦＥＰ１５ａ，１５ｂのいずれかは、配電機器８１からの屋外分散方式の通信プロトコルの情報を国際標準のプロトコルの情報に変換し、変換後の情報を監視制御装置１０に送信する。
【００４６】
現行の監視制御システムにおいては、変電所６０，７０における既存の設備であるＴＣ６１，７１で情報を送受信が行われているが、順次、ＴＣ６１，７１を国際標準の設備であるＦＧＷ６２，７２に置き換えられる。なお、現在、例えば数千のＴＣ６１，７１が設けられている。
【００４７】
なお、ＴＣ６１，７１及びＦＧＷ６２，７２は、上述した各種プロトコルに対応できること、ハードウェアは信頼性を担保するために構成部品が冗長化されていること、複数のＴＣや変電所機器の接続に十分なポートが確保されていること、停電後、自動的に復旧（起動・構成制御に基づいた初期状態への復帰）できること、復旧時にサーバ側へエラー情報を伝達できること、構成管理は、データセンター１からの遠隔操作及びポート経由の直接操作の両方で可能であること、遠隔操作、直接操作のためのツールが提供されること、停電時にデータと時刻を保持するためのバッテリーを保持すること、監視制御システムの各種セキュリティ基準に基づいたセキュリティ対策機能を備えていること、自身、接続されているＴＣ、及び変電所機器遮の動作を監視し、故障を検知し、エラー情報を保管できること、サーバ（監視制御装置１０）側へエラー情報を伝達できること、時刻同期機能があること、などが要求される。
【００４８】
監視制御システムＳＹＳ−Ａにおける監視対象の機器（設備）としては、上述した送電用変電所６０の変電所機器６３，６４及び配電用変電所７０の変電所機器７３，７４のほかに、配電機器８１、配電塔機器８２、ＩＴ開閉器８３、及び２２ｋＶ回線選択８４がある。これら配電機器８１、配電塔機器８２、ＩＴ開閉器８３及び２２ｋＶ回線選択８４を配電設備８０という。配電設備８０に関しては、専用の制御回線等で既に接続されており、国際標準の通信網への統一が困難である。
【００４９】
図１に示すように、配電機器８１及び配電塔設備８２は中継所に設けられた中継機器５５に接続されている。中継機器５５は、ＨＤＬＣの通信回線で制御所５０に設けられたＧＷ５１に接続されている。中継機器５５は、配電機器８１及び配電塔設備８２からの情報をＨＤＬＣの通信プロトコルの情報に変換し、変換後の情報を制御所５０に設けられたＧＷ５１に送信する。ＧＷ５１は、中継機器５５から送信された情報をＷＡＮ２０を介してＦＥＰ１５ａ，１５ｂのいずれかに送信する。ＦＥＰ１５ａ，１５ｂのいずれかは、ＧＷ５１からのＨＤＬＣの通信プロトコルの情報を国際標準のプロトコルの情報に変換し、変換後の情報を監視制御装置１０に送信する。
【００５０】
また、図１に示すように、ＩＴ開閉器８３はセンサを内蔵した自動開閉器である。このＩＴ開閉器８３は、例えばＳＣ−Ｄの通信プロトコルの通信回線でＧＷ５１に接続されている。ＩＴ開閉器８３は開閉状態を示す情報をＧＷ５１に送信し、ＧＷ５１はＩＴ開閉器８３からの情報をＷＡＮ２０を介してＦＥＰ１５ａ，１５ｂのいずれかに送信する。また、２２ｋＶ回線選択８４は、２２ｋＶ回線を選択する変圧器（２２ｋＶ回線選択式変圧器）である。この２２ｋＶ回線選択８４は、例えば回線選択式の通信プロトコルの通信回線でＧＷ５１に接続されている。２２ｋＶ回線選択８４は選択状態を示す情報をＧＷ５１に送信し、ＧＷ５１は２２ｋＶ回線選択８４からの情報をＷＡＮ２０を介してＦＥＰ１５ａ，１５ｂのいずれかに送信する。
【００５１】
図１に示すように、ＷＡＮ２０は、各データセンター１Ａ，１Ｂ，１Ｃに設けられたオペレーションサービスバス１１０及びシステム運用サービスバス１１１に接続されている。オペレーションサービスバス１１０及びシステム運用サービスバス１１１においては、例えばＩＥＣ６１９７０、ＩＥＣ６１９６８、ＩＥＣ６２２３５などの通信プロトコルで情報の通信が行われる。
【００５２】
オペレーションサービスバス１１０は、系統監視制御サブシステム１１、配電監視制御サブシステム１２及び統合ＮＷ設備管理サブシステム１３と接続され、各サブシステム１１，１２，１３間における情報の送受信を行う。また、各サブシステム１１，１２，１３は、リアルタイムサービスバス１４及びＦＥＰ１５ａ，１５ｂを介さずに、オペレーションサービスバス１１０及びＷＡＮ２０を介してＧＷ３１，４１，５１（変電所６０，７０や配電設備８０の機器）と情報の送受信を行うことができる。
【００５３】
システム運用サービスバス１１１は、電力ＮＷモデルＤＢ９１、手順・件名ＤＢ９２及びデータウェアハウス９３と接続されている。電力ＮＷモデルＤＢ９１は、電力ＮＷモデルを記憶するデータベースである。手順・件名ＤＢ９２は、変電所や配電線の開閉設備等の操作手順と件名とを対応つけて記憶するデータベースである。データウェアハウス９３は、各種データを記憶する装置である。監視制御装置１０の各サブシステム１１，１２，１３は、システム運用サービスバス１１１を介して電力ＮＷモデルＤＢ９１、手順・件名ＤＢ９２及びデータウェアハウス９３の情報を受け取ることができる。また、データ格納部（電力ＮＷモデルＤＢ９１、手順・件名ＤＢ９２及びデータウェアハウス９３）は、送電用変電所６０、配電用変電所７０及び配電設備８０の機器の情報をＷＡＮ２０及びシステム運用サービスバス１１１を介して取得し格納することができる。
【００５４】
また、リアルタイムサービスバス１４及びシステム運用サービスバス１１１は、それぞれ外部システム１００に接続されている。外部システム１００は、アプリケーション間連携１０１，１０２、エンタープライズサービスバス１０３、及びツール１０４を備えている。アプリケーション間連携１０１は、リアルタイムサービスバス１４とエンタープライズサービスバス１０３に接続され、各サブシステム１１，１２，１３のアプリケーションとツール１０４のアプリケーションとの間を連携する。これにより、各サブシステム１１，１２，１３とツール１０４との間で情報のやり取りが可能となる。また、アプリケーション間連携１０２は、システム運用サービスバス１１１とエンタープライズサービスバス１０３に接続され、ツール１０４のアプリケーションとデータ格納部（電力ＮＷモデルＤＢ９１、手順・件名ＤＢ９２及びデータウェアハウス９３）のアプリケーションとの間を連携する。これにより、ツール１０４とデータ格納部との間で情報のやり取りが可能となる。
【００５５】
ツール１０４は、監視制御装置１０で取り扱われる情報やデータ格納部９１，９２，９３に格納されている情報を用いて、情報の保存・管理、電力ネットワークモデルの設計、情報の分析、プランニング（計画）、マーケットオペレーション、アセットマネジメントなどを行う。ツール１０４は、リアルタイムサービスバス１４、アプリケーション間連携１０１及びエンタープライズサービスバス１０３を介して監視制御装置１０にて保存されている情報を取得することができる。また、ツール１０４は、システム運用サービスバス１１１、アプリケーション間連携１０２及びエンタープライズサービスバス１０３を介してデータ格納部９１，９２，９３に格納されている情報を取得することができる。エンタープライズサービスバス１０３においては、ＩＥＣ６１９７０、ＩＥＣ６１９６８、ＩＥＣ６２２３５の通信プロトコルで情報の通信が行われる。
【００５６】
また、図１に示すように、監視制御装置１０は、システム運用サービスバス１１１、ＤＸ連携９４及びＤＸ−ＧＷ装置１０５を介して、国際標準に準拠していない通信回線である不図示のＤＸ網（ＤＸ：Data Exchanger）上に存在する外部システム（外部システム１００とは異なる外部システム）と連携している。ＤＸ網は、給電所及び制御所に設置された各外部システム間で情報を送受信するための非インターネットプロトコル伝送網である。ＤＸ連携９４は、システム運用サービスバス１１１及びＤＸ−ＧＷ装置１０５と接続されている。ＤＸ−ＧＷ装置１０５は、ＤＸ網における非国際標準の通信プロトコルの情報とＩＰ通信プロトコルの情報とを変換する。
【００５７】
なお、図１に示していないが、監視制御システムＳＹＳ−Ａのユーザ（利用者）が監視及び制御業務として実行させる系統制御用シンクライアント及び配電制御用シンクライアント及び統合ＮＷ設備管理用シンクライアントが設けられている。シンクライアントは、監視制御システムＳＹＳ−Ａにおける監視制御業務処理を実行させ、略全ての処理をサーバ（監視制御装置１０）に集中させて実行させる。系統制御用シンクライアント及び配電制御用シンクライアント及び統合ＮＷ設備管理用シンクライアントは、ＩＣＡ（IndependenＴＣlient Architecture）、ＰＣ  Ｏｖｅｒ  ＩＰ、ＲＤＰ（Remote Desktop Protocol）のいずれかの通信プロトコルに従って監視制御システムＳＹＳ−Ａ（すなわち監視制御装置１０のサーバ）と情報の通信を実行可能に構成されている。
【００５８】
次に、監視制御システムＳＹＳ−Ａのアプリケーション構成について説明する。図５は、本発明の第１実施形態に係る監視制御システムＳＹＳ−Ａのアプリケーション構成を示す図である。図５に示す監視制御システムＳＹＳ−Ａは、アプリケーションとして、系統監視制御２０１、配電監視制御２０２、総合ＮＷ設備管理２０３、ユーザインターフェイス（ユーザＩＦ）２１０、外部システム連携２２０、フロントエンドプロセッサ（ＦＥＰ）２３０、及びゲートウェイ２４０を備えている。
【００５９】
系統監視制御２０１は、系統監視制御サブシステム１１を構成するためのアプリケーションであり、送電系統の制御業務及び送電系統の制御対象設備（変電所機器６３，６４）の保全業務に必要な機能を提供する。系統監視制御２０１の機能としては、監視制御機能（ＳＣＡＤＡ）、エネルギー管理システム機能（ＥＭＳ）、その他機能、電力ＮＷモデル管理機能に分けられる。
【００６０】
図６は、系統監視制御２０１のアプリケーションを示す図である。図６に示すように、系統監視制御２０１の監視制御機能のアプリケーションは、監視、操作手順表作成・確認、制御（手動・自動）、検知・通報、停止計画管理、電力最適化、系統図表管理、系統監視制御アプリ構成管理、訓練シミュレータ、ＣＣ用記録統計、ＣＩＭモデル、系統盤表示機能、多目的表示機能、及び電話機能という機能構成を含む。
【００６１】
監視；
・アプリケーションは、送電系統制御対象のフィールドデバイスから送信される各種データ（設備情報／計測情報）を取込、状変・事故の検出、停電監視、事故設備判定を行うために必要な情報をリアルタイムで編集し、ユーザに表示する。
・このアプリケーションは、潮流・電圧・電流・設備異常・水位・流量等の各監視を行うための情報を、リアルタイムで編集し、ユーザに表示する。
・ユーザの指示に基づき、表示内容やビューを切り替える。
・このアプリケーションは、状変・事故等の情報を、ユーザの指示に基づきもしくは自動で保管する。
【００６２】
操作手順表作成・確認；
・このアプリケーションは、ユーザが送電系統操作機能に関する操作手順表（系統運用操作手順）を作成・更新、申請・承認、保管、出力するための機能を提供する。
・このアプリケーションは、承認された操作手順表に基づかない直接制御について、制御実績に基づき、操作手順表（制御記録）を自動生成し、保管する。
・ユーザは、当該アプリケーションにて、操作手順表テンプレートを作成・更新・保管する。また、保管された操作手順表テンプレートを基に、個別手順表を作成することができる。
【００６３】
制御（手動・自動）；
・ユーザは、当該アプリケーションにて送電系統の制御を行う。操作手順表に基づいた制御、及び直接制御（個別操作）の両方がある。
・アプリケーションは、監視情報を基に一部の自動制御を行う。
【００６４】
検知・通報；
・監視アプリケーションでの送電系統事故の検知を受け、このアプリケーションは、事故関係情報を編集し、ユーザへ表示する。統合ＮＷ設備管理サブシステム１３：事故記録管理へ事故情報を連携する。
・ユーザは、このアプリケーションにて警報装置を用い、関係各所への通報（音声通報）を行う。
・ユーザは、このアプリケーションにて、保全依頼を作成し、保全担当者へ通知する。
・ユーザは、このアプリケーションにて、停電事故情報を作成し、関係各所（イントラネット等）へ通知する。
【００６５】
停止計画管理；
・ユーザは、当該アプリケーションにて、外部システムである作業停止調整システムで作成した停止計画を登録・編集・保管・出力する。
・アプリケーションは、ユーザの指示に基づき、停止計画を関係各所に通知する。
・アプリケーションは、停止計画の実績を保管する。
【００６６】
電力最適化；
・このアプリケーションは、監視情報を基に、ユーザの指示に基づきもしくは自動で、電力最適化のための各種運用計算（潮流計算・電圧計算・短絡計算、最適系統構成計算、発電所使用水量計算等）を行う。
【００６７】
系統図表管理；
・このアプリケーションは、送電系統監視制御業務に必要な各種図表データ（系統総括図・主要系統図・単線結線図・部分系統図・電力潮流図・水系統括図等）を管理する。
・統合ＮＷ設備管理サブシステム１３が内部にて若しくは外部システムより取得・蓄積しているネットワーク設備情報及び地図情報を基に、手動若しくは自動で図表データを作成・編集する。
・ユーザは、当該アプリケーションにて、系統図表を照会・出力する。
【００６８】
系統監視制御アプリ構成管理；
・このアプリケーションは、系統監視制御サブシステムが正しく動作していることを監視する。
・このアプリケーションは、系統監視制御サブシステムの各種オプション設定（運転モード切替、ネットワーク切替、指令台に対するエリア別制御可否設定等）を管理する。
【００６９】
訓練シミュレータ；
・ユーザは、系統制御用シンクライアントより当該アプリケーションが提供する訓練環境を用いて、各種監視制御のシミュレーション訓練を行う。
・ユーザは、当該アプリケーションにて、訓練センターシステム（外部システム）用のデータを収集・出力する。
【００７０】
ＣＣ用記録統計；
・ＣＣ用ユーザは、当該アプリケーションにて、監視情報を基に、送電系統監視制御に必要な各種記録・グラフ（定型帳票）の作成・出力を行う。記録統計；
【００７１】
ＣＩＭモデル；
・このアプリケーションでは、統合ＮＷ設備管理サブシステム１３：ＣＩＭモデル管理アプリケーションで管理されているＣＩＭモデルを基に、系統監視制御サブシステム１１に必要なＣＩＭモデルを派生・管理する。
【００７２】
系統盤表示機能；
・系統盤に設備情報・計測情報および監視結果を表示し、主要な電力系統の状態を監視する。
【００７３】
多目的表示機能；
・プロジェクタ画面を使用し、防災端末情報（雷観測・台風情報・降雪情報など）や、指令台画面など様々な映像を表示する。
【００７４】
電話機能；
・系統運用業務を行う上で、制御所・特別高圧電力の需要家など大勢の相手と複数回電話をする必要があるため、電話の発着信を簡易化した電話装置を用いる。主な機能は、監視モニターからのアナログ・デジタル・ＣＢ回線発信、および応答・復旧・保留・録音・転送・割り込み・一斉・起呼者表示・自動メッセージ応答等の機能を有する。
【００７５】
また、図６に示すように、エネルギー管理システム機能のアプリケーションは、状態予測、給電分析、発電余力分析、コンティンジェンシー分析、電圧安定分析、短絡解析、電力最適化等という機能構成を含む。
【００７６】
状態予測；
・リアルタイムでの測定、発電予測、負荷予測、設定電圧等、電力網の安定運用に必要な各種情報を提供する。
【００７７】
給電分析；
・系統ネットワークにおける電力潮流に関する分析機能である。様々な条件仮説を検証し、ネットワークを安定運用するための条件を見出す。
【００７８】
発電余力分析；
・系統ネットワークにおける電力潮流に関する分析機能である。様々な条件仮説を検証し、ネットワークを安定運用するための条件を見出す。
【００７９】
コンティンジェンシー分析；
・特定のコンティンジェンシー下のネットワーク信頼度の測定を支援する機能である。定常状態の電力潮流ソリューションをシミュレートし、圏外の状態の場合はオペレータにネットワークをチェックさせる。当該機能は、分析中の予定停止時にもできなくてはならない。
【００８０】
電圧安定分析；
・オペレータが電圧安定に関する問題を識別し、電圧を安定させるための諸条件の効果を精査する支援を行う。
【００８１】
短絡解析；
・現行運用条件やネットワークトポロジーで回路遮断器定格を超えてしまう可能性のある潜在的に問題のある潮流を分析することで、電力ネットワーク上で障害が発生している潮流を識別する機能である。遮断器の能力や保護設定の確認も行う必要がある。遮断器オペレーションと連携することで、オペレータが確実に短絡容量上限を超える可能性のある遮断器をクローズできるようにする。
【００８２】
電力最適化とセキュリティ分析、コンティンジェンシーディスパッチ；
・システムオペレーションを強化するための機能であり、最適化目標を達成するために制御に関するオプションを提示する機能である。
・コンティンジェンシーを制約条件として考慮し、妥当かつ予防的な制御ストラテジーの立案を支援する機能である。
・有効電力オペレーション制約違反を抑制するために、発電から再給電に至る最も効果的かつ低コストな是正措置を決定するための機能である。
【００８３】
また、図６に示すように、その他機能のアプリケーションは、スイッチ分析、故障個所の復旧、停電管理、予測（短期／中期／長期）、グリッドパフォーマンスレポートという機能構成を含む。
【００８４】
スイッチ分析；
・負荷断、システム不安定等の潜在的なリスクがある場合のオペレータへの適切な警告
・オペレータによるスイッチングシーケンス指令の作成、および内部承認プロセス。
【００８５】
故障個所の復旧；
・故障個所の切り離しおよび復旧機能について以下の３つのモードをサポートする。
・閉ループモード：正常な箇所へサービスを切り替えるために、スイッチングオーダーを生成する。このスイッチングオーダーはＳＣＡＤＡを介して自動的に実行される。
・アドバイザリーモード：正常な箇所へサービスを切り替えるために、スイッチングオーダーを生成する。このスイッチングオーダーはオペレータ画面に表示され承認されることによって実行される。
・スタディモード：手動で調整・保存された対応方法をオペレータによって起動され、オペレータ指定の運用条件下でスイッチングオーダーを生成する。
【００８６】
停電管理；
・停電お問い合わせ管理：停電お問い合わせシステムは、需要家に停電の詳細や復旧見込みについて情報提供する。
・停電分析：停電箇所、停電種別、影響を受けている（受けるおそれのある）顧客数、および通知が必要な顧客に関する分析が可能である。
・スイッチング分析自動スイッチングに関するオプションを複数表示することができる。また、オペレータによる分析結果の確認およびそれに基づいたスイッチングオペレーションの実行を可能とする。オペレータが分析結果を承認し、アクションプランを選択した場合、スイッチングシーケンスを生成、修正できる。
【００８７】
予測（短期／中期／長期）；
・気象データ、気象予測、消費データ、電力損計算、その他補足情報を用い、需要予測を行う。
【００８８】
グリッドパフォーマンスレポート；
・ＡＰＩ等を用いた商業的および技術的データの取得機能である。
・系統監視制御システム／配電監視制御システムで実行された処理とＳＣＡＤＡのデータを統合したレポート作成機能である。
・規則に沿った標準レポートテンプレート。
【００８９】
また、図６に示すように、電力ＮＷモデル管理機能のアプリケーションは、電力ＮＷモデル送受信という機能構成を含む。
【００９０】
電力ＮＷモデル送受信；
・このアプリケーションでは、統合ＮＷ設備管理サブシステム１３の電力ＮＷモデル管理アプリケーションで管理されている電力ＮＷモデルを基に、系統監視制御サブシステム１１に必要な電力ＮＷモデルを派生・管理する。
【００９１】
図５の説明に戻り、配電監視制御２０２は、配電監視制御サブシステム１２を構成するためのアプリケーションであり、配電系統の制御業務及び配電系統の制御対象設備（変電所機器７３，７４）の保全業務に必要な機能を提供する。配電監視制御２０２の機能としては、監視制御機能（ＳＣＡＤＡ）、配電管理システム（ＤＭＳ）、その他機能、電力ＮＷモデル管理機能に分けられる。
【００９２】
図７は、配電監視制御２０２のアプリケーションを示す図である。図７に示すように、配電監視制御２０２の監視制御機能のアプリケーションは、監視、操作手順表作成・確認、制御（手動・自動）、検知・通報、停止計画管理、電力最適化（運用計画）、配電図表管理、配電監視制御アプリ構成管理、訓練シミュレータ、ＣＣ用記録統計、ＣＩＭモデル、系統盤表示機能、多目的表示機能、及び電話機能という機能構成を含む。
【００９３】
監視；
・このアプリケーションは、配電系統制御対象のフィールドデバイスから送信される各種データ（設備情報/計測情報）を取込、状変・事故の検出、停電監視、事故設備判定を行うために必要な情報をリアルタイムで編集し、ユーザに表示する。
・このアプリケーションは、潮流・電圧・電流・設備異常等の各監視を行うための情報を、リアルタイムで編集し、ユーザに表示する。
・ユーザの指示に基づき、各種スケルトン、街路図、系統図、一覧表等の表示内容やビューを切り替える。
・このアプリケーションは、状変・事故等の情報を、ユーザの指示に基づきもしくは自動で保管する。
・状変・事故時、各種操作に基づく、記録、印字、音声、警報を実施する。
・機器・線路等の状態管理・更新を実施する。
・各種フィールドデバイス毎のフォーマットに対応した処理を実施する。
・オンライン状態とは別に試験系状態で監視を実施する。
・他のシステムと連携し送受信を実施する。
【００９４】
操作手順表作成・確認；
・このアプリケーションは、ユーザが配電系統操作機能に関する操作手順表（変電所操作手順、配電線機器操作、各種確認手順）を作成・更新、申請・承認、保管、出力するための機能を提供する。
・このアプリケーションは、登録された停止計画（配電線作業停止計画、計画停電、変電所作業停止計画）に基づき、操作手順表を自動生成し、保管する。
・ユーザは、操作手順表個別作成、修正も可能である。
・手順表は、他のシステムへ事前に送付、または他のシステムから事前に受信し、実行可否を判断する。
・このアプリケーションは、検知された事故情報に基づき、復旧手順表を自動生成し、表示・保管する。
・ユーザは、当該アプリケーションにて、操作手順表テンプレートを作成・更新・保管する。また、保管された操作手順表テンプレートを基に、個別手順表を作成できる。
【００９５】
制御（手動・自動）；
・ユーザは、当該アプリケーションにて配電系統の制御を行う。操作手順表に基づいた制御、及び直接制御（個別操作）の両方がある。
・アプリケーションは、監視情報を基に一部の自動制御を行う。自動化の範囲はシステム機能一覧に基づき判断する。
・配電機器について請定値・設定値の遠方設定を実施する。
・制御に伴う各種状態管理・更新を実施する。
・各種フィールドデバイス毎のフォーマットに対応した処理を実施する。
・オンライン状態とは別に試験系状態で制御を実施する。
【００９６】
検知・通報；
・監視アプリケーションでの配電系統事故の検知を受け、当該アプリケーションは、事故関係情報を編集し、ユーザへ表示する。統合ＮＷ設備管理サブシステム１３：事故記録管理へ事故情報を連携する。
・ユーザは、当該アプリケーションにて警報装置を用い、関係各所への通報（音声・警報通報）を行う。
・ユーザは、当該アプリケーションにて、保全依頼を作成し、保全担当者へ通知する。
・ユーザは、当該アプリケーションにて、もしくは当該アプリケーションが定期的に、停電事故情報を作成し、関係各所（停電情報提供システム等）へ通知する。
【００９７】
停止計画管理
・ユーザは、当該アプリケーションにて、停止計画（配電線作業停止計画、計画停電、変電所作業停止計画）を登録・編集・保管・出力する。
・このアプリケーションは、ユーザの指示に基づき、停止計画を関係各所に通知する。
・このアプリケーションは、停止計画の実績を保管する。
【００９８】
電力最適化；
・このアプリケーションは、監視情報を基に、ユーザの指示に基づきもしくは自動で、電力最適化のための各種運用計算（電圧計算・電流計算、事故時復旧時計算、負荷モデル等）を行う。
・配電用変電所電圧タップ、配電線電圧調整機器（ＳＶＲ）、センサ内蔵開閉器、線路インピーダンス等を使用し、系統が適正電圧となるように計算し、自動制御を実施する。
【００９９】
配電図表管理；
・このアプリケーションは、配電系統監視制御業務に必要な各種図表データ（総監盤、変電所スケルトン、配電線スケルトン、街路図、２２ｋＶ系統図、２２ｋＶ回線選択式変圧器結線図等、および各種表示図面）を管理する。
・統合ＮＷ設備管理サブシステムが内部にてもしくは外部システムより取得・蓄積しているＮＷ設備情報及び地図情報を基に、手動もしくは自動でメンテナンスにて作成された図表データを管理する。
・当該アプリケーションは、設備、計測値、線路の状態をリアルタイムに反映し、表示する。
・ユーザは、関係図表を使用し、監視・制御・手順作成等に使用する。
【０１００】
配電監視制御アプリ構成管理；
・このアプリケーションは、配電監視制御サブシステム１２が正しく動作していることを監視する。
・このアプリケーションは、配電監視制御サブシステム１２の各種オプション設定（運転モード切替、操作卓に対するエリア別制御可否設定等、変電所運用項目設定、自動復旧設定等）を管理する。
【０１０１】
訓練シミュレータ；
・ユーザは、配電制御用シンクライアントより当該アプリケーションが提供する訓練環境を用いて、各種監視制御、事故復旧、手順書作成、メンテナンスのシミュレーションを行う。
・事故シナリオ等のシナリオ（訓練環境・データ設定、模擬訓練、訓練結果データ照会）を自動・手動にて作成できる。
【０１０２】
ＣＣ用記録統計；
・ユーザは、当該アプリケーションにて、監視情報、制御取得情報を基に、配電系統監視制御に必要な各種状態・記録・グラフ（定型帳票）の作成・参照・出力を行う。
・制御オペレータ以外にも各種状態・記録・グラフ等の情報提供を行う。
・他のシステムと連携し送受信を実施する。
【０１０３】
事故捜査図面自動作成；
・このアプリケーションは、配電線のメンテナンス内容から自動的に事故捜査図を生成する。
・ユーザは、自動生成された事故捜査図を照会・更新・出力する。
【０１０４】
電力ＮＷモデル；
・このアプリケーションでは、統合ＮＷ設備管理サブシステム１３のＣＩＭモデル管理アプリケーションで管理されている電力ＮＷモデルを基に、配電監視制御サブシステム１２に必要なメンテナンスを実施する。
・他のシステムと連携し送受信を実施する。
【０１０５】
また、図７に示すように、配電管理システム機能のアプリケーションは、状態予測、電圧安定度解析、電力潮流の最適化、不均衡電流の検出、電圧スケジューラ、短絡解析という機能構成を含む。
【０１０６】
状態予測；
・リアルタイムでの測定、負荷予測等の電力網の安定運用に必要な各種情報を提供する。
【０１０７】
電圧安定度解析；
・ユーザが監視制御において電圧適正に関して問題を意識し、電圧適正を保つための諸条件が認識できるように支援を行う。
【０１０８】
電力潮流の最適化；
・ユーザが監視制御において潮流方向が認識できるように支援を行う。
【０１０９】
不均衡電流の検出；
・ユーザが監視制御において不均衡電流が認識できるように支援を行う。
【０１１０】
電圧スケジューラ；
・ユーザが監視制御において適正電圧超過、分岐等での過負荷発生が認識できるように支援を行う。
【０１１１】
短絡解析；
・ユーザが監視制御において現行運用条件により遮断器、開閉器の短絡容量を超える可能性が認識できるように支援を行う。
【０１１２】
また、図７に示すように、その他機能のアプリケーションは、故障個所の検知と復旧、停電管理、予測、各種指標・レポーティングという機能構成を含む。
【０１１３】
故障個所の検知と復旧；
・故障個所の検知と特定、健全停電区間の自動復旧を行う。
【０１１４】
停電管理；
・予定作業停止計画を管理する。
・事故停電の管理をする。
【０１１５】
予測；
・気象データ、気象予測、その他の補足情報を用い、１時間毎、１日毎、１週間毎、１カ月毎の短期、中期、長期の需要予測を行い、監視制御を支援する。
【０１１６】
各種指標・レポーティング；
・ＡＰＩ等を用いた技術的データを作成する。
・規則に沿った標準レポートを作成する。
【０１１７】
また、図７に示すように、電力ＮＷモデル管理機能のアプリケーションは、電力ＮＷモデル送受信という機能構成を含む。
【０１１８】
電力ＮＷモデル送受信；
・このアプリケーションでは、統合ＮＷ設備管理サブシステム１３の電力ＮＷモデル管理アプリケーションで管理されている電力ＮＷモデルについて、配電監視制御サブシステム１２において必要な情報の送受信を実施する。
【０１１９】
図５に示す監視制御システムは系統監視制御２０１と配電監視制御２０２という２つのサブシステムを備えているが、アプリケーション構成は可能な限り共通となっている。すなわち、図６及び図７に示すように、監視、操作手順表作成・確認、制御（手動・自動）、検知・通報、停止計画管理、電力最適化、系統図表・配電図表管理、系統・配電監視制御アプリ構成管理、訓練シミュレータ、ＣＣ用記録統計、電力ＮＷモデルの機能は、共通化されている。これにより、機能の重複開発が防止され、開発コストを抑制することができる。
【０１２０】
図５の説明に戻り、統合ＮＷ設備管理２０３は、統合ＮＷ設備管理サブシステム１３を構成するためのアプリケーションであり、送電系統・配電系統及びこれらの制御対象設備（変電所機器６３，６４，７３，７４）の管理業務に必要なシステム機能を提供する。統合ＮＷモデル設備管理２０３の機能としては、電力ＮＷ機器管理機能、電力ＮＷモデル管理機能、その他機能に分けられる。
【０１２１】
図８は、統合ネットワーク設備管理２０３のアプリケーションを示す図である。図８に示すように、電力ＮＷ機器管理機能のアプリケーションは、電力ＮＷ設備状況データ収集、電力ＮＷ設備状況データ照会、構成・設定管理、セキュリティ管理（機器・ユーザ）という機能構成を含む。  
【０１２２】
電力ＮＷ設備状況データ収集；
・このアプリケーションは、監視制御システムが管理対象としている電力ネットワーク上のフィールドデバイスから送信される各種データ（詳細データ）を収集・管理する。
・このアプリケーションは、収集・管理した各種データを複合的に分析し、電力ネットワーク上のフィールドデバイスの異常を検知し、ユーザに通知する。（ヘルスチェック機能）
【０１２３】
電力ＮＷ設備状況データ照会；
・ユーザは、電力ＮＷ設備状況データ収集アプリケーションが収集した電力ＮＷ設備状況データを照会する。
【０１２４】
構成・設定管理；
・ユーザは、当該アプリケーションにて、監視制御システムが管理対象としている電力ネットワーク上の設備（フィールドデバイスを含む）の構成（インベントリーリスト）と個々の設定を管理する。（モード、オプション、閾値等の設定。有効期間の設定。及び設定変更に伴う影響分析）
【０１２５】
セキュリティ管理（機器・ユーザ）；
・このアプリケーションは、電力ネットワーク上の設備のセキュリティ（遠隔制御／直接制御の可否等）を設定・管理する。
・このアプリケーションは、ユーザの認証および権限を設定・管理する。また、認証情報（パスワード等）を管理する。
・このアプリケーションは、監視制御システム内に蓄積される文書（ファイル）を管理する。
・このアプリケーションは、監視制御システムおよび監視制御システムが使用しているネットワーク上のセキュリティを管理する。（不正検知、マルウェア対策等）
【０１２６】
図８に示すように、電力ＮＷモデル管理機能のアプリケーションは、構成検証、事故記録管理、管理用記録統計、図表管理、電力ＮＷモデル管理という機能構成を含む。
【０１２７】
構成検証；
・ユーザは、当該アプリケーションにて、構成・設定管理アプリケーションでデータメンテナンスを行った結果について、対向試験を行う。
・対向試験には、１）システム内でクローズする「内部試験」、２）データ連携を行う送信先システム・装置などの各システム相互間で、監視制御情報、運用情報などの模擬情報を送受信しながら実施する「外部試験」、の２種類がある。
【０１２８】
事故記録管理；
・このアプリケーションは、系統監視制御および配電監視制御の検知・通報アプリケーションからの情報を基に、送電系統、配電系統事故の記録を管理する。
・速報性の高い事故通報は、系統監視制御および配電監視制御の検知・通報アプリケーションから行う。ユーザは、当該アプリケーションにて、詳細な事故記録を編集・蓄積し、照会可能とする。また、関連外部システムへ通知する。
【０１２９】
管理用記録統計；
・ユーザは、当該アプリケーションにて、管理業務に必要な各種記録・グラフ（定型帳票）の作成・出力を行う。
【０１３０】
図表管理；
・このアプリケーションは、管理業務に必要な各種図表データ（各種スケルトン、系統図、充電部確認図等）を管理する。
・このアプリケーションは、ＮＷ設備情報および地図情報を外部システム（配電情報管理システム等）より取得し、管理する。
・ユーザは、当該アプリケーションにて、各種図表を照会・出力する。
【０１３１】
電力ＮＷモデル管理；
・このアプリケーションは、監視制御システム全体の電力ＮＷモデル（ＣＩＭモデル）データを管理する。系統監視制御サブシステム１１および配電監視制御サブシステム１２で個別管理される電力ＮＷモデルの親として統括する。
【０１３２】
また、図８に示すように、その他機能のアプリケーションは、保全データ管理、保全手順書作成・確認、業務系システム連携という機能構成を含む。
【０１３３】
保全データ管理；
・このアプリケーションは、機器毎の保全作業の履歴情報を管理する。ユーザは、当該アプリケーションにて、定期保全作業結果を作成・更新、保管、出力する。
【０１３４】
保全手順書作成・確認；
・このアプリケーションは、ユーザが、定期保全作業の手順書（現地手順表）を作成・更新、申請・承認、保管、出力するための機能を提供する。
【０１３５】
業務系システム連携；
・電力会社の業務系システムで管理している、変電所の設備情報や停止件名の情報について、監視制御系のアプリケーションと連携し、登録情報の照会、入力データへの反映、出力等を行う。
【０１３６】
なお、監視制御システムでは、ＩＥＣ６１９７０、ＩＥＣ６１９６８で規定されているＣＩＭ（Common Information Model：共通情報モデル）に基づき電力ＮＷモデルを管理する。統合ＮＷ設備管理サブシステム１３が監視制御システム全体の電力ＮＷモデル管理を担う。系統監視制御サブシステム１１と配電監視制御サブシステム１２は、統合ＮＷ設備管理サブシステム１３と連携しつつ、それぞれが監視制御対象とする電力ＮＷモデルを管理する。
【０１３７】
統合ＮＷ設備管理サブシステム１３が統合的な電力ＮＷモデルの管理を行うことで、電力ＮＷモデルの管理負荷を軽減することができる。例えば、システム（ＳＣＡＤＡ／ＤＭＳ／ＯＭＳ／ＥＭＳ、プランニングツール、防護分析ツール等）で個別にモデルの複製と検証を行う手間を軽減することができる。また、一貫した電力ＮＷモデルを保持することで、トポロジーデータの正確性と信頼性を担保することができる。また、電力ＮＷモデル管理のワークフロー化による手作業の軽減を図ることができる。また、電力ＮＷモデルの変更の際の分析スピードを向上させることができる。また、ＣＩＭベースで電力ＮＷモデルを一元化することにより、将来的な外部システム連携コストを低減することができる。さらに、電力網をのスイッチ状態の履歴照会による電力ＮＷモデル分析能力の向上を図ることができる。
【０１３８】
図５の説明に戻り、ユーザインターフェイス２１０は、監視制御システムＳＹＳ−Ａとユーザとの間で情報のやりとりをするためのインターフェイスである。監視制御システムＳＹＳ−Ａは、認証時にユーザの権限セットに基づき、ユーザロールに合致したメニューを提供する。また、監視制御システムＳＹＳ−Ａは、ユーザ個別の権限により、照会・利用できるメニューやシステム機能に制限する。ユーザの権限セットは、統合ＮＷ設備管理サブシステム１３のセキュリティ管理（機器・ユーザ）アプリケーションにて管理する。
【０１３９】
ユーザインターフェイス２１０には、系統制御向けメニュー、配電制御向けメニュー、及びその他役割別（ロール別）メニューが設けられている。例えば、ユーザロール別メニューとして、「系統監視制御コントロールセンター用メニュー（指令台用メニュー）」、「配電監視制御コントロールセンター用メニュー（操作卓用メニュー）」、「保全センター用メニュー」、「系統監視制御設備データメンテナンス用メニュー」、「配電完成制御設備データメンテナンス用メニュー」、「システム管理者用メニュー」、「訓練用メニュー」を設けてよい。ユーザインターフェイス２１０は、監視制御システムＳＹＳ−Ａで可能な限り共通とする。
【０１４０】
外部システム連携２２０は、監視制御システムＳＹＳ−Ａが外部システム１００と連携するためのアプリケーションである。上述したように、監視制御システムＳＹＳ−Ａと外部システム１００との連携は、ＩＥＣ６１９７０／６１９６８／６２２３５を採用したリアルタイムサービスバス１４又はシステム運用サービスバス１１１を介して行われる。外部システム１００側がこれらのプロトコルに対応できない場合は、個別のゲートウェイ（ＧＷ）機能を構築する。また、ＤＸ網上にある既存の外部システムと監視制御システムＳＹＳ−Ａとの連携は、ＤＸ連携のＨＴＩＦ方式ＩＦ（ＵＤＰ／ＩＰ）を介して行う。
【０１４１】
ＤＸ連携機能；
既設の監視制御システムとＤＸ網を介して、ＨＴＩＦ方式ＩＦにて情報連携する。
ＩＣＣＰ情報連携機能；
ＩＣＣＰを通じて連携が可能な外部システムと情報連携する。
【０１４２】
フロントエンドプロセッサ２３０（コミュニケーション装置連携）は、監視制御システムＳＹＳ−Ａとコミュニケーション装置側との連携、監視制御システムＳＹＳ−Ａとコントロールセンター（ＣＣ）との間の連携、及びサブシステム間の連携を担う。フロントエンドプロセッサ２３０は、図１に示すフロントエンドプロセッサ１５ａ，１５ｂ（ＦＥＰ）に相当する。フロントエンドプロセッサ２３０は、以下の機能を有する。
【０１４３】
データ送受信機能；
コミュニケーション装置（ゲートウェイ：なお、フィールドゲートウェイを含んでもよい。）との間で送受信されるデータを集約・配信する。
【０１４４】
サーバ拠点間連携（データセンター間連携）機能；
サーバ拠点間（データセンター間）、サブシステム間の情報連携を行う。通信プロトコルはＩＥＣ６１９７０もしくはＩＥＣ６１９６８もしくはＩＣＣＰ（Inter Control Center Protocol）を用いる。例えば、給電所の系統制御機能のバックアップを配下の制御所オペレータが持つ場合、制御所オペレーターは配電監視制御側２０２より系統監視制御２０１側に当データセンター間連携機能を用いて対象コミュニケーション装置の制御権を要求し獲得する。
【０１４５】
フォーマット変換；
コミュニケーション装置（ＧＷ３１，４１）からの情報を、国際標準の伝送プロトコル（ＩＥＣ６１９７０／ＩＥＣ６１９６８）へ変換する。また、各サブシステム１１，１２，１３からの制御情報を対象となるコミュニケーション装置向けに、所定の伝送プロトコルに変換して送信する。
【０１４６】
ゲートウェイ（コミュニケーション装置）２４０は図１に示すＧＷ３１，４１に相当する。コミュニケーション装置２４０は、接続されているＴＣからの情報を収集し、フロントエンドプロセッサ（コミュニケーション装置連携）２３０を通じてサーバ側（系統監視制御２０１、配電監視制御２０２、統合ＮＷ設備管理２０３）に送信する。また、ゲートウェイ２４０は、サーバ側からの制御情報に基づき、配下のＴＣに情報を伝達する（制御する）。ゲートウェイ２４０の主要機能を以下に示す。
【０１４７】
伝送集約機能；
複数のＴＣからの情報伝送を集約および変換し、監視制御システムＳＹＳ−Ａ（監視制御装置１０）へ伝送を行う。
【０１４８】
データ送受信；
・接続されているＴＣからの情報を監視制御システムＳＹＳ−Ａ（監視制御装置１０）へ送信する。
・監視制御システムＳＹＳ−Ａ（監視制御装置１０）側からの制御情報に基づき、接続されているＴＣへ制御情報を送信する。
【０１４９】
伝送フォーマット変換；
接続されているＴＣからの情報を、国際標準の伝送プロトコルへ変換する。また、サーバ拠点（データセンター）側からの制御情報を対象となるＴＣ向けに、ＴＣの伝送プロトコルに変換して送信する。
【０１５０】
コミュニケーション装置構成制御；
・コミュニケーション装置の構成制御を行う。
・コミュニケーション装置が異常もしくは故障時に自動的に健全側への切替を実施する。
【０１５１】
コミュニケーション装置故障管理；
コミュニケーション装置が故障した場合に、上位の監視制御システム（監視制御装置１０）へ異常通報を行う。
【０１５２】
再送要求管理；
監視制御システム（監視制御装置１０）に正常に情報が伝送されなかった場合に再送する。
【０１５３】
フィールドデバイスルート管理；
・ＴＣから２ルートで伝送されてくる場合においては、コミュニケーション装置側にてルート管理を行う。
・コミュニケーション装置側からＴＣへ制御情報を送信する場合において、ＴＣが２ルート受信の場合は両ルートへ送信する。
【０１５４】
フィールドデバイス構成制御；
・コミュニケーション装置および接続されているＴＣの構成制御を管理する。
・サーバ側からの構成制御情報に基づき、構成を更新する。
【０１５５】
フィールドデバイス故障管理；
コミュニケーション装置および接続されているＴＣの故障情報を監視制御システム（監視制御装置１０）に通知する。
【０１５６】
保守支援；
保守要員が、保守ツールを用いコミュニケーション装置を直接操作する際に必要な機能を提供する。例えば、保守に必要な情報（伝送データ、設備情報／計測情報）の表示、選択による遠隔制御の無効化などである。
【０１５７】
その他；
セキュリティ機能、時刻同期機能なども設けられる。
【０１５８】
なお、図５においては、フィールドゲートウェイ（図１のＦＧＷ６２，７２）のアプリケーションを示していない。しかし、フィールドゲートウェイは、接続されている遮断器・保護リレーなどの変電所機器からの情報を収集し、フロントエンドプロセッサやゲートウェイを通じてサーバ側（系統監視制御・配電監視制御・統合ＮＷ設備管理）に送信する機能、サーバ側からの制御情報に基づき、配下の変電所機器に情報を伝達する（制御する）機能を備えている。フィールドゲートウェイのことを変電所コミュニケーション装置ともいう。フィールドゲートウェイ（変電所コミュニケーション装置）は以下のアプリケーションを備える。
【０１５９】
データ送受信機能；
・接続されている遮断器・保護リレーなどの変電所機器からの情報を収集し、定期的に指定されたフォーマット（プロトコルはＩＥＣ６０８７０−５−１０４／ＩＥＣ６１８５０）でサーバ側へ送信する。
・サーバ側からの制御情報に基づき、接続されている遮断器・保護リレーなどの変電所機器へ制御情報を伝達する。
【０１６０】
フォーマット変換；
・接続されている遮断器・保護リレーなどの変電所機器からの情報を、指定されたフォーマットへ変換する。また、サーバ側からの情報を対象となる遮断器・保護リレーなどの変電所機器向けにフォーマット変換する。
【０１６１】
フィールドデバイス故障管理；
・接続されている遮断器・保護リレーなどの変電所機器の動作を監視し、故障を検知し、エラー情報を保管する。また、サーバ側へエラー情報を伝達する。
【０１６２】
保守支援；
・保守要員が保守ツールを用いて変電所コミュニケーション装置を直接操作する際に必要な機能を提供する。
【０１６３】
次に、監視制御システムＳＹＳ−Ａの通信網上で送受信される情報について説明する。監視制御システムＳＹＳ−Ａの通信網上で送受信される情報として、監視制御情報、運用情報及びその他の情報がある。監視制御情報は、変電所６０，７０の構内の機器６３，６４，７３，７４や配電線の設備の状況を取得し、それらの設備を制御するための情報であり、系統監視情報と制御情報がある。
【０１６４】
系統監視情報は、変電所６０，７０内で計測されるＴＭ情報、変電所６０，７０内の変電所機器６３，６４，７３，７４の状態（例えば故障、状態変化など）を監視するためのＳＶ情報などがある。制御情報には、変電機器制御情報（監視制御装置１０と変電所６０，７０との間で遠方制御可能な開閉器の入切情報や保護リレーの使用／ロックの情報など）、配電機器監視制御情報（統合ＮＷ設備管理サブシステム１３から対象の遠方監視制御可能な開閉器の入切情報など）、変電機器状態設定情報（監視制御装置１０から対象の変電所６０，７０に対して状態設定を行うための情報）、変電機器状態要求情報（監視制御装置１０から対象の変電所５０に対して監視情報や状態設定の状況を要求するための情報）などを含む。
【０１６５】
運用情報は、サブシステム１１，１２，１３間で連系するための情報などである。その他の情報は、監視制御情報及び運用情報以外の情報であって、システム起動時のイニシャル処理の情報や、情報送信元への受信確認情報などである。
【０１６６】
次に、監視制御システムＳＹＳ−Ａ内の通信網上で送受信される国際標準の通信プロトコルに準拠した情報のフォーマット構成について説明する。図９は、データフォーマット構成の一例を示す図である。図９に示すように、情報は、伝送ヘッダ部、データ部、認証部及びＦＣＳ（Frame Check Sequence）で構成される。伝送ヘッダ部の構成は、国際標準の通信プロトコルに準拠する。データ部のデータは最大１２６６バイトである。認証部には認証用データが格納される。ＦＣＳはフレームのエラーを検出するためのデータである。
【０１６７】
次に、システム側と変電所６０，７０側との間の情報の伝送制御手順について説明する。図１０は、システム側（監視制御装置１０）と変電所６０，７０側との間の情報の伝送制御手順を示すシーケンス図である。図１０に示す処理において、監視制御装置１０のサブシステムは、制御対象の選択を指令する制御情報（選択指令）を変電所６０，７０側に送信すると（ステップＳ１）、ＧＷ３１，４１又はＦＧＷ６２，７２は、制御情報を正常に受信した場合は、制御情報の受信を確認したことを示す受信確認情報（Ｏｋ−Ａｃｋ）をサブシステムに返信する（ステップＳ２）。なお、ＧＷ３１，４１は、受信した制御情報をＴＣ６１，７１に送信し、ＴＣ６１，７１は、ＧＷ３１，４１からの制御情報を変電所機器６３，７３に送信する。また、ＦＧＷ６２，７２は、受信した制御情報を変電所機器６４，７４に送信する。
【０１６８】
ＧＷ３１，４１は、ＴＣ６１，７１から制御対象の選択完了を指令する制御情報（選択完了）を受信すると、制御情報（選択指令）を送信したサブシステムに制御情報（選択完了）を送信する。また、ＦＧＷ６２，７２は、自身が制御対象の選択を完了した後に、その旨を指令する制御情報（選択完了）をサブシステムに送信する（ステップＳ３）。サブシステムは、制御情報を正常に受信した場合は、制御情報の受信を確認したことを示す受信確認情報（Ｏｋ−Ａｃｋ）をＧＷ３１，４１又はＦＧＷ６２，７２に返信する（ステップＳ４）。
【０１６９】
ＧＷ３１，４１又はＦＧＷ６２，７２は、変電所機器６３，６４，７３，７４から送信される系統監視情報（ＳＶ情報）を受信すると、その系統監視情報（ＳＶ情報）を対象のサブシステムに送信する（ステップＳ５）。また、ＧＷ３１，４１又はＦＧＷ６２，７２は、変電所機器６３，６４，７３，７４から送信される系統監視情報（ＴＭ情報）を受信すると、その系統監視情報（ＴＭ情報）を対象のサブシステムに送信する（ステップＳ６）。なお、サブシステムは、系統監視情報を受信した場合は、受信確認情報を返信しない。
【０１７０】
なお、ＧＷ３１，４１又はＦＧＷ６２，７２及び各サブシステムは、制御情報を正常に受信できなかった場合は、受信確認情報を送信しない。この場合、ＧＷ３１，４１又はＦＧＷ６２，７２及び各サブシステムは、制御情報を送信してから所定時間経過しても受信確認情報を受信しない場合は、再度、制御情報を送信する。
【０１７１】
次に、ＧＷ３１，４１及びＴＣ６１，７１の動作について説明する。図１１は、ＧＷ３１，４１及びＴＣ６１，７１が実行する処理を示すフローチャートである。なお、図１１に示す処理は、変電所６０，７０側からシステム側に系統監視情報が送信される場合の処理である。まず、ＴＣ６１，７１は、例えば定期的に変電所機器６３，７３から系統監視情報を収集する（ステップＳ１１）。次に、ＴＣ６１，７１は、収集した系統監視情報を通信回線１６０（ＴＣ回線）に伝送可能な情報（ＣＤＴ又はＨＤＬＣの伝送フォーマット形式の情報）に変換する（ステップＳ１２）。このとき、ＴＣ６１，７１がＣＤＴに対応する装置であればＣＤＴの伝送フォーマット形式に変換し、ＴＣ６１，７１がＨＤＬＣに対応する装置であればＨＤＬＣの伝送フォーマット形式に変換する。そして、ＴＣ６１，７１は、変換した系統監視情報を通信回線１６０を介してＧＷ３１，４１に送信する（ステップＳ１３）。
【０１７２】
ＧＷ３１，４１は、ＴＣ６１，７２から送信されたＣＤＴ又はＨＤＬＣの伝送フォーマット形式の系統監視情報を受信すると、受信した系統監視情報を国際標準の通信プロトコルの伝送フォーマット形式の情報に変換する（ステップＳ１４）。そして、ＧＷ３１，４１は、変換した系統監視情報をＷＡＮ２０を介して対象のＦＥＰ１５ａ，１５ｂ（つまりサブシステム）に送信する（ステップＳ１５）。
【０１７３】
なお、システム側から変電所６０，７０側に制御情報が送信される場合は、図１１に示す情報変換処理と逆の処理が行われる。つまり、ＧＷ３１，４１が国際標準の通信プロトコルのデータ形式の制御情報をＣＤＴまたはＨＤＬＣの伝送フォーマット形式の情報に変換し、ＴＣ６１，７１が通信回線１６０（ＴＣ回線）のデータ形式（ＣＤＴ又はＨＤＬＣの伝送フォーマット形式）の制御情報を変電所機器６３、７３の制御用の情報に変換する。
【０１７４】
次に、ＦＧＷ６２，７２の動作について説明する。図１２は、ＦＧＷ６２，７２が実行する処理を示すフローチャートである。なお、図１２に示す処理は、変電所６０，７０側からシステム側に系統監視情報が送信される場合の処理である。まず、ＦＧＷ６２，７２は、例えば定期的に変電所機器６４，７４から系統監視情報を収集する（ステップＳ２１）。次に、ＦＧＷ６２，７２は、収集した系統監視情報を国際標準の通信プロトコルの伝送フォーマット形式の情報に変換する（ステップＳ２２）。そして、ＦＧＷ６２，７２は、データ変換した系統監視情報を通信回線１７０又は１８０（図３及び図４参照）を介してＦＥＰ１５ａ，１５ｂ（つまりＧＷ３１，４１又はＷＡＮ２０）に送信する（ステップＳ２３）。
【０１７５】
なお、システム側から変電所６０，７０側に制御情報が送信される場合は、図１２に示す情報変換処理と逆の処理が行われる。すなわち、ＦＧＷ６２，７２が国際標準の通信プロトコルの伝送フォーマット形式の制御情報を変電所機器６４，７４の制御用の情報に変換する。
【０１７６】
次に、監視制御システムＳＹＳ−Ａのネットワーク構成について説明する。図１３は、本発明の第１実施形態に係る監視制御システムＳＹＳ−Ａのネットワーク構成を示す図である。図１３に示すように、監視制御システムＳＹＳ−Ａのネットワーク構成は、二重化された電力制御用ＩＰ網（広域ＩＰ網）４００，４１０で構成されている。電力制御用ＩＰ網４００，４１０は、３箇所のサーバ拠点３００，３１０，３２０と、店所給電所３３０（店所給電所のことを地方給電所ともいう。）と、複数の制御所３４０，３５０とを結ぶＩＰ網であって、例えばリング状の光ファイバ回線で構築されている。
【０１７７】
サーバ拠点３００は図１及び図２のデータセンター１Ａに相当し、サーバ拠点３１０は図２の第１サブデータセンターに相当し、サーバ拠点３２０は図２の第２サブデータセンターに相当する。また、サーバ３０１は図１のデータセンター１Ａに設けられた監視制御装置１０を構成するサーバに相当し、サーバ３１１は図２の第１サブデータセンター１Ｂに設けられた監視制御装置を構成するサーバに相当し、サーバ３２１は図２の第２サブデータセンター１Ｃに設けられた監視制御装置を構成するサーバに相当する。また、制御所３４０は図１の制御所３０に相当し、制御所３５０は図１の制御所４０に相当する。また、ゲートウェイ（ＧＷ）３４３は図１の制御所３０に設けられたＧＷ３１に相当し、ゲートウェイ（ＧＷ）３５３は図１の制御所４０に設けられたＧＷ４１に相当する。なお、図１では、ＧＷ３１は送電用変電所６０のＴＣ６１等に接続され、ＧＷ４１は配電用変電所７０のＴＣ７１等に接続されているが、図１３のＧＷ３４３は送電用変電所の伝送装置３６１及び配電用変電所の伝送装置３６２に接続され、図１３のＧＷ３５３は送電用変電所の伝送装置３７１及び配電用変電所の伝送装置３７２に接続されている。
【０１７８】
電力制御用ＩＰ網４００，４１０における第１光回線４００（リング状の外側の光ファイバ回線）上において、サーバ拠点３００にルータ３０２ａが設けられ、サーバ拠点３１０に３１２ａが設けられ、サーバ拠点３２０にルータ３２２ａが設けられ、それらのルータ３０２ａ，３１２ａ，３２２ａとサーバ３０１、３１１，３２１がそれぞれ接続されている。また、電力制御用ＩＰ網４００，４１０における第２光回線４１０（リング状の内側の光ファイバ回線）上において、サーバ拠点３００にルータ３０２ｂが設けられ、サーバ拠点３１０にルータ３１２ｂが設けられ、サーバ拠点３２０にルータ３２２ｂが設けられ、それらのルータ３０２ｂ，３１２ｂ，３２２ｂとサーバ３０１，３１１，３２１がそれぞれ接続されている。
【０１７９】
このように、各サーバ拠点３００，３１０間は、回線障害及び作業による回線停止を考慮し、冗長化を図ったネットワークとされている。なお、監視制御システムＳＹＳ−Ａに必要なサーバ３０１，３１１，３２１は、それぞれ、１系のサーバと２系のサーバを設けて冗長化（二重化）した構成でもよい。
【０１８０】
第１光回線４００上において、店所給電所３３０にルータ３３１ａが設けられ、制御所３４０に３４１ａが設けられ、制御所３５０にルータ３５１ａが設けられている。それらのルータ３３１ａ，３４１ａ，３５１ａは、それぞれ、シンクライアント３３２ａ、３４２ａ，３５２ａと接続されている。また、制御所３４０，３５０のルータ３４１ａ，３５１ａは、それぞれ、ＧＷ３４３，３５３とそれぞれ接続されている。また、第２光回線４１０上において、店所給電所３３０にルータ３３１ｂが設けられ、制御所３４０に３４１ｂが設けられ、制御所３５０にルータ３５１ｂが設けられている。それらのルータ３３１ｂ，３４１ｂ，３５１ｂは、それぞれ、シンクライアント３３２ｂ、３４２ｂ，３５２ｂと接続されている。また、制御所３４０，３５０のルータ３４１ｂ，３５１ｂは、それぞれ、ＧＷ３４３，３５３とそれぞれ接続されている。
【０１８１】
ＧＷ３４３は送電用変電所の伝送装置３６１及び配電用変電所の伝送装置３６２に接続されている。ＧＷ３５３は送電用変電所の伝送装置３７１及び配電用変電所の伝送装置３７２に接続されている。伝送装置３６１，３６２，３７１，３７２は、ＴＣやＦＧＷに相当する措置である。制御所３４０，３５０と送電用変電所及び配電用変電所との間は、既存の通信網を活用し構成する。
【０１８２】
なお、図１３には示していないが、非常災害時に必要最低限となる情報は、マイクロ波無線回線を用いたバックアップルートで伝送される。
【０１８３】
次に、本発明の系統監視制御サブシステム１１が実行する特徴的な系統監視制御について説明する。
【０１８４】
図１４は、給電所７００，７１０，７２０及び監視制御装置１０の系統監視制御サブシステム１１の構成を示すブロック図である。図１４に示す給電所（給電指令所ともいう。）は、需要家に対して電力を安定して供給するために、電力系統を合理的かつ効率的に総合運用する業務を担う組織である。給電所の業務には、需要と供給の均衡を保つように供給力を調整する需給運用業務と、電圧や電力潮流状況を把握して適正に維持するための系統運用業務がある。図１４に示すように、給電所は、その業務区分や電圧階級により、中央給電所７００（中央給電指令所ともいう。）、基幹系統給電所７１０（基幹系統給電指令所ともいう。）、都心系統給電所７２０（都心系統給電指令所ともいう。）に階層化されている。中央給電所７００は、主に需給運用業務を担当し、下位の給電所７１０，７２０を統括する。基幹系統給電所７１０と都心系統給電所７２０は、主に系統運用業務を担当し、電圧階級などによって指令範囲が区分されている。
【０１８５】
また、図１４に示すように、監視制御装置１０の系統監視制御サブシステム１１は、作成部１１ａと、制御部１１ｂと、情報送信部１１ｃと、事故情報送信部１１ｄと、停電情報掲載部１１ｅと、を備えている。なお、配電監視制御サブシステム１２及び統合ＮＷ設備管理サブシステム１３等の構成については、図１等に示した構成と同様である。
【０１８６】
作成部１１ａは、電力系統における設備の予定停止や電力系統の変更を含む操作を指令する手順表を作成する。すなわち、作成部１１ａは、停止計画業務において停止決定された停止件名を用いて、停止作業や系統変更などを行うための操作指令手順表及び機器個別操作手順表を計算機（サーバ）の一定のアルゴリズムを利用して又は手動により作成・修正する。ここで、操作指令手順表は、作業停止などの操作におけるおおまかな手順を定義し、機器個別操作手順表は、操作指令手順表の手順に対応する機器個別の詳細な操作の手順を定義している。
【０１８７】
給電所（例えば基幹系統給電所７１０又は都心系統給電所７２０）に設けられている給電システム（例えば給電システム７１１又は７２１）は、オペレータによる端末の操作に応じて、作成済の操作指令手順表及び機器個別操作手順表と、操作当日の初期系統とをそれぞれ端末のモニタへ表示する。作成済の操作指令手順表及び機器個別操作手順表は、監視制御装置１０に設けられているデータベースや手順・件名ＤＢ９２に記憶されている。また、給電所システムは、操作指令手順ステップや、この操作指令手順に対応する機器個別操作手順ステップごとに予定停止などの模擬実行を行うことが可能である。また、作成済の手順はオペレータにより承認が選択されることで承認済となる。
【０１８８】
操作指令手順の作成方式としては、手動方式、ファイル方式、毎日方式、及び論理方式の４つがある。手動方式は、オペレータがモニタに表示中の単線図等を用いて、設備・機器、運用用語を選択入力し、１操作指令手順毎に作成する。ファイル方式は、予め登録保存されている操作指令手順をコピーして作成する。毎日方式は、承認済となっている操作指令手順をコピーして作成する。論理方式は、停止件名データにもとづいて、一定のアルゴリズムにより自動的に操作指令手順を作成する。
【０１８９】
機器個別操作手順の作成方式としては、事前登録方式及び論理作成方式の２つがある。事前登録方式は、特殊な運用を行う設備・機器の機器個別操作手順を予め登録しておき、自動作成時に該当する機器個別操作手順をファイルから呼び出して作成する方式である。論理作成方式は、操作指令手順（設備、目的指令用語）と機器展開内容から、一定のアルゴリズムにより機器展開情報を並べ替え機器個別操作手順を作成し、機器個別操作手順と確認手順を追加して作成する方式である。
【０１９０】
図１５は、変電所における変圧器の一例を示す図である。図１６は、図１５に示す変圧器における操作指令手順表及び機器個別操作手順表の例を示す図である。図１５に示す変圧器（１号変圧器）は、開閉器♯１〜♯３（遮断器ともいう。）を備えている。また、図１５に示す１号変圧器の作業停止を指令する場合、図１６に示すように、操作指令手順表には例えば「１号変圧器の作業停止」という手順が記述され、操作指令手順表に対応する機器個別操作手順表には「開閉器♯１  開」「開閉器♯２  開」「開閉器♯３  開」という機器個別操作手順と、「電流なし確認」という確認手順などが記述されている。
【０１９１】
制御部１１ｂは、操作指令手順表及び機器個別操作手順表に記述されている手順に基づく指令を変電所における開閉器などの変電所機器に送信することで、手順表に記述されている操作を実行する。
【０１９２】
また、制御部１１ｂは、複数の給電所（基幹系統給電所７１０、都心系統給電所７２０、他の地方給電所など）の給電所システムからの同一変電所における同一の変電所機器に対する同時制御を回避するために、各給電所に付与する制御権を管理する。すなわち、制御部１１ｂは、所定の給電所に所定の変電所の変電所機器に対する制御権を付与した場合には他の給電所には同一の制御対象の制御権を付与しないように管理する。これにより、同一の制御対象に対する制御の排他がとられることとなる。
【０１９３】
情報送信部１１ｃは、電力系統における設備の充停電状態を監視し、監視対象の設備の充停電状態を管理するための第１情報と、停電状態の監視対象の設備の情報を管理するための第２情報とを給電所の端末に送信する。具体的には、情報送信部１１ｃは、現在の電力系統の状態（例えば、どの送電線が遮断されているかなどの状態）から監視対象として登録された設備の充停電状態を監視することで、遮断送電線に関する遮断送電線集約情報を作成する。遮断送電線集約情報は、監視対象の設備の充停電状態を管理するための負荷送電一覧情報（第１情報）と、停電箇所の監視対象の設備の情報を管理するための対象設備一覧情報（第２情報）とからなる。情報送信部１１ｃは、遮断送電線集約情報を給電所（中央給電所７００、基幹系統給電所７１０）の給電システムに送信する。負荷送電一覧情報は、給電システムに定周期に（例えば１０分毎に）送信される。給電システムは、情報送信部１１ｃから送信された遮断送電線集約情報をモニタなどに表示する。
【０１９４】
事故情報送信部１１ｄは、電力系統における停電を含む事故に関する情報（事故の内容、場所などの情報）を自動的に作成し、作成した事故に関する情報を給電所を含む関連個所に送信する。これにより、関連個所は、停電などの事故が発生した場合に直ちに事故の内容や場所などを確認することができる。停電情報掲載部１１ｅは、電力系統における停電情報を自動的に作成し、作成した停電情報を例えば電力会社のＷｅｂ上に自動的に登録して掲載する。これにより、停電情報を直ちに周知することができる。
【０１９５】
次に、監視制御システムにおける業務機能の一覧を以下に示す。
【０１９６】
監視制御システムにおける系統監視制御サブシステム１１の業務（系統運用業務）として、次の業務があげられる。
【０１９７】
系統監視；
運用者（オペレータ）は、系統監視盤およびモニタに表示される機器状態の表示情報、有効電力などの計測情報を用いて、電力系統の接続状況・作業状況・潮流状況・電圧維持状況、停電・設備異常の有無を監視する。
【０１９８】
運用者は、運用目標値、定格超過を監視するため、ＶＱＣパターンやＯＬＲ整定、設備別許容値をモニタから入力し、管理する。
【０１９９】
運用者は、送電線ＪＰの開放／接続があった場合、系統監視盤およびモニタのＪＰ開放マークと鉄塔番号を設定する。また、オフライン機器の状態が変更となった場合には機器状態を反映する。
【０２００】
運用者は、全水系についての総括的監視、水系別の状況監視、ダム貯水池の状況監視をモニタ画面から行う。
【０２０１】
系統操作；
運用者は、目的に応じて予定停止操作、系統変更操作、系統運用操作の操作指令手順、機器個別操作手順を作成する。審査者・承認者は、演習機能を用いて操作手順表を確認し、審査・承認を行う。
【０２０２】
運用者は、承認済みの手順表の停止件名、操作手順を関連箇所の変電システム、監視制御装置１０（配電監視制御サブシステム１２、統合ＮＷ設備管理サブシステム１３）に伝達し、打ち合わせを行う。
【０２０３】
運用者は、予定停止操作、系統変更操作、系統運用操作については事前伝達済の操作手順表を指令台に対応付けし、操作を実施する。急遽発生した操作等、手順表がないものについては、随時操作により操作を実施する。ここで、複数の給電所から変電所の設備の監視制御を可能とする。しかし、操作安全の観点から、同一変電所に対する同時制御を避けるため、系統監視制御サブシステム１１は、都心系統給電所、他の地方給電所（店所給電所、基幹系統給電所）、制御所との制御権を管理し、制御排他をとる。
【０２０４】
運用者は、急遽電圧調整が必要となった場合、随時操作により操作を実施する。
【０２０５】
記録；
系統監視業務で収集した表示情報、計測情報を自動で一定期間保存する。運用者は、必要に応じて保存された情報をモニタにグラフにて表示し確認する。
また、ＣＳＶ形式により任意のデータを取得し加工する。
【０２０６】
運用者は、オンラインで収集可能な２次系発電所、モニタの所定の画面に設定する。設定した発電所の発電力合計は毎分求められ、定められた周期で中央給電所に送信される。
【０２０７】
運用者が定めた計測箇所の有効電力値をもとに加工処理し、自給電所の管轄するエリアの総需要を求める。作業やトラブル等によりオンライン入力不可の場合、あらかじめ設定されたオフライン値を用いる。また、求められた総需要に含まれない自給電所需要、または含まれてしまう他給電所需要を加減するため、運用者は総需要補正率を計算し、設定する。
【０２０８】
運用者は、定められた時間にモニタに表示された情報をもとに他社、中央給電所に必要な情報を連絡する。
【０２０９】
運用者はモニタの給電概況画面に必要項目を入力し、当日の給電概況を作成、保存し、所定のフォーマットでイントラネット向けに発信する。
【０２１０】
運用者は、検出された特高需要家停止実績を出力し、管理する。
【０２１１】
系統事故；
運用者は、系統事故発生時に、系統監視盤およびモニタに表示された情報から、動作リレー、トリップＣＢ、停電設備を把握する。また、保存された事故前系統図、事故後系統図から停電電力を算出する。
【０２１２】
運用者は、事故発生時に停電復旧のために随時操作により操作を実施する。
【０２１３】
運用者は、定められたフォーマットに必要事項を記載、もしくは監視制御装置１０（系統監視制御サブシステム１１）が自動で作成したものを、関係箇所へＦＡＸにて送信する。中央給電所へは監視制御装置１０（系統監視制御サブシステム１１）から自動で送信される。系統監視制御サブシステム１１が自動で作成した重大事故速報を、関係箇所へ自動で発信する。
【０２１４】
事故発生時に必要な情報を変電システム、監視制御装置１０（配電監視制御サブシステム１２、統合ＮＷ設備管理サブシステム１３）、地中線端末に自動で送信する。また、事故記録として保存された情報をもとに、イントラおよび停電情報提供システムへ系統事故速報として自動で送信する。運用者は停電情報提供システム（Ｗｅｂページに情報を提供して掲載するシステム）へ手動で総括情報（例えば停電等の情報）を登録する。また、運用者が停電情報提供システムに手動で登録している総括情報を自動で登録できるようにする。
【０２１５】
広範囲の停電で事故、ＵＦＲ等の遮断が混在する場合、運用者は遮断送電線集約画面にて停電している送電線の停電種別（事故、ＵＦＲ等）が正しいか確認し、送電可否を入力し、中央給電所へ送信する。
【０２１６】
停止計画；
運用者は、予定作業停止操作、運用停止操作、系統変更操作を実施する場合、停止作業計画表に必要事項を入力して停止件名を作成する。
【０２１７】
訓練；
運用者はトレーナーと訓練者に分かれ、監視制御装置１０（系統監視制御サブシステム１１）の訓練シミュレータ機能を用いて訓練を実施する。トレーナー卓（１台）にてあらかじめ登録された訓練ケースを実行し、訓練者卓（ｎ卓）を使用して事故復旧訓練を行う。
【０２１８】
運用者は日勤者端末用PCから訓練センターシステム用データ収集メニューから、訓練センターシステム用にオンライン設定データ、運用計算データ、訓練ケースデータを収集してＤＡＴに保存する。訓練センターはＤＡＴにより訓練センターシステムに給電所のデータを入力する。
【０２１９】
データメンテナンス；
設備の新増設、廃止があった際、運用者はデータメンテナンスを行う計画をし、データ設計、メンテナンスを行う。データ切替後はデータが正しいことを確認する。
【０２２０】
システムを新たに導入する際、運用者はデータ運用切替前にシステムを試験系列にして関係する相手先や変電所との間のデータ確認試験を行う。
【０２２１】
運用者は、過去の自給電所の計測データを監視制御装置１０（系統監視制御サブシステム１１）から抽出し、２０ヶ月先までの毎月の月間最大予想潮流図を作成する。その後他給電所で作成したものと整合をはかり、他給電所計測データを反映した潮流図をもとに、停止調整業務を行う。また、同様に夏期最大予想潮流図、特異期間の潮流図等を作成し、期間中の系統運用対策を立案する。運用者は、任意の参照する過去計測データを指定することで、自身の給電所・他の給電所の過去実績を基にした潮流図が自動で作成される。
【０２２２】
運用者は、作業停止調整システム（ＬＪ１）で作成された予定停止作業計画表データと系統変更計画表データを外部記憶媒体を用いて停止件名登録用ＰＣに取り込み、監視制御装置１０（系統監視制御サブシステム１１）へ登録する。
【０２２３】
運用者は、過去の実績データを用い、適正な電圧維持ができるようＶＱＣの整定値を検討する。整定変更後は監視制御装置１０（系統監視制御サブシステム１１）に整定値を入力し、電圧監視を行う。
【０２２４】
システム監視；
運用者は、モニタを通じて装置間の情報伝送経路の異常発生を監視する。
【０２２５】
運用者は、モニタを通じて、監視制御装置１０（系統監視制御サブシステム１１）を構成する計算機（サーバ）、周辺装置など各種ハードウェアの状態を監視する。
【０２２６】
トラブル対応・情報連絡；
運用者は、電力設備トラブル時には必要に応じて随時操作により操作を実施する。
また、監視制御装置１０（系統監視制御サブシステム１１）にて異常情報メッセージを編集し、関係箇所へ送信しているものについて、送信失敗した場合は電話により連絡する。
【０２２７】
運用者は、異常発生時には必要に応じてモニタから各装置の運転モードの切替、バックアップ運転の開始を行う。また、給電所〜制御所間等で送受信される情報に問題が発生した場合、運用者は解析されたトレースデータを確認し、対応する。
【０２２８】
運用者は伝送される機器情報が正常でない場合、伝送情報をロックする。計測情報の欠落が認められる場合は必要によりオフライン値を設定し、記録の補間を行う。
【０２２９】
その他の業務；
運用者は、操作実施後の系統状況を確認するため、運用計算機能を用いて潮流計算、電圧計算、短絡計算を行う。また、配変・特高需要家の新設の際には、新設分の系統データを入力し、送電ロスが最小となるよう最適系統構成計算を実施して受電回線を決定する。
【０２３０】
運用者は、系統操作による様々な系統構成に対応して、ケーブル系統の対地静電容量による充電電流を補償する最適なＮＬタップ、ＮＬ用ＬＳの運用パターンを選択する。
【０２３１】
監視制御システムにおける配電監視制御サブシステム１２の業務として、次の業務があげられる。
【０２３２】
監視；
運用者は、登録している変電所の接続や変電所状態の全体を総合監視盤にて把握する。運用者は、配電線スケルトン、配電線街路図、２２ｋＶ系統図等により、配電線系統を把握する。
【０２３３】
運用者は、モニタを通じて、変電所の開閉器状態、電圧電流の状態、系統、設備事故、充電、停電の把握等、系統運用に必要な変電所機器を監視する。
【０２３４】
運用者は、モニタを通じて、配電機器（６ｋＶ配電線機器、配電塔機器、２２ｋＶ回線選択式変圧器等）の開閉器状態、電圧電流の状態、系統、設備事故、充電、停電の把握等、配電線運用に必要な配電機器を監視する。
【０２３５】
運用者は、モニタを通じて、２２ｋＶ顧客機器の開閉器状態、電圧電流の状態、系統、設備事故、充電、停電の把握等、２２ｋＶ系統運用に必要な２２ｋＶ顧客機器を監視する。
【０２３６】
運用者は、モニタを通じて、自制御所の配電機器の状態、事故検出等に必要な項目について、自制御所の配電線が繋がる他制御所が管轄する変電所の状態を監視する。
【０２３７】
運用者は、ＴＣの新設や取替に伴う運用開始前の試験を試験系状態で接続し実施する。
【０２３８】
制御；
運用者は、制御Ｇ運用範囲内の変電機器を個別操作する。
【０２３９】
運用者は、２２ｋＶ回線選択式変圧器機器、配電塔、６ｋＶ配電線機器の個別操作を実施する。
【０２４０】
運用者は、変電所の遠制、非遠制機器の作業中、試験中、操作禁止、入切の状態設定を実施する。
【０２４１】
運用者は、２２ｋＶ回線選択式変圧器機器、配電塔、６ｋＶ配電線機器の遠制、非遠制機器の作業中、試験中、操作禁止、事故停電、工事停電、健全停電、入切等の状態設定を実施する。
【０２４２】
運用者は、２２ｋＶ顧客機器の作業中、試験中、入切等の状態設定を実施する。
【０２４３】
運用者は、監視制御装置１０のダウン時にバックアップとして、２７５ｋＶ以下の変電所を給電所の指令を受けて操作する。
【０２４４】
運用者は、変電保守Ｇ運用範囲内の変電所の機器を個別操作する。
【０２４５】
運用者は、計画停電の停止・復旧の計画・手順書を作成し、実行する。
【０２４６】
運用者は、一括監視操作を実行することにより配電線自動開閉器に異常や状態がシステムと異なっていないか把握する。
【０２４７】
運用者に代わって、システムが定期的に自動で２２ｋＶ回線選択式機器の状態取得、センサ内蔵開閉器の各種センサ情報、記録を取得する。
【０２４８】
運用者は、現地センサ内蔵機器の整定値、設定値を遠方設定する。
【０２４９】
運用者に代わって、システムが自動的に配電用変電所のバンクのタップと配電線に設置されているセンサ内蔵ＳＶＲのタップを総合的に監視運用し、配電線の電圧を法律の適正範囲内となるように電圧制御を実施する。
【０２５０】
予定操作業務；
運用者は、変電所の２２ｋＶ以下機器の停止・切替の計画を作成する。
【０２５１】
運用者は、変電所の２２ｋＶ以下機器の停止・切替計画に基づく、手順書を作成する。
【０２５２】
運用者は、変電所の２２ｋＶ以下機器の停止・切替計画に基づく手順書により予定操作を実施する。
【０２５３】
運用者は、配電機器停止計画に伴う、他制御所が管轄する変電所の操作を依頼する。
【０２５４】
運用者は、配電機器停止計画に伴う、他制御所から依頼された変電所の操作を依頼に基づき実施する。
【０２５５】
運用者は、配電塔、６ｋＶ配電機器の停止・切替計画に基づく、手順書を作成する。
【０２５６】
運用者は、２２ｋＶ、６ｋＶ配電機器の停止・切替計画に基づく、手順書を作成する。
【０２５７】
運用者は、２２ｋＶ、６ｋＶ配電機器の停止・切替計画に基づく手順書により予定操作を実施する。
【０２５８】
システムが自動的に配電系統情報連携システムから連携される工事件名の切替可否判定依頼に対して予定系統作成機能・配電機器手順自動作成機能を利用し、工事予定日の配電線切替可否を判定し、応答する。
【０２５９】
事故時業務；
運用者に代わってシステムが自動的に、配電線機器を操作し、健全停電区間を復旧する。
【０２６０】
運用者は、変電所の動作リレー、トリップＣＢ、停電範囲を把握する。
【０２６１】
運用者は、変電所、配電塔、２２ｋＶ顧客機器の動作リレー、トリップＣＢ、配電線開閉器状態、停電範囲、事故区間を把握する。運用者は、顧客停電件数を把握する。
【０２６２】
運用者は、現場での事故捜査に基づき、個別操作により、復旧する。
【０２６３】
システム設計；
運用者は、モニタを通じて、変電所の運用に係わる（電圧監視、重過負荷監視、バンク切替時の切替先、操作順位、運転引継ぎ用帳票作成、変電所機器応動時間、配電自動化システムとの接続状態確認自動送信、一斉操作除外項目等）設定を実施する。
【０２６４】
運用者は、モニタを通じて、配電機器の運用に係わる（重過負荷監視、手順作成時の各種設定、配電線スケルトン表示方法、街路図表示方法、隣接変電所等）設定を実施する。
【０２６５】
運用者は、モニタを通じて、２２ｋＶ系統の運用に係わる（ＩＰＰの電力、表示の切り替え）設定を実施する。
【０２６６】
運用者は、変電所・配電機器の事前作成手順が、実施当日にそのまま使えるかどうかのシステム内での自動確認を何時実施するか設定する。運用者は、停止計画、手順書の終了後にどのタイミングで自動的にシステム上から内容を削除するかどうかを設定する。
【０２６７】
運用者は、制御室、宿直室、配電保守Ｇフロアー等に設置されている警報音声装置に対し、どの種類の警報、音声を出力するかの設定を実施する。
【０２６８】
運用者は、システムを使用するためのユーザとパスワード等のセキュリティーの設定を実施する。
【０２６９】
運用者は、一人でシステムを操作する為の各種支援機能の設定を実施する。
【０２７０】
運用者は、各種（手順表、負荷記録、停電顧客リスト、メッセージパネル等）印刷の設定を実施する。
【０２７１】
変電所の事故、配電線の事故時に、配電線の自動復旧の有無を設定する。配電線事故復旧の為の再生エネルギーを想定した配電線区間毎の電流値を設定する。
【０２７２】
データメンテナンス；
運用者は、変電所の設備データ、スケルトン、総監盤図、ＳＶ／ＴＭ状態一覧等のメンテナンスを実施する。
【０２７３】
運用者は、６ｋＶ配電設備の設備データ、スケルトン、街路図（ＭＡＰ）を業務システムからの連係により、自動または手動によりメンテナンスを実施する。２２ｋＶ系統図、回線選択式結線図、顧客結線図等のメンテナンスを実施する。
【０２７４】
運用者は、変電システム、配電システム、ＩＰＭ、地中線端末等、他のシステムと接続するためのメンテナンスを実施する。
【０２７５】
訓練；
運用者は、シミュレーションモードにおいて変電所の操作、事故等を訓練する。
【０２７６】
運用者は、シミュレーションモードにおいて配電機器の操作、事故、計画停電操作等の訓練や事故対策シミュレーションを実施する。
【０２７７】
運用者は、訓練所にてオンラインモードにおいて変電所の操作、事故の訓練や競技会を実施する。
【０２７８】
運用者は、訓練所にてオンラインモードにおいて配電機器の操作、事故の訓練や競技会を実施する。
【０２７９】
他システム連携；
運用者は、停止計画や手順書を監視制御装置１０（系統監視制御サブシステム１１、統合ＮＷ設備管理サブシステム１３）、他のシステム（例えば外部システム）と送受信する。非遠制機器の状態を変電システム、配電自動化システムなどとの間で送受信する。運用者に代わってシステムが自動的に異常情報、事故情報を地中線端末や配電自動化システムへ通知する。
【０２８０】
運用者は、変電所毎、バンク毎、配電線毎に停電情報提供システムへ事故情報を送信するかどうか設定を行う。設定により運用者に代わってシステムが自動的に、停電情報提供システムへ配電事故の情報を送信し、社外へ事故停電範囲の情報を公開する。
【０２８１】
運用者に代わってシステムが自動的に、配電機器の建設設計図、設備データと連係し、制御システム内の配電設備データの自動的メンテナンスを実施する。また、システムが自動的に配電系統の系統構成、記録等を配電情報管理システム側へ送信し、制御とは別Ｇの運用者が各配電業務（事故統計分析、配電設備計画業務、工事管理業務等）に使用する。
【０２８２】
運用者に代わってシステムが自動的に、雷情報提供システムから情報を取得し、配電線街路図、事故捜査図へ時間と場所をプロットする。
【０２８３】
制御支援；
制御Ｇの運用者だけでなく、配電保守Ｇ、支社設備総括Ｇ、支店、本店内の別Ｇ員においても変電所、配電機器の系統構成、状態、事故時の復旧状況、落雷地点、及び記録統計を確認する。ＣＳＶ形式にて情報取得をする。
【０２８４】
運用者は、配電保守Ｇ、および工事会社において、現地切替操作や事故時の現地調査、復旧に必要となる事故捜査図面の自動作成、管理を行う。
【０２８５】
運用者は、センサ内蔵機器の三相の電圧、電流、位相角、力率、高調波、及び、各種波形、記録等を管理し、事故分析や事故の予兆分析、電圧管理の業務を行う。
【０２８６】
運用者は、日直、宿直者間において業務引継ぎ帳票を作成する。
【０２８７】
運用者は、適正電圧の管理のために、柱上トランスのタップ値を管理する。
【０２８８】
記録統計；
運用者は、変電所の計測の記録を管理する。
【０２８９】
運用者は、配電機器の計測の記録を管理する。
【０２９０】
運用者が手動で、またはシステムが自動的に、未来系統の負荷予測の為に負荷モデルを作成する。
【０２９１】
システム監視；
運用者は、制御システムの状態（対向、監視制御、操作卓等各機能毎、接続ＬＡＮ状態、サーバの異常有無、ＣＶＣＦの異常状態有無）を管理する。
【０２９２】
運用者は、ＷＡＮ２０や通信回線に繋がる、システム、機器との伝送状態を管理する。
【０２９３】
システム管理；
運用者は、機能向上や障害改修後のアプリケーションについて対応内容により入替を実施する。
【０２９４】
運用者は、システム内データをバックアップし、制御Ｇ内とシステム管理箇所にて保管する。
【０２９５】
監視制御システムにおける統合ＮＷ設備管理サブシステム１３の業務（保全業務を含む）として、次の業務があげられる。
【０２９６】
運転引継；
設備運用責任者は、引継簿を作成し、責任者交代時に使用する。
【０２９７】
設備監視；
ＳＶ・ＴＭ情報を基に、変電所設備の状態・状変監視を行う。
【０２９８】
操作手順表作成；
監視制御装置１０（系統監視制御サブシステム１１、配電監視制御サブシステム１２）から受信した予定停止操作連係情報の停止計画情報、機器個別操作手順情報の管理を支援する機能を提供する。保守担当者が現地手順表を作成するための支援機能を提供する。
【０２９９】
事故・故障処理業務；
警報鳴動およびスケルトン部の機器シンボルのフリッカとともに状態反転（表示色変化）により把握する。
【０３００】
記録業務；
各機能により発生する変電所設備の保守に必要な情報を編集する。要求により編集した内容をプリンタへ出力する。
【０３０１】
要求機能；
信号変換装置にて保有している情報を要求し、返送情報を画面表示および記録出力する。
【０３０２】
設定値変更機能；
重過負荷監視・電圧監視を行うための設定値データを設定する。
【０３０３】
状態設定；
現地担当者とシステム担当者が連絡を取り合い、現地の機器状態とスケルトン画面の機器状態を合わせるため、非遠制機器・接地の状態設定を行う。また、現地担当者の安全を守るため、作業中・試験中設定を行う。
【０３０４】
作業件名管理；
停止予定を確認済みとした際、停止予定の情報から作業件名を自動的に作成する。
【０３０５】
受信した停止予定、あるいは監視制御装置１０（統合ＮＷ設備管理サブシステム１３）で作成した停止予定の変更、登録をする。
【０３０６】
次に、監視制御システムにおけるシステム機能の一覧を以下に示す。
【０３０７】
まず、系統監視制御サブシステム１１のシステム機能の具体例を以下に示す。
【０３０８】
系統監視；
・当該給電所が担当する地方電力系統のうち、系統運用上主要な系統のＣＢ、ＬＳの開閉状態、潮流（有効電力）、接地の着脱状態を系統盤へ表示する。また、ＣＢ・ＬＳ・リレーなどの全ての機器状態、有効電力・無効電力・電圧などの全ての計測値をモニタへ正しく表示する。
・収集したＣＢ、ＬＳ、リレーなどの機器状態変化発生時は、この内容をモニタ、系統盤へ運用者の要求時、あるいは常時表示する。
【０３０９】
・受信した情報を送受信規約で定められた内容であるか否かをチェックし、異常検出時はその内容を運用者へ通知する。
・また、通知後、運用者の要求に応じて、受信した異常内容をモニタへ表示する。
【０３１０】
・制御所、支社などに設置されている各計算機システム及び端末装置、ならびに変電所ＴＣとの情報伝達状況を監視し、異常を検出した場合は、運用者へ直ちに通知する。
・また、運用者の要求に応じて、モニタへ各装置の伝達状況を表示する。
・各システム、端末への情報伝達は使用／ロック設定できる。
【０３１１】
・ＣＢ、ＵＶＲなどの状変をもとに、停電、充電設備を判別し、運用者の要求に応じて停電、充電内容をモニタへ表示する。
・電力系統・設備の事故検出時、当該事故により停電した電力設備を判定し、運用者の要求に応じて停電内容をモニタへ表示する。
【０３１２】
・ＣＢ、リレーなどの状変をもとに電力系統の事故検出、事故設備の判別などを行い、この内容を運用者へ通知し、運用者の要求に応じてモニタへ事故内容を表示する。
【０３１３】
・電力系統の接続状態に応じて、発電機、基準母線、その他の設備による設備構成をもとに単独系統を判定し、運用者の要求に応じてモニタへ表示する。
【０３１４】
・電圧値が電圧基準値を中心として設定した電圧監視幅の上下限値から逸脱しているか否かを常時監視し、逸脱／復帰した場合は、この内容を運用者へ通知する。
・また、運用者の要求に応じてモニタへ電圧監視結果を表示する。
【０３１５】
・電圧フリッカ値が電力系統の運転基準である電圧フリッカ運転基準値を制限値として“１時間の間に運転基準値を超過した回数４回”以上となっているか否かを常時監視し、超過した場合は、この内容を運用者へ通知する。
・また、運用者の要求に応じてモニタへ電圧フリッカ監視結果を表示する。
【０３１６】
・有効電力が指令担当電力系統内の送変電設備の“運用目標値”を超過しているか否かを常時監視し、超過した場合は、この内容を運用者へ通知する。
・また、運用者の要求に応じてモニタへ運用目標値超過監視結果を表示する。
【０３１７】
・有効電力が送変電設備の“設備許容値”を逸脱しているか否かを常時監視し、超過した場合は、この内容を運用者へ通知する。
・また、運用者の要求に応じてモニタへ過負荷監視結果を表示する。
【０３１８】
・電流値情報が、システムにて設定された“監視値”を超過しているか否かを常時監視し、超過した場合は、この内容を運用者へ通知する。
・また、運用者の要求に応じてモニタへ電流超過監視結果を表示する。
【０３１９】
・有効電力及び無効電力情報から得られる皮相電力が指令担当電力系統内の設備の“ＭＶＡ運用目標値”を超過しているか否かを常時監視し、超過した場合は、運用者へ通知する。
・また、運用者の要求に応じてモニタへＭＶＡ監視結果を表示する。
【０３２０】
・ＯＬＲの動作状況（第１段動作、第２段動作など）を監視する。
当該ＯＬＲの１段から３段までのいずれかの動作を検出した場合は、運用者へ直ちに通知する。
・また、通知後、運用者の要求に応じてモニタへ当該ＯＬＲの動作状況を表示する。
【０３２１】
・地中線設備異常、送電線の故障点標定距離の設備異常を検出した場合は、当該設備の異常メッセージを作成し、支店給電所、保守担当箇所へ伝達する。
・零相電圧・零相電流・故障継続時間、変電設備異常を検出した場合は当該設備の異常情報として、ＳＶ・ＴＭ情報を用いて支店給電所、保守担当箇所へ伝達する。
【０３２２】
・ＰＣ動作を検出した場合、運用者に通知するとともに、運用者の要求に応じて検出したＰＣ動作の内容をモニタへ表示する。また、ＰＣ動作メッセージ情報を編集し、関係各所に送信する。
【０３２３】
・ＵＦＲ装置、火力系統分離リレー装置、系統安定化装置情報に関する使用／ロック状態を制御所、発変電所から収集し、接続母線とともに、運用者の要求に応じてモニタへ表示する。
【０３２４】
・制御所、発変電所から収集したリレー情報に基づいて、欠相送電を検出する。
欠相送電を検出した場合には運用者に通知するとともに、運用者の要求に応じて検出した異常内容をモニタへ表示する。
【０３２５】
・ＶＱＣ装置の運転パターン、運転モード及び装置状態情報を制御所、発変電所から収集する。また運用者の要求に応じてこれらの状態をモニタに表示する。
【０３２６】
・調相設備の投入容量、残投入容量を運用者の要求に応じてモニタに表示する。
【０３２７】
・雷などにより、事故点から極めて広範囲な地域に渡って発生する電力系統の瞬時電圧低下の監視を行い、瞬時電圧低下を検出した場合には、運用者に通知する。
【０３２８】
・事故発生時および運用者の要求時に電力系統の配変、局配、特高に関する停電箇所を検索するとともに、停電軒数を算出し、モニタおよびＬＢＰへ表示・出力する。
【０３２９】
・停電または瞬時電圧低下が発生した地区及び超重要需要家（特別高圧のお客様並びに高圧以下の顧客で超重要の指定がされている顧客を対象）を監視し、運用者の要求に応じて、これらの状態をモニタに表示する。
【０３３０】
・事故以外の要因による電力系統設備操作により、自支店給電所給電指令範囲内の特高需要家の供給線への電力供給が停止した時、当該特高需要家の停止時刻・停止内容等の編集を行い、運用者の要求に応じてモニタへ表示する。
【０３３１】
・オンラインの単線結線図・部分系統図画面より設定された作業設備の設定状況を編集し、運用者の要求に応じてモニタへ表示する。
【０３３２】
・各設備に所属する遠制可能設備の状態を運用者の要求に応じてモニタへ表示する。
【０３３３】
・ＬＮＧ設備の気化器などの停止により、ガス導管圧力の異常低下が発生した際、支店・給電所がガス導管圧力、ＯＲＶ稼働状況、主要ガスしゃ断弁状態やＬＮＧ基地から発信される火力発電機の出力抑制、しゃ断指令などの情報を受信し運用者に通知する。また、運用者の要求に応じてＬＮＧ設備状態をモニタへ表示する。
【０３３４】
・現伝送ポジション／新伝送ポジションの２つの伝送ポジションをデータベースに定義可能とし、現在運用中の伝送ポジションの状態を運用者の要求に応じてモニタに表示する。
・また、現伝送ポジション／新伝送ポジションにおいて、現在運用中伝送ポジションを運用者により切替可能とする。
【０３３５】
・監視値設定データの管理として、上記の各種機能に対し監視値を入力し、系統監視に利用する。
【０３３６】
・系統図上のジャンパーシンボルのある箇所でジャンパーの開放／接続表示が運用者により任意に変更することが出来る。また、オフライン機器の開閉状態についても、任意に変更できる。
【０３３７】
・オンラインで収集するダム水位、河川流量およびあらかじめ入力した水系の設備容量、制約条件などを水系図に表示し常時監視する。異常を検出した場合は、運用者へ通知し、運用者の要求に応じてモニタへ表示する。
・オンラインで収集したダム貯水池水位および発電所出力を用いて、一定周期に当該ダム貯水池貯水量および発電所使用水量を計算し、モニタに表示する。
【０３３８】
・オンラインで収集するダム貯水池水位から換算水位算出対象箇所を抽出し、一定周期に換算水位を計算し、結果をモニタに表示する。
・運用者の要求により、発電可能電力量、揚水可能時間を要求時のダム貯水池水位および発電所出力または運用者が設定した値を用いて計算し、結果をモニタに表示する。
【０３３９】
・水系関係記録は一定期間保存し、運用者の要求に基づき、定められたフォーマットで表示、出力する。
【０３４０】
系統操作；
・停止計画業務において停止決定された停止件名を用いて、停止作業や系統変更などを行うための操作指令手順表・機器個別操作手順表を計算機（サーバ）の一定のアルゴリズムを利用したり、モニタ画面よりの会話方式をもちいて作成・修正する。
作成済の操作指令手順表、機器個別操作手順表と操作当日の初期系統をそれぞれモニタへ表示し、操作指令手順ステップ、当該操作指令手順に対する機器個別操作手順ステップごとに模擬実行を行うことを可能とする（演習機能）。
また、作成済の手順は承認を選択することで承認済とする。
【０３４１】
上記の操作指令手順の作成方式は、
１．手動方式
モニタに表示中の単線図等を用いて、設備・機器、運用用語を選択入力し、１操作指令手順毎に作成する。
２．ファイル方式
登録保存している操作指令手順をコピーして作成する。
３．毎日方式
承認済となっている操作指令手順をコピーして作成する。
４．論理方式
停止件名データにもとづいて、一定のアルゴリズムにより自動的に操作指令手順を作成する。
【０３４２】
上記の機器個別操作手順の作成方式は
１．事前登録方式
特殊な運用を行う設備・機器の機器個別操作手順をあらかじめ登録しておき、自動作成時に該当する機器個別操作手順をファイルから呼び出して作成する方式。
２．論理作成方式
操作指令手順（設備、目的指令用語）と機器展開内容から、一定のアルゴリズムにより機器展開情報を並べ替え機器個別操作手順を作成し、４３機器操作手順と確認手順を追加して作成する方式。
機器個別操作手順の作成方式は上記の方式とし、特殊な設備形態も含めて全ての設備に対して正しい手順に展開される。
【０３４３】
・「系統運用操作」釦を押下し、系統運用操作モードに入り、操作指令手順・機器個別手順を作成する。手順は１手順ずつ任意に実行することができ、系統運用操作モードを解除するまで、任意に手順追加可能とする。「系統運用操作」釦押下後から系統運用操作モード解除までの一連の操作履歴を１つの件名として扱う。
【０３４４】
・作成された操作件名により、操作指令手順表・機器個別操作手順表を計算機の一定のアルゴリズムを利用したり、モニタ画面よりの会話方式をもちいて作成・修正する。
・作成済となった手順に対しては演習機能の実行を可能とする。
・また、作成済の手順は承認を選択することで承認済とする。
【０３４５】
・承認済の予定停止操作・系統変更操作に関して、配電制御・保全に該当電気所の操作指令手順および機器個別操作手順を事前伝達し、系統制御は手順受信結果「良ｏｒ否」を受信する。
【０３４６】
・事前伝達完了済の手順を指令卓に対応付けし、操作対象電気所の制御権を取得する。１手順または複数手順の操作実行により、個別手順に従って直接操作を行う。全ての設備に対して、正常に直接操作可能とする。ここで、複数の給電所から変電所の設備の監視制御を可能とする。しかし、操作安全の観点から、同一変電所に対する同時制御を避けるため、系統監視制御サブシステム１１は、都心系統給電所、他の地方給電所（店所給電所、基幹系統給電所）、制御所との制御権を管理し、制御排他をとる。
【０３４７】
・作成済の手順を順序通りに指令実行を行う。系統運用操作モードを終了するまでは任意で手順追加・実行を可能とする。
【０３４８】
・承認済の手順を指令卓に対応付けし、操作対象電気所の制御権を取得する。１手順または複数手順の操作を実行する。
【０３４９】
・「直接選択操作」釦を押下し、直接選択モードに入る。モニタに表示された系統図上の機器を選択し、制御権を取得する。メニューから操作用語を選択することで操作を行う。
【０３５０】
・上記操作により電圧調整を行う。
【０３５１】
記録；
・前年度、当年度および来年度の３年分を常に有し、毎年の年度替わり時点で新たな来年度カレンダーの自動作成および新たな前年度と当年度カレンダーの自動更新を行う。
・カレンダー画面より代表日および休日は運用者の要求により当該カレンダー画面から設定変更ができる。
【０３５２】
・遮断器、断路器および保護リレーなどの機器状態を表す表示情報、および電力設備の有効電力、無効電力、電流および電圧などの計測情報を、運用者の指示した時刻到来時に電力潮流図上に編集し、自動出力する。
・また、毎斉時の同情報を所定のファイルに一定期間保存し、運用者の要求に従い電力潮流図上に編集し出力する。
【０３５３】
・発変電所、特高需要家、および電力設備に関する属性情報を運用者の要求に従い出力する。また、同各種情報および運用情報は、データメンテナンスおよびモニタ画面からの設定処理で修正可能とする。
【０３５４】
・特高需要家の供給線が、停止および復旧した都度、データの保存を行う。
停止実績データは２ヶ月分保存する。
・支店、支社、ＰＰＳ特高ごとに入力データを画面出力する。
【０３５５】
・設備別稼働記録、総需要情報および気象情報として収集され保存された情報をグラフにて表示する。
【０３５６】
・気象情報を５分毎に保存し、運用者の要求に従い所定のフォーマットに編集し出力する。気象情報に関する各種情報は、モニタ画面から設定処理で修正可能とする。
【０３５７】
・ガス基地の気化器、ガス導管しゃ断弁、減圧弁の状態が変化したときの検出時刻、ガス基地名、設備名、機器名、方向を保存し、必要により、モニタ画面の表示及び、ＬＢＰへの印字処理を行う。
・警報・緊急対応・保安装置動作状変記録を、それぞれ保存し、必要によりモニタ画面の表示及びＬＢＰへの印字処理を行う。
・ＬＮＧガス導管圧力を５分毎に保存し、運用者の要求に従い所定のフォーマットに編集し出力する。
【０３５８】
・数値データ（７５０日分）、状変記録データ（１０００００件）および特高需要家停止実績データ（８０００件は、１日に一度、自動的に日勤ＤＢサーバでデータベースに登録する。
【０３５９】
・承認済手順表（１０００件）、操作済手順表（１５０００件）を日勤ＤＢサーバへ転送し、データベースに登録する。
・潮流図については毎日代表時点４点を４００日分保存する。
【０３６０】
・対象となる計算機を指定することにより、システム診断結果、各種ログファイルをひとつにまとめ、圧縮した形式で日勤ＤＢサーバのディスクに転送する。
【０３６１】
・該当するサーバを指定し、時刻や情報種別を設定することで条件に合ったデータを日勤ＤＢサーバのディスクに転送する。
【０３６２】
・毎日、前日分の自給電所内ＴＭデータの１分値を停止件名入力用ＰＣへ保存する。保存される日数は４００日分とする。当日の１分値データは運用者の要求により、当日０時から要求時点までのＣＳＶファイルを作成し、停止件名ＰＣへ保存する。
【０３６３】
・オンラインで収集した系統別発電力算出対象設備の有効電力とオフラインで設定した２次系発電所、あらかじめ運用者が設定した系統別発電力補正値を用いて１分周期に系統別の発電力を計算し、中央給電所システムへ送信する。
【０３６４】
・あらかじめ定められた計測箇所から収集した有効電力値をもとに加工処理し、エリア需要を計算する。また、中央給電所より受信するＰＰＳのお客様の需要をエリア需要から差し引いた当社需要を算出する。
・各給電所は、給電所で計算したエリア現在需要および当社現在需要情報を毎分関係給電所へ送信する。また、全店エリア需要、全店当社需要を中央給電所より毎分受信し５分周期で保存する。
・各処理により得た各値は、各々定められたファイルに一定期間保存し、運用者の要求に従い、定められたフォーマットで編集し、指示された装置に出力する。
【０３６５】
・他社との連係点において、毎斉時に融通電力量を計算し、モニタに記録する。毎斉時に求めた値から、６時間合計、１日合計を算出する。
・記録は当日前日の２日分保存する。
【０３６６】
・他社発電所（君津共同火力、新日鐵）の送電電力量および受電電力量の計測情報などから他社の送電・受電実績の１時間値を算出し、保存する。
【０３６７】
・給電概況を作成し、２４時に前日分の給電概況、斉時に当日の給電概況データを保存する。イントラへは手動または斉時保存処理終了後に自動送信を行う。
【０３６８】
・特高需要家の供給線が、停止および復旧した都度、データの保存を行う。
停止実績データは２ヶ月分保存する。支店、支社、ＰＰＳ特高ごとに入力データを画面出力する。
【０３６９】
系統事故；
・保護リレーまたは全停ＵＶＲの動作が検出された場合、停電設備グループ情報と保護リレー、開閉器の動作情報とを用いて、複雑な系統事故発生時も正しく事故設備判定を行い、運用者へ通知する。
・発生した事故は件名ごとに保存され、当該件名の事故前系統・事故後系統を保存する。
・事故件名は１件ごとに正しく作成され、不要な件名は作成されない。
【０３７０】
・系統操作により停電復旧操作を行う。
【０３７１】
・事故件名を編集した事故Ｎｏ．単位に重大事故速報を自動作成し、定められたフォーマットで帳票印字を行い、同時に系給・ＰＣへ送信する。自動作成した内容含め指令台にて修正／入力ならびに再印字が可能であり、入力した内容はＣＳＶ変換して外部出力が可能である。また、系統制御システムが自動で作成した重大事故速報を、関係箇所へ自動で発信する。
【０３７２】
・事故発生時、保守情報（動作リレー、事故設備名、停電箇所、零相電圧・電流、再閉路・再送電の結果など）を変電システム、ＰＣ地端、配電自動化システム、監視制御装置１０（配電監視制御サブシステム１２）へ送信する。
・また、停電事故情報（事故設備名、停電箇所名、復旧状況など）をイントラへ送信する。また、停電情報提供システムの総括情報に自動で情報を登録する。
【０３７３】
・現在系統状態から監視対象として登録された設備の充停電状態を表示し、中央給電所・基幹系統給電所システムへ送信する。遮断送電線集約情報は、充停電状態を管理する負荷送電一覧情報と、停電箇所情報監視対象設備の情報を管理する対象設備一覧情報からなる。
・負荷送電一覧情報は中央給電所・基幹系統給電所システムへ所定時間（１０分）ごとの定周期で送信する。
【０３７４】
停止計画；
・予定作業停止操作、運用停止操作を実施する場合は、停止作業計画表に必要項目を入力して停止件名を作成する。また、系統変更操作を行う場合は系統変更件名に必要項目を入力し、作成する。
・決定された停止件名は、運用者の伝達要求により、関係する事業所に伝達される。
【０３７５】
訓練；
・訓練の準備、環境の設定および訓練の指示等を行う「トレーナー」と、実際に訓練を行う「訓練者」とに分かれて訓練を実施する。
・トレーナー卓は１卓、訓練者卓は複数卓で１つの訓練を実施可能とする。
・１つの訓練件名は件名管理データ、初期系統データ、事故データで構成され、ＯＬＲデータ、発電機・配変バンク容量データ、設備異常メッセージデータは全ての訓練件名に使用できる共通データとする。
【０３７６】
・日勤者端末用ＰＣのメニューからシステムのオンライン設定データ、運用計算データ、訓練ケースデータ、設備ＤＢを収集し、訓練センターシステムにて取得できる形式でＤＡＴに保存する。
【０３７７】
データメンテナンス；
・電力系統設備の拡充・廃止・変更に伴って生じる計算機システム内の全てのデータの変更に対し、データ入力、合理性チェック、データ試験、運用切替を可能とする。
【０３７８】
・各種データのデータメンテナンス後、システム内でクローズする「内部試験」、データ連係を行う送信先システム・装置などの各システム相互間で、監視制御情報、運用情報などの模擬情報を送受信しながら実施する「外部試験」を実行可能とする。
【０３７９】
系統計画；
・予想総需要、過去の日時（複数可）等必要項目を入力することで、実績データをもとにした、合計が指定した需要となる潮流図を作成する。作成された予想潮流図は印字、ファイル出力（潮流図、負荷データ）を可能である。
【０３８０】
・停止件名用ＰＣから、作業停止調整システム（ＬＪ１）で作成された予定停止作業計画表データと系統変更計画表データを読み込む。読み込んだデータは監視制御装置１０（系統監視制御サブシステム１１）にて運用可能となるように編集処理が行われ、監視制御装置１０（系統監視制御サブシステム１１）へ送信される。
・送信された件名は、予定停止操作、系統変更操作の件名として用いることが可能となる。
【０３８１】
システム監視；
・ハローコール電文プロトコルを用いて、主モードのシステムコンソールとその他の装置間の通信路を監視する。ＬＡＮ異常を検出した場合、自装置に異常が発生したのか、相手装置に異常が発生したのかを判定する。
・二重化されているＬＡＮの異常を検出した場合、異常となった通信路を回避し、正常な通信路に切り替えることにより、通信処理を継続する。
・全装置のＬＡＮ状態、運転モード、ＤＢバージョンなどの構成制御情報をハローコール電文に載せることにより、各装置において管理されている構成制御情報を等価する。
【０３８２】
・監視制御装置１０（系統監視制御サブシステム１１）を構成する計算機、ＬＡＮ、周辺機器などの各種ハードウェアの状態を常時監視し、異常発生時には障害の程度（重故障／軽故障）に応じてモード遷移を行う。
・運用者からの要求によりモード遷移、バックアップ運転を実施し、システムの運用状況のモニタ表示、印字出力を可能とする。
・また、外部システムとの間の通信ルートの監視・ルート切り替え、周辺装置の切り替え・障害監視などを行う。
【０３８３】
トラブル対応・情報連絡；
・電力設備の異常発生時、系統操作が必要な場合は、状況に応じて系統操作機能により操作を実施する。
【０３８４】
・システムに発生した障害の程度（重故障／軽故障）に応じて自動でモード遷移を行う。また、運用者により、サーバのモード遷移、バックアップ運転の開始／終了等をモニタより実施可能とする。
・二重化したＬＡＮに異常が発生した場合、異常発生した箇所に応じて、通信処理が継続されるよう自動でＬＡＮを切り替える。
制御所、変電所間で送受信される情報（ＳＶ、ＴＭ、指令情報）に問題が発生した場合はトレースデータを表示し確認する。また、日勤者端末用ＰＣから解析されたトレース情報を確認可能とする。
【０３８５】
・伝送される機器情報、リレー情報等が異常である場合、系統図より機器・リレー情報をロックする。
・計測情報の欠落が発生した場合は運用者に通知を行う。総需要の算出に用いられている計測情報が欠落した場合、総需要実績記録の現在総需要値の固定位置にマーク（例えば「＊」）を付加し、表示する。情報欠落時は、運用者が設定したオフラインの値を用いて総需要を算出する。
【０３８６】
その他の業務；
・現在系統、将来系統（設備増設等の変更を入力可能）を選択し、系統条件（現在系統、あらかじめ入力された１０件の系統条件）と需給条件（現在需給、あらかじめ入力された１０件の需給条件）を設定することでＮＴＲ法により電圧計算を行う。
【０３８７】
・現在系統、将来系統（設備増設等の変更を入力可能）を選択し、系統条件（現在系統、あらかじめ入力された１０件の系統条件）と需給条件（現在需給、あらかじめ入力された１０件の需給条件）を設定することでＦＤＣ法により潮流計算を行う。
【０３８８】
・現在系統、将来系統（設備増設等の変更を入力可能）を選択し、系統条件（現在系統、あらかじめ入力された１０件の系統条件）と需給条件（現在需給、あらかじめ入力された１０件の需給条件）を設定することでＦＳＣ法により短絡計算を行う。
【０３８９】
・現在系統、将来系統（設備増設等の変更を入力可能）を選択し、系統条件（現在系統、あらかじめ入力された１０件の系統条件）と需給条件（現在需給、あらかじめ入力された１０件の需給条件）を設定することでＦＤＣ法により最適系統構成を計算し、送電損失最小のものから最大１０ケースの結果を表示する。
【０３９０】
・系統操作による様々な系統構成に対応して、ケーブル系統の対地静電容量による充電電流を補償する最適なＮＬタップ・ＮＬ用ＬＳの運用パターンを計算し、補償率の高い上位３つを計算結果として表示する。
・２つの火力発電所の両方のＮＬを組み合わせてパラメータとし、最適運用パターンを求める計算モード、２つの火力発電所のうち一方のＮＬを固定とし、もう一方の火力ＮＬをパラメータとして最適運用パターンを求める計算モードを実行可能とする。
【０３９１】
配電監視制御サブシステム１２のシステム機能の具体例を以下に示す。
【０３９２】
監視；
・変電所から収集したＣＢ、ＬＳ等の機器状態と系統の接続状態を表示する。
・変電所毎の作業中、継続故障、接地、扉の状態を表示する。
・線路の作業中札、試験中札、接地中札、送電線縁切断作業中などの現地作業状態を表現する。
・状態はリアルタイムに反映する。
・電圧階級毎の強調表示等を切替が出来る。
・操作卓画面、大型ディスプレイ（総監盤）へ表示する（３画面構成）。
【０３９３】
・変電所毎の各種機器、リレーの入切状態、作業中、試験中、操作禁止、充停電等の状態、ＴＭ状態、系統接続を表示する。
・変電所ＴＣ毎の制御権、ＴＣ異常の有無、搬送部の異常有無、機能ロックの有無、操作前連絡の要否等変電所ＴＣ毎の状態を表示する。
・中継装置からの受信データにより配電線電流を表示する。
・状態変化は、リアルタイムに反映する。
・スケルトンを使い、個別操作、状態設定、手順書作成、機器の諸元表示、監視などに使用する。
・ＤＳＰ１、３にそれぞれ２画面、最大４画面同時に変電所スケルトン表示が出来る。
【０３９４】
・２階層未対応変電所等の中継装置経由変電所毎の各種機器、リレーの入切状態、作業中、操作禁止、充停電等の状態、ＴＭ状態、系統接続を表示する。
・変電所ＴＣ毎のＴＣ異常の有無、機能ロックの有無等変電所ＴＣ毎の状態を表示する。
・状態変化は、リアルタイムに反映する。
・スケルトンを使い、状態設定、手順書作成、機器の諸元表示、監視、操作依頼などに使用する。
・ＤＳＰ１に最大２画面の変電所スケルトンが表示できる。
【０３９５】
・配電塔毎の各種機器、リレーの入切状態、作業中、試験中、操作禁止、充停電等の状態、ＴＭ状態、系統接続を表示する。
・中継装置経由の状態と配電塔ＴＣＰ／ＩＰ回線経由の状態の２通りのスケルトンを切替表示が可能。
・状態変化は、リアルタイムに反映する。
・スケルトンを使い、個別操作、状態設定、手順書作成、機器の諸元表示、監視などに使用する。
・ＤＳＰ１に最大２画面の変電所スケルトンが表示できる。
【０３９６】
・6ｋＶ配電線毎の自動開閉器、手動開閉器の入切状態、開閉器の各種ＴＭ状態、線路・開閉器の作業中、操作禁止、充停電、事故停電、工事停電などの状態、系統接続、配電線区間番号を表示する。
・状態変化は、リアルタイムに反映する。
・表示は、開閉器、線路の並びで２種類の表示方法、開閉器の種類（自動開閉器のみ、自動手動開閉器両表示）に基づく２種類の方法によりそれぞれ表示する。
・スケルトンを使い、個別操作、状態設定、手順書作成、機器の諸元表示、監視などに使用する。
・架空、地中両開閉器のシンボルを表示する。
・ＤＳＰ３に最大２画面の配電線スケルトンが表示できる。
【０３９７】
・６ｋＶ配電線毎の自動開閉器、手動開閉器の入切状態、開閉器の各種ＴＭ状態、線路・開閉器の作業中、操作禁止、充停電、事故停電、工事停電などの状態、系統接続を表示する。
・状態は、リアルタイムに反映する。
・表示は、共用地形図上に６ｋＶ各種機器、電柱、架空電線、地中ケーブル等各種シンボルにて表示する。シンボル、シンボル名称はレイヤ分けされており、表示・非表示の選択が可能。
・各種強調表示やシームレス表示、位置変更が出来る。
・スケルトンを使い、個別操作、状態設定、手順書作成、機器の諸元表示などに使用する。
【０３９８】
・中間変電所（２２ｋＶ電圧階級あり）の２２ｋＶ母線及び配電線部分のＰＴＣＢ、Ｗ、接地等の変電所部分の状態、２２ｋＶ配電線路に係わるリレー状態、２２ｋＶ顧客機器状態、２２ｋＶ回線選択式変圧器の受電部分の機器状態、ＴＭ状態、充停電状態、系統接続を表示する。
・機器の諸元、状態、ＴＭの記録を表示する。
・系統図は、ＷＡＮ２０や通信回線からのそれぞれの情報からシンボル、区間の色づけを実施する。
・状態は、リアルタイムに反映する。
・スケルトンを使い、個別操作、状態設定、監視などに使用する。
【０３９９】
・２２ｋＶ回線選択式変圧器の機器状態、各種ＴＭ状態、作業中、試験中、充停電状態、系統接続等を表示する。
・状態はリアルタイムに反映する。
・結線図を使い、個別操作、状態設定、監視などに使用する。
【０４００】
・変電所、バンク、配電線、配電線開閉器、事故停電区間、事故配電線、切替中配電線等、各種一覧表を表示する。
・状態はリアルタイムに反映する。
・各種一覧表を使い、監視などに使用する。
【０４０１】
・送配電系統の状変、操作、事故検出、停止計画情報、手順情報、メッセージ等のシステム間受信情報、各種機器との接続状態変化等の記録を表示、出力する。
・モード別（オンライン、シミュレーション）、制御モード別（系統制御、配電制御、保全）、記録種別、設備種別によりソートが出来る。
・自動・手動印刷ができる。期間を指定して印刷が出来る。
・各種監視、制御に使用する。
【０４０２】
・状変、事故時、システム異常時、操作時等に警報、音声を出力し管理する。
【０４０３】
・各種画面印刷が出来る。
・スケルトンの表示色の反転印刷が出来る。
【０４０４】
・直接制御回線を使用し、ＴＣへの監視制御用情報、システム間、ＤＸ−ＧＷ経由の各システムとのデータの送受信を実施するための、イニシャル管理、先着優先管理、パケットの組立、情報の順序性管理、接続状態管理、セキュリティ管理を実施する。
【０４０５】
・中継装置回線を使用し、変電所、配電塔、６ｋＶ配電線機器の監視制御データの送受信を実施するための、イニシャル管理、パケットの組立、情報の順序性管理、接続状態管理、セキュリティ管理を実施する。
【０４０６】
・変電所のＴＣ、各機器、リレー、ＴＭの各種状態を管理する。
・各種状態変化に伴う、警報、メッセージパネルへの出力、フリッカ管理、記録管理、事故検出機能、変電所操作機能、配電線状態更新機能等各種機能へ状態を通知する。
【０４０７】
・変電所の機器状態から母線、配電線の充停電更新を行う。
【０４０８】
・６ｋＶセンサ内蔵配電線機器光回線を使用し、センサ内蔵配電線機器との間において、監視制御、記録、波形等の各種データの送受信を実施する。
・自動的にセンサ内蔵配電線機器に対し、定周期送信要求を実施する。
【０４０９】
・配電塔ＴＣＰ／ＩＰ回線を使用し、配電塔機器との間において、監視制御データの送受信を実施する。
【０４１０】
・２２ｋＶＩＰマネージャ回線（ＴＣＰ／ＩＰ）を使用し、２２ｋＶ変電所機器のＳＶ・ＴＭ情報、２２ｋＶ顧客機器情報、水力系ＴＣからのＳＶ・ＴＭ情報データの送受信を実施する。
【０４１１】
・２２ｋＶ回線選択式変圧器回線を使用し、２２ｋＶ回線選択式変圧器のＳＶ・ＴＭ情報、制御情報の送受信を実施する。
・自動的に２２ｋＶ回線選択式変圧器に対し、定周期送信要求を実施する。
【０４１２】
・６ｋＶ配電線開閉器の各種状態を管理する。
・各種状態変化に伴う、警報、メッセージパネルへの出力、フリッカ管理、記録管理、事故検出機能、変電所操作機能等各種機能へ状態を通知する。
・変電所、配電塔の状態変化からも状態を作成する。
【０４１３】
・配電塔機器のＴＣ、各機器、リレー、ＴＭの各種状態を管理する。
・各種状態変化に伴う、警報、メッセージパネルへの出力、フリッカ管理、記録管理、事故検出機能、変電所操作機能、配電線状態更新機能等各種機能へ状態を通知する。
【０４１４】
・２２ｋＶ変電所機器、２２ｋＶ顧客機器、２２ｋＶ回線選択式変圧器機器の各種状態を管理する。
・各種状態変化に伴う、警報、メッセージパネルへの出力、フリッカ管理、記録管理、事故検出機能、変電所操作機能等各種機能へ状態を通知する。
【０４１５】
・６ｋＶ配電線の各種状態変化に伴う系統の充停電、状態等の更新を行う。
【０４１６】
・配電塔の各種状態変化に伴う系統の充停電、状態等の更新を行う。
【０４１７】
・２２ｋＶ変電所機器、22ｋ顧客機器、２２ｋＶ回線選択式変圧器機器の各種状態変化に伴う系統の充停電、状態等の更新を行う。
【０４１８】
・試験系にて、ＷＡＮ２０等を経由した変電所ＴＣと接続し、監視、制御、状態管理、状態更新もオンライン系とは別に管理を行う。
【０４１９】
制御；
・各操作卓から変電所、６ｋＶ配電線機器、２２ｋＶ変電所、顧客、回線選択式変圧器機器の個別操作、一括監視（複数同時監視制御）、予定操作手順操作、状態設定に伴う、操作可否チェック、操作内容音声要求、実行要求を実施する。
・実行に伴う応答に対し、結果の出力を実施する。
・各種操作に伴う、状態遷移を管理する。
・操作卓毎に配電線のエリア別操作可否設定が出来る。
【０４２０】
・各操作卓、及び事故時機能、カレンダー機能からの操作要求に対して、システム是全体の排他管理、変電所直接制御機能・６ｋＶ開閉器監視制御機能の状況管理を実施する。
・実行の並列処理管理を実施する。
・変電所直接制御機能、６ｋＶ開閉器監視制御機能、２２ｋＶ機器監視制御機能、ＣＰＵ再閉路機能への要求を実施する。
・要求、応答に対する各機能及び、操作卓との情報の交通整理を実施する。
・結果を各操作卓の操作管理へ返信する。
【０４２１】
・変電所のＴＣ・機器への監視制御操作、状態設定、状態要求に対する、各種チェックを行い、対応するフォーマットを作成し、通信回線対向部機能へ要求を実施する。
・応答に対し、異常有無、不応動等の管理を実施し、結果を実行管理機能へ返信する。
【０４２２】
・変電所の配電線個別再閉路リレーが無いＴＣにおけるシステム内再閉路管理を実施する。
・一括再閉路リレー、ＣＰＵ再閉路リレーの状態により、変電所毎に再閉路に関する状態を管理する。
・状態により、変電所ＣＢトリップ時にＣＢ投入再閉路操作要求を自動的に実行管理機能へ実施する。
【０４２３】
・変電所に対し、制御権取得箇所要求、ＳＶ要求、ＴＭ要求、作業中要求、試験中要求、ＳＯＥ要求、変電所詳細ＳＴＳ要求を実施する。
・要求応答に対し、結果を画面へ表示する。
【０４２４】
・指定日時により、自動的に記録の出力要求、自動的に平日／休日の変電所機器切替操作要求を実施する。
・指定日時により、センサ内蔵開閉器に対し、整定値・設定値情報取得、１日データ、１ヶ月データ、１年データの各種情報の取得要求を実施する。
【０４２５】
・６ｋＶ配電線機器への監視制御操作、状態設定に対する、各種チェックを行い、中継装置回線対向部機能または、中継装置模擬機能へ要求を実施する。
・応答に対し、異常有無、不応動等の管理を実施し、結果を実行管理機能へ返信する。
・６ｋＶ専用線開閉器（受信不能対策）については、専用線親局が設置された変電所向けに監視制御を実施する。
【０４２６】
・中継装置向けに配電線電流要求、ＳＶ要求を実施、管理する。
【０４２７】
・センサ内蔵配電線機器が内部で保存している記録、波形、動作履歴、設定値に対する取得要求を受け、センサ内蔵配電線機器光通信対向部機能へ要求の実行、管理を実施する。
・センサ内蔵配電線機器への整定値・設定値の遠方設定の実行、管理を実施する。
【０４２８】
・６ｋＶセンサ内蔵配電線機器へ光回線を通じた、監視制御を実施する場合に中継装置を模擬し、一括監視の分離要求や一括投入の分離要求、及び光回線用のフォーマットに整え、センサ内蔵配電線機器光通信対向部機能へ要求を実施する。
・応答に対し、異常有無、不応動等の管理を実施し、結果を開閉器監視制御機能へ返信する。
・指定制御器までは、光回線を使用し、その後配電線搬送により監視制御を行うＡＰＬ方式について要求、管理をする。
【０４２９】
・２２ｋＶ変電所機器、２２ｋＶ顧客機器、２２ｋＶ回線選択式変圧器機器の状態設定に対する、各種チェックを行い、状態変更を実施する。
・２２ｋＶ回線選択式変圧器機器の監視制御に対する、各種チェックを行い、２２ｋＶ回線選択式変圧器対向部機能へ要求を実施する。
・応答に対し、異常有無、不応動等の管理を実施し、結果を実行管理機能へ返信する。
【０４３０】
・配電塔機器への監視制御操作、状態設定に対する、各種チェックを行い、配電塔対向部機能へ要求を実施する。
・応答に対し、異常有無、不応動等の管理を実施する。
【０４３１】
・システム運用者の操作卓へログインモード（「制御モード」「保全モード」「系統監視制御サブシステム１１バックアップモード」）を管理する。
・ログインモード別に変電所機器の操作可否、警報有無の場合分けを実施する。
【０４３２】
・系統監視制御サブシステム１１のバックアップとして、予め変電所毎の受電待機系統を登録する。
・登録した受電待機系統構成となる手順を作成し、実行する。
【０４３３】
・予めブロック毎（地域毎）に停止開閉器を登録する。
【０４３４】
・計画停電を実施するための計画作成、手順作成を実施する。
【０４３５】
・手順書に登録された開閉器を変電所毎並列に操作の実行要求、応答管理を実施する。
・終了後、自動的に電流要求を実施する。
【０４３６】
・変電所バンクタップ値、配電線ＳＶＲタップ値、線路インピーダンス、電圧から計算し、電圧適正値を逸脱する場合には、変電所バンクタップ、配電線ＳＶＲタップに対し、操作信号要求を実施し、電圧適正値を保つ。
【０４３７】
予定操作業務；
・運用者が入力した変電所停止・切替計画情報を元に操作件名を登録する。
・操作件名に対し、手順作成状況を管理する。
・自身の配電制御・系統制御・他の配電制御の件名を登録し時系列順に管理する。
・操作完了した自身の配電制御の件名・他の配電制御の件名を終了登録する。
・中止となった自身の配電制御の件名・他の配電制御の件名を中止登録する。
・操作日を経過した系統制御の件名を自動削除する。
【０４３８】
・予定日時までの操作手順（自身の配電制御の件名・系統制御の件名・他の配電制御の件名・メンテ件名）を時系列順に予定系統へ展開する。
・操作手順・メンテ内容に不整合があった場合はエラー通知する。
【０４３９】
・予定系統上で、変電所停止・切替計画情報を元に、変電機器操作／確認手順・操作前状態データを自動的に作成する。
・変電所操作手順作成に伴って配電線の切替が必要な場合、配電線切替手順も自動的に作成する。
【０４４０】
・予定系統上で、運用者の指示に基づき、変電所機器に対する操作／確認手順の作成／削除／修正等を行う。
・作成／削除／修正した手順を予定系統上で展開・表示する。
・手順手動作成終了時に、機器操作前状態データを自動的に作成する。
【０４４１】
・模擬実行展開する操作手順（自身の配電制御の件名・系統制御の件名・他の配電制御の件名）を時系列順に抽出する。
・変電所模擬実行展開機能へ手順展開を依頼する。
・手順展開結果に基づき、手順評価（良・不良）を設定する。
・当日実行予定分の全手順に対し、設定時刻に模擬実行を自動起動する。
【０４４２】
・変電所模擬実行管理機能より依頼された変電所機器手順を、模擬系統上で実行する。
・手順展開中の模擬系統状態を随時表示更新する。
・模擬系統上で、状態不整合・停電発生・バンク過負荷等の異常がおこらないかチェックを実施し、手順評価を行う。
【０４４３】
・操作前状態チェック、操作時チェック（横流過大・停電発生等）を実施する。
・対象変電所の制御権を自動取得する。
・運用者の実行指示に基づき、変電所機器操作手順を実行する。
・手順履歴（未実行・正常終了・異常終了）を管理する。
【０４４４】
・他の配電制御への操作依頼が伴う場合、事前伝達情報及び操作依頼情報を、他の配電制御へ要求する。
・他の配電制御より受信した操作結果に基づき、手順履歴を管理する。
【０４４５】
・他の配電制御より受信した事前伝達情報及び操作依頼情報を受信する。
・事前伝達情報を受信した場合、伝達内容に基づき他の配電制御の件名の登録・手順作成・予定登録を自動実行する。
・操作依頼情報を受信した場合、運用者の指示に基づき、他の配電制御の件名の手順を実行し、操作結果を他の配電制御へ送信する。
【０４４６】
・運用者が入力した配電線停止・切替計画情報を元に仮件名を登録する。
・仮件名に対し、手順作成状況を管理する。
・手順評価良の仮件名を自身の配電制御の件名として予定登録する。
・自身の配電制御の件名・系統制御の件名・他の配電制御の件名を時系列順に管理する。
・操作完了した自身の配電制御の件名を終了登録する。
・中止となった自身の配電制御の件名を中止登録する。
【０４４７】
・予定系統上で、配電線停止・切替計画情報を元に、配電線機器操作／確認手順を自動的に作成する。
・配電系統情報連携システムから連係される切替手順作成依頼情報を基に予定操作件名および配電線機器操作／確認手順を自動的に作成する。
【０４４８】
・予定系統上で、運用者の指示に基づき、配電線機器に対する操作／確認手順にの作成／削除／修正等を行う。
・作成／削除／修正した手順を予定系統上で展開・表示する。
・手順手動作成終了時に、機器操作前状態データを自動的に作成する。
【０４４９】
・模擬実行展開する操作手順（自身の配電制御の件名・系統制御の件名・他の配電制御の件名）を時系列順に抽出する。
・配電機器模擬実行展開機能へ手順展開を依頼する。
・手順展開結果に基づき、手順評価（良・不良）を設定する。
・当日実行予定分の全手順に対し、設定時刻に模擬実行を自動起動する。
【０４５０】
・配電機器模擬実行管理機能より依頼された配電機器手順を、模擬系統上で実行する。
・手順展開中の模擬系統状態を随時表示更新する。
・模擬系統上で、状態不整合・停電発生・配電線過負荷等の異常がおこらないかチェックを実施し、手順評価を行う。
【０４５１】
・操作時チェック（配電線過負荷・停電発生等）を実施する。
・運用者の実行指示に基づき、配電線機器手順の操作を実行する。
・手順履歴（未実行・正常終了・異常終了）を管理する。
【０４５２】
・配電系統情報連携システムから連係される工事件名の切替可否判定依頼に対して予定系統作成機能・配電機器手順自動作成機能を利用し、工事予定日の配電線切替可否を判定する。
【０４５３】
事故時業務；
・配電用変電所の動作リレー・トリップＣＢなどの状変情報を元に、システムで保有している事故判定条件に基づき、事故検出を実施する。
・検出した事故に関連する状変情報を元に、検出した事故の段階的な事故状況を判定する。
・判定した事故状況をメッセージパネルへ印字する。
・複数の設備に同時または連続して事故が発生した場合にも的確に事故検出・段階処理を実施する。
【０４５４】
・配電用変電所の動作リレー・トリップＣＢなどの状変情報（中継装置経由）を元に、システムで保有している事故判定条件に基づき、事故検出を実施する。
・検出した事故に関連する状変情報を元に、検出した事故の段階的な事故状況を判定する。
・判定した事故状況をメッセージパネルへ印字する。
・複数の設備に同時または連続して事故が発生した場合にも的確に事故検出・段階処理を実施する。
【０４５５】
・検出した配電用変電所事故件名の管理を実施する
・事故により停電した範囲を把握する
・復旧手順作成時に使用する事故前電流を取得する
・配電線の事故区間値を受信した事故件名について、ロックが想定される開閉器について、自動的に監視を実施し、事故区間値を確定させる。
・事故区間値が確定した事故件名については、健全停電範囲の復旧手順作成要求を実施する。
・作成された復旧手順を自動または運用者の指示で実行する。
・事故時監視実施の有無・管理終了時の健全停電区間の有無など、事故管理に必要な事項についてチェックする。
【０４５６】
・事故点が確定した事故件名（配電線：再送電不良事故、再々送電成功事故。上位事故：一括Yロック事故、変電所の自動切替装置が動作するような事故等）については、事故により停電した健全停電範囲について、配電線の切替により復旧する手順を自動作成する。
・太陽光発電等を考慮し、復旧手順作成時に計算に使用する配電線の電流値を指定することも可能。
・事故により停電した範囲で健全停電の範囲について、配電線の切替により復旧する手順を自動作成する。
【０４５７】
・中間変電所の動作リレー・トリップＣＢなどの状変情報を元に、システムで保有している事故判定条件に基づき、事故検出を実施する。
・検出した事故に関連する状変情報を元に、検出した事故の段階的な事故状況を判定する。
・判定した事故状況をメッセージパネルへ印字する。
・複数の設備に同時または連続して事故が発生した場合にも事故検出・段階処理を実施する。
【０４５８】
・検出した中間変電所事故件名の復旧状況を管理する。
【０４５９】
・事故により停電した配電線について、事故件名管理を終了するまでの間、定周期および事故判定のタイミングで、配電線の区間の充停電状態を停電情報提供システムに送信する。
【０４６０】
・人身災害防止を目的とし、配電線CBが規定時間内に規定回数を超えて事故トリップした際、当該配電線の再閉路リレーを自動ロックする
【０４６１】
・２２ｋＶＩＰマネージャからの情報に対し、事故検出、表示し、警報を鳴動する。
【０４６２】
・２２ｋＶ回線選択式変圧器子局からの情報に対し、事故検出、表示し、警報を鳴動する。
【０４６３】
・中継回線からの配電塔からの情報に対し、事故検出、表示し、警報を鳴動する。
【０４６４】
システム設定；
・変電所の電圧監視、重過負荷監視、バンク切替時の切替先、操作順位、運転引継ぎ用帳票作成、変電所機器応動時間、配電自動化システムとの接続状態確認自動送信、一斉操作除外項目等設定、管理をする。
【０４６５】
・配電機器の重過負荷監視、手順作成時の各種設定、配電線スケルトン表示方法、街路図表示方法、隣接変電所等設定、管理をする。
【０４６６】
・センサ内蔵自動開閉器のデフォルトアドレスの設定、管理をする。
・センサ内蔵自動開閉器のネットワークアドレスの設定、管理をする。
・センサ内蔵自動開閉器の個別項目の設定、管理をする。
・光中央装置設置箇所の設定、管理をする。
【０４６７】
・２２ｋＶ系統図上でのＩＰＰの電力、表示の切り替えの設定、管理をする。
【０４６８】
・予定操作手順の自動模擬実行の有無、実施開始時刻、模擬実行結果の有効時間を設定、管理する。
・系統監視制御サブシステム１１からの停止計画、手順書の自動削除有無、削除時の終了後からの日数を設定、管理する。
【０４６９】
・外部音声警報装置毎に音声、各種警報毎の出力有無を設定し、管理する。
【０４７０】
・ログインモード（制御、保全、系統監視制御サブシステム１１のバックアップ）別にユーザ、パスワードの設定、管理をする。
【０４７１】
・一人操作支援機能用のチェック時の確認方法を設定し、管理する。
【０４７２】
・手順表、一括監視結果、負荷記録、事故判定条件の印刷時の用紙サイズ、方向を設定、管理をする。
・メッセージパネル自動印字有無、両面印刷設定、停電顧客リスト自動出力設定、記録統計両面印刷の設定、管理をする。
【０４７３】
・変電所事故時に自動復旧の有無を設定、管理する。
・配電線事故時に自動復旧の有無を設定、管理する。
【０４７４】
・停電情報提供システム送信の使用・ロックを変電所単位、バンク単位、配電線単位に設定、管理する。
【０４７５】
・太陽光等を考慮した負荷電流を配電線区間毎に設定、管理する。
・事故時の自動・手動復旧操作時に使用する。
【０４７６】
データメンテナンス；
・中継装置経由からの変電所ポジションを基に表示する変電所スケルトンの機器名称、フィーダ有無、アドレス等のメンテナンスを実施する。
【０４７７】
・ＷＡＮ２０や通信回線を使用しての変電所のＴＣ毎のアドレスや方式、オンライン系、試験系接続の接続有無を設定、管理する。
・ＴＣ毎のＳＶ・ＴＭポジションについて、ポジションＮｏ、名称、方式、ビット反転有無、警報有無、印字有無を設定、管理する。
・変電所の自動操作装置が管理するポジションの設定、管理をする。
・配変一斉操作対象のポジションの設定、管理をする。
・故障計ポジションの設定、管理をする。
・電圧調整装置ポジション組合せの設定、管理をする。
・自動状変特殊処理データの設定、管理をする。
・平日／休日切替対象ポジションの設定、管理をする。
・配電用変電所の事故判定条件ポジションの設定、管理をする。
・中間変電所の事故判定条件ポジションの設定、管理をする。
・ＣＳＶファイルでのポジションの読込、出力が出来る。
【０４７８】
・メンテナンス件名の設定、管理、本登録を実施する。
・変電所ポジションを基に表示する変電所スケルトンの機器シンボル配置、ＴＭシンボル配置、ポジションのリンク、線路接続等のメンテナンスを実施する。
・変電所全景図、概略結線図についてメンテナンスを実施する。
【０４７９】
・変電所間の送電線の接続状態、受電遮断器、送電線遮断器等、総合監視盤へ表示するメンテナンスを実施する。
【０４８０】
・制御所任意の変電所毎、ＳＶの種別毎、ＴＭの種別毎の一覧表示図のメンテナンスを実施する。
【０４８１】
・メンテナンス件名の設定、管理、本登録を実施する。
・共用地形図上に配電線機器配置、線路接続、諸元入力等のメンテナンスを実施する。
・配電情報管理システムからの工事設計図面を連携し、配電線メンテナンス件名を自動で生成する。
・街路図データから、自動的に配電線スケルトンを生成する。
・配電情報管理システムから連携される設備更新情報（電柱位置情報、新設・撤去・変更となった設備の落成情報）、契約負荷の更新情報を基に配電線メンテナンス件名を自動で生成する。設備の諸元情報は件名を生成せず、自動で本登録する。
・配電情報管理システムで実施した設備整合性チェックにより発生した不整合設備について配電線メンテナンス件名を自動で生成する。
・制御支援ＰＣからメンテナンスを実施する。
【０４８２】
・配電線開閉器の諸元、電力量登録等を簡易に変更する。
・区間単位、電柱単位に柱上トランスタップ値を登録する。
【０４８３】
・共用地形図データを読み込むことにより、システム内の地形図をメンテナンスする。（新販売工程システムから連係される共用地形図情報を利用）
【０４８４】
・配電線ブロックのエリア、標識コード、標識名称をメンテナンスする。
【０４８５】
・メンテナンス件名を時系列に展開し、メンテナンス実施予定の系統を作成する。
【０４８６】
・メンテナンス内容に矛盾がないか総合的にチェックを実施する。
【０４８７】
・記録統計からの自動で生成される配電線負荷モデルに代わって、系統変更や新設配電線登録時、太陽光連係等による負荷モデルを手動にて設定、メンテナンスする。
【０４８８】
・配電塔のＴＣのデータ、接続有無をメンテナンスする。
【０４８９】
・配電塔スケルトンの機器配置、諸元を設定、メンテナンスする。
【０４９０】
・ＩＰマネージャ経由で取得する変電所機器の２２変電所スケルトンをメンテナンスする。
・２２ｋＶ系統図をメンテナンスする。
・ＩＰマネージャ経由で取得する変電所機器、線路リレー、顧客機器のポジションのデータメンテナンスを実施する。
【０４９１】
・２２ｋＶ回線選択式変圧器用の親局のアドレス、接続有無をメンテナンスする。
・２２ｋＶ回線選択式変圧器子局のアドレス、接続有無、変圧器タイプ、子局種別、需要家名称、変圧器容量等の諸元をメンテナンスする。
・計測値設定のメンテナンスをする。
・結線図のメンテナンスをする。
【０４９２】
・系統監視制御サブシステム１１のアドレスやオンライン系、試験系接続の有無を設定、管理する。
【０４９３】
・配電監視制御サブシステム１２のアドレスやオンライン系、試験系接続の有無を設定、管理する。
【０４９４】
・統合ＮＷ設備管理サブシステム１３のアドレスやオンライン系、試験系接続の有無を設定、管理する。
【０４９５】
・ＤＸ−ＧＷのアドレスや接続の有無を設定、管理する。
【０４９６】
・地中線端末、ＩＰマネージャ、変電システム、配電自動化システムのアドレスや接続の有無を設定、管理する。
【０４９７】
・変電システムの名称、ＳＡ／ＵＡアドレス、保安電話、公衆電話番号、旧網、新網のメンテナンスを実施する。
【０４９８】
・配電自動化システムの名称、店所コード、ＳＡ／ＵＡアドレスのメンテナンスを実施する。
【０４９９】
・中継装置の名称、回線Ｎｏ、回線接続有無をメンテナンスする。
【０５００】
訓練；
・操作卓内において、シミュレーションモードにて変電所機器の応答設定、シナリオ設定、事故シナリオ設定、状変設定、定周期設定等、変電所ＴＣを模擬する各種設定を実施する。
・変電所機器に対し、個別操作、平常時操作、事故時操作のシミュレーションを実施する。
【０５０１】
・操作卓内において、シミュレーションモードにて配電機器のシナリオ設定、事故シナリオ自動作成等配電機器を模擬する各種設定を実施する。
・配電機器に対し、個別操作、平常時操作、事故時操作のシミュレーションを実施する。
【０５０２】
・配電塔に対し、個別操作、平常時操作、事故時操作のシミュレーションを実施する。
【０５０３】
・配電線開閉器のシミュレーション上の応答フォーマットを作成する。
【０５０４】
・中継装置向け送信対向部を模擬する。
【０５０５】
・系統構成、機器状態から自動的に事故シナリオを作成する。
【０５０６】
・シミュレーションにおけるバンク電流、配電線電流を任意（過去最大値等）に設定が出来る。
【０５０７】
・監視制御装置１０のサーバとは別のサーバまたは基盤にて動作する。ただし、監視制御装置１０のサーバにて動作してもよい。
・変電所ＴＣを模擬し、応答設定、シナリオ設定、事故シナリオ自動作成、状変設定、定周期設定、ＴＣ接続有無、アドレス管理を実施する。
・監視制御装置１０と接続して、訓練や競技会に使用する。
・監視制御装置１０（配電監視制御サブシステム１２）からの設備データ取得により、外部シミュレータ内のデータメンテナンスを実施する。
【０５０８】
・監視制御装置１０のサーバとは別のサーバにて動作する。ただし、監視制御装置１０のサーバにて動作してもよい。
・中継装置を模擬した情報の送受信を実施する。
・配電塔を模擬した情報の送受信を実施する。
・開閉器の各種応答設定を実施し、情報受信時に設定内容にて応答を送信する。
・シナリオ設定し、シナリオ内容に沿った情報送信を行う。
・簡易な情報を入力することにより、事故シナリオを自動作成する。
・運用連絡情報を模擬した設定送信、応答送信をする。
・センサ内蔵機器の各種情報の設定と応答する。
・監視制御装置１０と接続して、訓練や競技会に使用する。
・監視制御装置１０（配電監視制御サブシステム１２）からの設備データ取得により、外部シミュレータ内のデータメンテナンスを実施する。
【０５０９】
・２２ｋＶＩＰマネージャを模擬した各種情報を設定し送信を実施する。
【０５１０】
・２２ｋＶ回線選択式変圧器を模擬し、各種情報を設定し、情報受信時に設定内容にて応答を送信する。
【０５１１】
他システム連携；
・システム内部にて管理しているポジション（現地ＴＣから送信されてこないポジションの状態）の機器作業中、変電所一括作業中、ＣＰＵ再閉路リレー状態を変電システムとの間で情報の送受信を行い、システム上へ反映する。
・システム内部にて管理しているポジション（現地ＴＣから送信されてこないポジションの状態）の機器作業中、変電所一括作業中、ＣＰＵ再閉路リレー状態を配電自動化システムとの間で情報の送受信を行い、システム上へ反映する。
・システム内部にて管理しているポジション（現地ＴＣから送信されてこないポジションの状態）のＣＰＵ再閉路リレー状態を各サブシステムとの間で情報の送受信を行い、システム上へ反映する。
【０５１２】
・各サブシステム１１，１２，１３との間において、手順書の事前伝達、操作依頼等の連携情報の送受信を行う。
・系統監視制御サブシステム１１との間において、停止計画情報、機器個別操作手順情報の送受信を行う。
・統合ＮＷ設備管理サブシステム１３との間において、停止計画情報、機器個別操作手順情報の送受信を行う。
【０５１３】
・ＤＸ−ＧＷを通じて地中線端末へ２２ｋＶ以下の地中線設備異常情報のメッセージ情報を送信する。
・ＤＸ−ＧＷを通じて配電自動化システムへ２２ｋＶ以下の事故情報のメッセージ情報を送信する。
・メッセージ情報を受信し、表示する。
【０５１４】
・監視制御装置１０（配電監視制御サブシステム１２）の配電系統情報を更新する情報や配電線事故時に利用する以下のような情報が連携され、連携された情報は各機能で利用される。
・設計書情報（工事設計図面）
・設備更新情報（電柱位置情報、新設・撤去・変更となった設備の落成情報）
・契約負荷
・樹木伐採情報、不良設備情報
・共用地形図情報（地形図更新時に利用）
・雷情報
【０５１５】
・工事件名について以下情報が連係される。連係された情報は、予定操作業務機能、制御支援機能で使用する。機能概要は各機能を参照。
・切替可否検討依頼
連係される工事予定日、工事に伴う配電線停止範囲を基に
監視制御装置１０（配電監視制御サブシステム１２）で配電線切替可否を判定する。
・切替手順作成依頼
工事日確定後、連係される工事件名情報を基に監視制御装置１０（配電監視制御サブシステム１２）で予定操作件名・配電線切替手順を作成する。
【０５１６】
・以下のような工事件名情報を配電情報管理システムに連係する。
・切替可否検討依頼の回答
監視制御装置１０（配電監視制御サブシステム１２）で実施した配電線切替可否判定結果を連係する。
・予定操作件名情報
予定操作件名の関連情報（関連配電線名、操作実績など）を連係する。
・変電所予定操作件名
監視制御装置１０（配電監視制御サブシステム１２）で単独で作成した変電所停止に伴う予定操作
件名情報を連係する。
【０５１７】
・更新した事故捜査図を配電情報管理システムへ連係する。
【０５１８】
・更新した配電系統情報（設備データや系統図データ、系統負荷データなど）を配電情報管理システムへ連係する。
【０５１９】
・気象情報システムから３分毎に雷の情報取得し、共用地形図上へプロットし、表示する。
【０５２０】
制御支援；
・配電用変電所各種情報を表示する。
・配電線各種情報を表示する。
・原籍外配電線一覧を表示する。
・制御支援ＰＣにて監視制御装置１０（配電監視制御サブシステム１２）と同様の表示を行う。
【０５２１】
・平常時予定件名一覧と内容を表示する。
・平常時当日件名一覧と内容を表示する。
・制御支援ＰＣにて監視制御装置１０（配電監視制御サブシステム１２）と同様の表示を行う。
【０５２２】
・配電用変電所のバンク単位の記録統計とグラフを表示する。
・配電線単位の記録統計とグラフを表示する。
・制御支援ＰＣにて監視制御装置１０（配電監視制御サブシステム１２）と同様の表示を行う。
【０５２３】
・配電線事故に関する各種情報を表示する。
・電源事故に関する各種情報を表示する。
・２２ｋＶ事故に関する各種情報を表示する。
・欠相事故に関する各種情報を表示する。
・事故停電中の配電用変電所の一覧を表示する。
・事故停電中の配電線の一覧を表示する。
・制御支援ＰＣにて監視制御装置１０（配電監視制御サブシステム１２）と同様の表示を行う。
【０５２４】
・状変、操作記録、連係情報送受信記録、事故記録等各種記録を表示する。
・制御支援ＰＣにて監視制御装置１０（配電監視制御サブシステム１２）と同様の表示を行う。
【０５２５】
・各電流値の個別あるいは、一括にてＣＳＶにて取得する。
・開閉器アドレス一覧をＣＳＶにて取得する。
・センサ内蔵開閉器のＩＰアドレス一覧をＣＳＶにて取得する。
・メッセージパネルの情報をＣＳＶにて取得する。
・平常時予定件名の一覧をＣＳＶにて取得する。
【０５２６】
・Ｈ／Ｗの状態を表示する。
【０５２７】
・住所から該当配電線を表示する。
【０５２８】
・中継装置との送受信情報の記録の表示と取得する。
【０５２９】
・配電系統情報連携システムから連係される工事件名情報を表示する。
【０５３０】
・配電線のメンテナンス内容から自動的に事故捜査図を生成する。
【０５３１】
・事故捜査図を手動にてメンテナンスする。
【０５３２】
・事故捜査図の表示や出力をする。
・現地操作情報（入退室方法等）を管理する。
・新販売工程システムから連係される樹木伐採情報、不良設備情報を事故捜査図対象箇所に表示や出力する。
・柱上タップ管理機能で管理されたタップ値情報を基に事故捜査図上にタップエリア図を生成する。
・新販売工程システムから連係される雷情報を事故捜査図対象箇所に表示や出力する。
【０５３３】
・予定操作手順の手順Ｎｏを旗揚げし、現地操作者用資料作成をする。
【０５３４】
・配電線の開閉器区間単位に柱上トランスのタップを管理し、タップ毎に区間の色づけ等を行う。
【０５３５】
・制御器から取得した各種情報を一覧表示する。
【０５３６】
・個別計測画面の制御器リスト、またはスケルトン画面から選択したデュアル制御器の１分間平均値データを指定期間および指定周期で取得し、集計・保存する。
【０５３７】
・選択したデュアル制御器の１分間平均値データを取得し、開閉器状態が切時の位相差を集計・保存する。
【０５３８】
・デュアル制御器の１分間平均値データを自動で取得し、計測値の状態を監視する。
【０５３９】
・デュアル制御器の１分間平均値データを自動で取得し、電流方向の状態を監視する。
【０５４０】
・制御器が保持している１か月（４０日）１０分間平均値データを手動で取得・表示する。
【０５４１】
・制御器が保持している１か月（４０日）３０分間平均値データを手動で取得・表示する。
【０５４２】
・制御器が保持している１年分を手動で取得・表示する。
【０５４３】
・制御器の不平衡指数を一覧表示する。
【０５４４】
・ＩＴ多回路が保持している１日計測（1分間平均値）を手動もしくは自動で取得・表示する。
【０５４５】
・取得したＩＴ多回路の１日計測データ（１分間平均値）を元に、１か月データ（１０分）、１か月データ（３０分）、１年データを作成する。
【０５４６】
・選択した制御器に設定されている整定値を手動で取得・データ保存し、画面表示する。
【０５４７】
・選択した制御器、またはシステムに登録されている全ての制御器に対して整定値を取得・設定する。
【０５４８】
・選択した制御器に対して設定値を取得・設定する。
【０５４９】
・デュアル制御器に対し定期的に整定値を取得し、データ保存する。
【０５５０】
・制御器が保持している事故検出ログ[Ｖ０・地絡・短絡・１・２線断線・3線断線]（それぞれ最大４件ずつ）を手動で取得・表示する。
・最大１４制御器の内容を同時に表示することが出来る（システムで最大１０件保存）
【０５５１】
・制御器が保持している瞬時低圧低下ログ（それぞれ最大５件ずつ）を手動で取得・表示する
・最大５子局の内容を同時に表示することが出来る（システムで最大１０件保存）
【０５５２】
・選択した制御器に保存されているＶ・Ｉ波形（それぞれ1件）を手動で取得する（取得した波形データはＣＳＶ形式で保存される）
【０５５３】
・選択した制御器に保存されているＶｏ／Ｉｏ波形（それぞれ1件）を手動で取得する（取得した波形データはＣＳＶ形式で保存される）
【０５５４】
・選択した制御器に保存されているＶ０事故波形データ（最大４件）を手動で取得する（取得した波形データはＣＳＶ形式で保存される）
【０５５５】
・選択した制御器に保存されている短絡事故波形データ（最大４件）を手動で取得する（取得した波形データはＣＳＶ形式で保存される）
【０５５６】
・Ｖ０、地絡、短絡事故が発生した時に、発生した制御器から事故波形データを取得する。
【０５５７】
・取得した波形データを管理する。
【０５５８】
・制御器から発呼（発信）された状変（Ｖ０、地絡、短絡、異常検出、ブレーカー切など）を受信し、内容を画面に表示する。
【０５５９】
・配電システムから受信した設備データを使用して配電線スケルトン（概略／詳細）を表示する。
【０５６０】
・制御器からのＶ０発呼を受信し、事故区間が確定した場合は、当該の配電線スケルトンを表示する。
【０５６１】
・開閉器状態ファイルの開閉器入切状態、及びループ構成を元に制御器の電流方向を確定する。
【０５６２】
・Ｖ０事故発生時に事故区間が確定できなかった場合に、制御器からのＶ０・Ｉ０波形を比較して操作者が事故区間を判断できるようにする（１度に最大３制御器の波形を比較する事が出来る）
【０５６３】
・１ヶ月データ、１年データ、短絡波形をグラフ形式で表示する。
【０５６４】
・制御器との通信した内容と結果（正常／異常）を表示する。
【０５６５】
・各種情報をＣＳＶ形式で保存する
【０５６６】
・配電系統分析のアプリの動作を設定する。
【０５６７】
・制御器の動作履歴を取得、表示する。
【０５６８】
・システムで設定変更した操作履歴について記録し画面表示、及びＣＳＶ形式で保存する。
【０５６９】
・スケルトン画面から連携制御器に対し手自の設定を行う。
【０５７０】
・現地データ収集ツールを介し、制御器から波形データ、ログデータをシステムに取込み保存する。
【０５７１】
・ＳＣ−Ｄ（搬送）から取得した情報を管理システムアプリを介して編集し、整定値状態テーブルを更新する。
【０５７２】
・変電所の表示確認を行う。
【０５７３】
・配電線の表示確認を行う。
【０５７４】
・制御器の登録・変更を行う。
【０５７５】
・制御器の管理を行い、外部設定器（ＨＴ／ＰＣ）と情報の送受信を行う。
【０５７６】
・宿直者と引継ぎを実施するための各種帳票を自動作成し、出力する。
【０５７７】
記録統計；
・予定操作を実施するために変電所の各種記録を集計、保存、管理する。
【０５７８】
・予定操作を実施するために配電線の各種記録を集計、保存、管理する。
【０５７９】
・予定操作を実施するために配電線の記録から、季節毎の負荷推定用の記録モデルを自動生成する。
【０５８０】
システム監視；
・システムの起動、停止時における各アプリケーションの起動、停止の管理をする。
・各アプリケーションの正常・異常を管理する。
・サーバの状態をチェック定期的にチェックし、異常時には、運用者へ知らせるとともに状態を管理する。
・サーバ毎の起動、停止状態を管理する。
・接続ＬＡＮ毎の通信状態を管理する。
・主系従系を管理する。
【０５８１】
・システム点検やハードウェア故障対応を実施するために、ハードウェア保守メーカへ引き渡すために、アプリケーションを起動させない設定、管理者パスワードを点検用のパスワードへ変更を自動的に実施する。
・点検終了時、アプリケーションの起動を実施するための設定、管理者パスワードの変更を自動的に実施する。
【０５８２】
・アプリケーション、設備データ異常をアプリケーション管理箇所（本店）サーバへ通知する。
【０５８３】
・系統監視制御サブシステム１１、配電監視制御サブシステム１２、統合ＮＷ設備管理サブシステム１３、ＤＸ−ＧＷ、ＴＣ、地中線端末、変電システム、配電システム、ＩＰマネージャとの接続状態、イニシャル状態を管理表示する。
【０５８４】
・各配電塔との回線状態を管理表示する。
【０５８５】
・中継装置との回線状態を管理する。
【０５８６】
・センサ内蔵開閉器との回線接続状態を管理する。
【０５８７】
・２２ｋＶ回線選択式回線状態を管理する。
【０５８８】
システム管理；
・１系、２系のデータベースの等価処理を分離し、システム全体停止をすることなく、片系毎にデータベースのファイル追加、削除、変更等の設定変更が出来る。
【０５８９】
・アプリケーション新規インストールをサーバ内のカーネルの設定から、ディレクトリ構成、ミドルウェア設定を含め、管理しつつインストールする。
【０５９０】
・制御所運用者が機能向上内容等についてシステムの運用状態に応じて自らアプリケーションの入替を行える。
【０５９１】
・支援ＰＣのアプリケーションを運用者がインストール出来る。支援ＰＣとは、記録処理系ＮＷ側にある記録、情報表示、メンテナンス等を実施する端末である。
【０５９２】
・運用者がアプリケーション上から手動にて設備データのバックアップをテープ装置へ実施する。
【０５９３】
統合ＮＷ設備管理サブシステム１３のシステム機能の具体例を以下に示す。
【０５９４】
設備監視；
・状態監視
ＳＶ・ＴＭ情報を基に、変電所設備の状態を監視する。
・変電所状変監視
状変時ＳＶ・ＴＭ情報を基に、変電所設備の状変を監視する。
・重過負荷監視
設定値変更業務の重過負荷監視設定値を基に、受信した定周期ＴＭ情報を分析し、重過負荷監視を行う。
・電圧監視
設定値変更業務の電圧監視設定値を基に、受信した定周期ＴＭ情報を分析し、電圧異常監視を行う。
・Ａ方式異常復帰監視
状変時ＳＶのＡ方式異常ステータスを基に、Ａ方式復帰異常発生／復帰監視を行う。
・ＴＣ系監視
ＳＶ・ＴＭ情報の変電所ステータスを基に、発生／復帰監視を行う。
・ＳＶ状態不一致
ＳＶ・ＴＭ情報がシステム内部と不一致した場合、ＳＶ状態不一致処理を行う。
【０５９５】
操作手順表作成；
・停止予定表一覧
監視制御装置１０（系統監視制御サブシステム１１、配電監視制御サブシステム１２）より受信した停止計画情報を一覧表示する。また、停止予定件名の内容変更や統合ＮＷ設備管理サブシステム１３固有の停止予定件名を件名追加が可能である。
・作業件名一覧
停止予定件名より作成された作業件名を一覧表示する。また、作業件名の内容変更、削除が可能である。
・機器個別手順一覧
監視制御装置１０（系統監視制御サブシステム１１、配電監視制御サブシステム１２）より受信した機器個別手順内容を一覧表示する。また、機器個別操作手順への現地操作手順の追加が可能である。
【０５９６】
スケルトン画面データを用いた機器状態と充電状態を表示する充電部確認図の作成、編集と印字をする。ただし、充電部確認図の保存機能は設けない。充電部確認図には２種類の充電部確認図が存在する。
１）機器個別操作手順の操作前状態表示を行うもの。
２）自由に機器状態を設定可能なもの。
【０５９７】
・機器個別操作手順画面では、系統監視制御サブシステム１１及び配電監視制御サブシステム１２から受信した機器個別操作手順情報を機器個別操作手順として登録し管理する。機器個別操作手順は統合ＮＷ設備管理サブシステム１３にて現地操作手順の追加、修正が可能である。
【０５９８】
事故・故障処理業務；
・事故または故障による状変を検出した場合は，状変警報鳴動，フリッカ，状態の反転，および自動状変メッセージを編集する。
【０５９９】
記録業務；
ａ．記録の単位
記録の単位は以下の通り。
（ａ）日報記録（日単位の計測状態を表す記録）
（ｉ）毎正時に計測、もしくは算出した値のうち最大のものを抽出し記録する。
（ii）１日のうちに最大値が同一値で２回以上発生している場合は、最初に発生した値を３.５-１０使用する。
（iii）バンク関連の最大値処理において、ある時刻に停止バンクが１台以上あった場合は、当該バンクはもとより同一階層内の他の健全なバンクも当該時刻のデータを除外して、残りのデータの中から最大値を算出するものとする。
（iV）ただし、データメンテナンスの設定によりバンク定格値が“０”となっているものは当該バンクを除き通常の最大値処理を行うものとする。
（V）ある時刻における計測データのうち計測異常が発生したものは、当該時刻データは最大値処理から除外する。
（Vi）１日中計測異常が続いた場合は“異常”と印字する。
（Vii）１つのバンクが一日中（１〜２４）停止している場合は、全てのバンクの最大値処理は不可能となる。また複数バンクが毎正時交互に停止状態にあった場合は、最大
値処理から見ると全てのバンクの最大値処理は不可能となる。この場合は、最大皮相電力、最大電力は“停止”と印字し、関連する時刻、電圧、電流のデータ欄をブ
ランクとする。また定格値が“０”となっている場合の当該バンクも同様の処理とする。
（Viii）“異常”と“停止”が重なった場合は“異常”とする。
（iX）配変の２次電流、皮相電力の最大値は絶対値で判定する。ただし、値がマイナスの場合、表示を符号付きとする。
（ｂ）変電所稼働月報記録（以下、月報記録）月単位の計測状態を表す記録
日報の最大値処理した結果の中から、当月の最大値を抽出し、そのときの日時、電流、電圧などの関連事項を付記する。
全バンク合成皮相電力（月間最大）については、毎正時における全バンクの合成皮相電力の最大値とする。
配変の「当月最大２次電流」「当月最大皮相電力」の最大値は絶対値で判定する。ただし、値がマイナスの場合、表示を符号付きとする。
【０６００】
・全変電所の計測値を毎正時、毎日２４時、毎正分に収集し自動保存する。
ａ．編集タイミングは、毎正時、毎日２４時、毎正分、に行う自動編集と要求による要求時編集が
ある。
ｂ．保存期間は、編集タイミングにより異なる。
（ａ）自動編集の場合
最新の編集を含め７日間、または２ヶ月とし、最古の記録は削除する。
（ｂ）要求時編集の場合
保存は行わない。
ｃ．編集期間には、以下の３つがある。
（ａ）自動編集から自動編集までの内容を編集する。
（ｂ）自動編集から要求時編集までの内容を編集する。
（ｃ）要求時点の内容を編集する。
ｄ．編集条件は、編集期間、変電所一括または複数変電所を指定するものとする。
ｅ．作業中の場合、前値保持の値で編集する。
ｆ．帳票フォーマット
帳票フォーマットは、システムで固定とする。
【０６０１】
・運転引継記録は、変電所の「重過負荷状態」、「機器異常状態」、「作業中試験中設定状態」、「接地着脱状態」、「システム状態」を前回の自動編集から今回編集時点までの状態の差異と継続中の異常を編集する。画面上の呼称は「設備運用引継」とする。
【０６０２】
要求機能；
・要求時ＳＶ
ＴＣ単位にＳＶ情報を要求する。
・要求時ＴＭ
ＴＣ単位にＴＭ情報を要求する。
【０６０３】
・ＳＶ作業中設定状態
変電所単位・ＴＣ単位にＳＶ作業中設定状態を要求する。
・ＴＭ作業中設定状態
変電所単位・ＴＣ単位にＴＭ作業中設定状態を要求する。
【０６０４】
・ＳＶ試験中設定状態
変電所単位・ＴＣ単位にＳＶ試験中設定状態を要求する。
・ＴＭ試験中設定状態
変電所単位・ＴＣ単位にＴＭ試験中設定状態を要求する。
【０６０５】
・変電所単位に制御権取得箇所を要求する。
【０６０６】
設定値変更機能；
・送変（送電用変電所）は送電線および変圧器、配変（配電用変電所）は変圧器の重負荷・過負荷・発生／復帰時間、および、当該設備の警報ロック有無を設定する。
【０６０７】
・送変（送電用変電所）は主母線の監視幅・時刻・電圧値、配変は変圧器の監視幅・重負荷時の電圧／電圧値・軽負荷時の電流／電圧値・基準値設定率（９０−２、３）、および、当該設備の警報ロック有無を設定する。システム一括にて、サンプリングの発生時回数／復帰時回数を設定する。
【０６０８】
事故時業務；
・スケルトン画面にて、非遠制機器の状態設定を行う。
【０６０９】
・スケルトン画面にて、非遠制接地の状態設定を行う。
【０６１０】
・スケルトン画面にて、ＴＣ単位・設備単位に作業中・試験中状態設定を行う。
【０６１１】
件名管理；
・停止予定を確認済みとした際、停止予定の情報から作業件名を自動的に作成する。
ａ．作業件名の作成タイミング
作業件名の自動作成処理は以下のタイミングで発生する。
１）統合ＮＷ設備管理サブシステム１３で停止予定を新規作成し、登録したタイミング。
２）停止予定を変更、登録し計画Ｎｏ状態が「初伝達（確認済）」「再伝達（確認済）」「保全作成」となったタイミング。
ｂ．作業件名作成対象の停止予定
作業件名は停止予定から作成されるが、作成するには停止予定が以下の条件を満たす必要がある。
１）ａ．項で登録された停止予定であること。
２）停止予定の計画Ｎｏの操作分類が「予定作業」であること。
【０６１２】
・停止予定件名には監視制御装置１０（系統監視制御サブシステム１１、配電監視制御サブシステム１２）から受信した停止計画情報から作成される件名と、統合ＮＷ設備管理サブシステム１３にて作成する件名がある。統合ＮＷ設備管理サブシステム１３にて作成される件名は、「丙種」と「停止無」の２種類に分けられる。ＣＶＣＦの停止作業など変電設備の停止を伴う「丙種」の場合は、停止予定画面、作業件名画面での件名管理が可能である。一方、変電所の除草など変電設備の停止を伴わない「停止無」の場合は、作業件名画面のみでの件名管理が可能である。作業件名画面では、停止予定件名に基づいて統合ＮＷ設備管理サブシステム１３にて作成された毎日の作業を管理する。作業件名は、自由に修正、削除が可能である。
【０６１３】
ＰＣデータメンテナンスツール（以下、ＰＣデメ）は、ＰＣデメデータ（kda）を使用してデータ編集（件名・変更データ作成）機能を提供するノートＰＣのことである。ノートＰＣ（ＰＣデメ装置）から件名の登録を可能とする。統合ＮＷ設備管理サブシステム１３に載せる２階層共通ＤＢを提供する。ＰＣデメ装置とネットワーク接続可能であり、２階層共通ＤＢに件名登録が可能であること。
【０６１４】
２階層共通ＤＢから統合ＮＷ設備管理サブシステム１３と標準ＴＣＰＩＦの基本データを作成可能とする。データ展開時には各々の展開結果をプリンタへ自動的に出力する。
【０６１５】
データ展開で作成した標準ＴＣＩＦの基本データは、標準ＴＣＩＦで試験される。標準ＴＣＩＦに基本データを渡すため、標準ＴＣＩＦと統合ＮＷ設備管理サブシステム１３両方で使用可能な可搬型メディアに標準ＴＣＩＦの基本データを出力する。
【０６１６】
構成制御；
・統合ＮＷ設備管理サブシステム１３を構成する各装置はシングル構成として、それぞれの装置間で依存関係を持たず各装置は自立して動作する方式とする。
【０６１７】
・システムを構成する各装置間は疎結合とし、装置が故障した場合でも故障した装置の機能は停止するが、他の機能は動作可能とする。
【０６１８】
統合ＮＷ設備管理サブシステム１３で検出可能な異常については、ハードウェア異常、ソフトウェア異常、ミドルウェア異常、外部接点入力異常などを対象とする。
【０６１９】
・統合ＮＷ設備管理サブシステム１３を構成する各装置の運用状態を「運用画面」に表示する。また、ハードウェア、ソフトウェアの故障状態の表示も行う。
【０６２０】
・監視対象となる機器、設備の状態変化、変電所機器状態設定、あるいは、ＴＣ系の状態変化を編集する。設定値変更、警報ロックの設定内容を編集する。
【０６２１】
・停止予定と個別手順の情報を編集する。
・警報ロックの設定内容を編集する。
【０６２２】
・他システムとの送受信異常情報を編集する。
【０６２３】
・統合ＮＷ設備管理サブシステム１３のシステム異常情報を編集する。
【０６２４】
・編集されるメッセージは、機能種別単位でメッセージ表示のクリアを行うことが出来る。クリア後は新たなメッセージのみが表示される。ＷＡＩＴの解除により、クリア前のメッセージも含めて表示可能なメッセージを再表示する。
【０６２５】
ＩＰ化業務；
・非ＩＰ方式で伝送されてきた信号をＩＰに変換するとともに、伝送ルートの切替も実施する。
ａ．子局ＴＣ伝送回線構成（４Ｗ２Ｒタイプ）
伝送回路は上り/下り回線とも二重化されて、上り回線はＩＰ化装置内での回線切替により受信し、下り回線はハイブリッド分岐して子局ＴＣ側の回線切替装置で切替える。
ｂ．子局ＴＣ伝送回線構成（４Ｗ１Ｒタイプ）
伝送回線は上り/下り回線とも１ルート構成であることから直接ＩＰ化装置のシリアル伝送部へと接続される。
【０６２６】
・ＬＡＮ−ＩＦとは２ポートのＬＡＮ接続部で接続する。
【０６２７】
・ＩＰ−ＩＦ装置とは２ポートのＬＡＮ接続部で接続する。
【０６２８】
・ＩＰ化装置から上位系ＬＡＮ向けには、情報の種類に応じて、ＩＰマルチキャスト通信あるいはユニキャスト通信を用いて情報を送受信する。
ａ．ＩＰ化装置からＴＣ−ＬＡＮ向けには、ＩＰマルチキャスト通信あるいはユニキャスト通信を用いて情報を送受信する。
ｂ．マルチキャストアドレスの割付は、ＩＰ化装置の送信側と受信側で基本的に別アドレスとする。
ｃ．情報毎の伝送方式は以下の通りとする。
表示/計測  上り＝マルチキャスト  下り＝マルチキャスト/ユニキャスト
制御  上り＝マルチキャスト  下り＝ユニキャスト
ＳＯＥ  上り＝マルチキャスト  下り＝ユニキャスト
時刻同期  上り＝ユニキャスト  下り＝ユニキャスト
ｄ．上位ＮＷ向け送信
常用系から上位ＮＷ向けに情報送信する。この時、宛先ＩＰアドレスはマルチキャストアドレス、送信元ＩＰアドレスは自ユニットボードのＩＰアドレスとする。情報はＩＰ化装置単位にまとめ、ひとつのＩＰ化からはひとつの宛先に対してのみ送信を行う。（子局ＴＣ、ＩＰ−ＩＦ装置単位、ワード単位に宛先を個別にはしない）
ｅ．上位ＮＷからの受信
上位システムから送信されてきた情報をＩＰ化装置の常用系が受信する。この時、宛先ＩＰアドレスは仮想ＩＰアドレス、送信元ＩＰアドレスは自ユニットポートのＩＰアドレスとする。
【０６２９】
・ｎ回線の独立した上位ＮＷ向けに同一データを各々送信し、受信側は先着優先/後着廃棄によりひとつの情報のみ受け取る。
【０６３０】
・送信保証が必要な情報については再送手順による送信保証を行う。
ａ．送信保証が必要な情報については再送手順による送信保証を行う。
ｂ．送信保証有無についてはデータ種別毎に設定変更可能とする。（状変通知する情報（例えば表示状変など）は送信保証あり、同一項目を定周期送信する情報（例えば定周期計測情報など）は送信保証無しとする。）
ｃ．再送手順は、送信側が通番を付加した情報を定周期送信し、受信側で通番抜けを検出した際に再送要求することで行う。
【０６３１】
・子局ＴＣ情報、ＩＰ−ＩＦ装置情報はルート状態により上り/下りデータの送受信管理を行う。
【０６３２】
・子局ＴＣからＳＶポジションまたはフラグ情報で受信する子局ＴＣ検出のエラー情報およびＩＰ化装置が検出するＣＤＴ回線状態を、当該局ＴＣのエラー有無情報に編集し、上位装置に対して配信する。
ａ．エラー有無情報要求/エラー有無情報
子局ＴＣからＳＶポジション、またはフラグ情報で受信する子局検出のエラー情報（制御回線断、制御渋滞等）およびＩＰ化装置が検出するＣＤＴ回線状態（表示回線断、表示渋滞）を、当該子局ＴＣのエラー有無情報に編集し、上位保全システムに対して配信する。また上位保全システムからエラー有無情報要求受信時、ＩＰ化装置が当該子局のエラー有無情報を配信返送する。
ｂ．選択制御/選択制御返送
上位システムから受信した選択制御を子局ＴＣに対して送信する。子局ＴＣから再クリック受信する選択完了ポジションの監視を行い、当該子局ＴＣの選択返送情報に編集し上位装置へ配信返送する。
ｃ．上りＳＶデータ
【０６３３】
・子局ＴＣからＣＤＴ受信する事故区間情報ワードの状変検出を行い、状変発生時に上位システムに対して配信する。
【０６３４】
・ＩＰ化装置の運転モード遷移および情報伝送のデータ管理を行う。
ａ．運転モードには常用/待機/試験/停止とする。
ｂ．運転モードはＤＲ分類とデータ種別により識別する。
【０６３５】
・自装置や接続する他装置の故障監視を行い、発生/復帰の状変検出タイミングでエラー情報として上位装置へ伝送通知する。
ａ．自装置や接続する他装置の故障監視を行い、発生/復帰の状変検出タイミングでエラー情報として上位システムへ伝送通知する。
ｂ．エラー情報を装置内に保存し、上位システムからのエラー情報要求時に通知する。
ｃ．想定外の多重状変により情報欠落が発生した場合、最新情報に合わせるためのデータ補完機能を有すること。
【０６３６】
・送受信する伝送データ（ＨＤＬＣパケットデータ、ＣＤＴ伝送データ、ＬＡＮパケットデータ）の表示が送受信のタイミングで行える。
【０６３７】
・子局ＴＣ、ＩＰ−ＩＦ装置の表示情報の現状状態が、ＩＰ化装置〜子局ＴＣ，ＩＰ−ＩＦ装置間の伝送ワード単位で表示できる。
【０６３８】
ａ．子局ＴＣ、ＩＰ−ＩＦ装置向け選択制御が行える。
ｂ．保守ツールによる選択制御実施中は上位装置からの選択制御は受け付けず、操作は二挙動方式とする。
【０６３９】
システム共通機能；
・システムに実装する機能単位に運転モードを設けて機器の状態に応じた管理・制御を行う。
【０６４０】
・変電所の状態を常時監視し、事故時などにおける現地状態を容易に把握できるようにするとともに、手順表作成支援、電力系統・設備変更に伴うデ−タ作成支援を容易に行うことが可能なＨＭＩを用意する。
【０６４１】
・下記機能を操作可能とする
システム監視、変電所状態監視（スケルトン、メッセージ、モード設定、危機状態設定、ファンクション、警報フリッカー停止）、設定、要求、記録、手順、デメ、外部出力、警報ロック、プリンタ設定、管轄変電所設定、試験、運用
【０６４２】
・設備の状態を把握するために必要なメッセージ情報を編集および保存し、メッセージを表示する。地中線設備異常については地中線端末に送信する。
【０６４３】
・各種記録情報、メッセージ情報、トレース情報および画面ハードコピー情報等を接続PCに保存する。
【０６４４】
・外部出力時は、パスワード管理する。
【０６４５】
・記録情報のファイルは、決められた保存ディレクトリに元ファイルがあり、外部出力画面より指示されたファイルを取得する。外部媒体へ出力するファイル形式はＣＳＶ形式またはバイナリィ形式とする。
【０６４６】
・メッセージ情報のファイルは、決められた保存ディレクトリに元ファイルがあり、外部出力画面より指示されたファイルを取得する。外部媒体へ出力するファイル形式はＣＳＶ形式とする。メッセージ情報のファイルが取得不良の場合には、ダイアログメッセージによりアナウンスする。
【０６４７】
・システム異常情報は、決められた保存ディレクトリに元ファイルがあり、外部出力画面より指示されたファイルを取得する。外部媒体へ出力するファイル形式はＣＳＶ形式とする。
・システム異常情報のファイルが取得不良の場合には、ダイアログメッセージによりアナウンスする。
【０６４８】
・画面ハードコピー情報は、決められた保存ディレクトリにＪｐｅｇイメージで保存する。外部出力画面より指示されたファイルを取得し、外部媒体へ出力する。
画面ハードコピー情報のファイルが取得不良の場合には、ダイアログメッセージによりアナウンスする。
【０６４９】
・画面ハードコピー情報は、外部出力画面より指示された端末画面をＪｐｅｇファイルとして作成し、決められた保存ディレクトリィに保存する。
画面ハードコピー情報のＪｐｅｇファイルが作成不良の場合には、ダイアログメッセージによりアナウンスする。
【０６５０】
・監視制御システムの試験系と接続して、新規作成データのＳＶ・ＴＭのデータ確認を行う。運用系／試験系の切り替えは監視操作端末個別で行う。
【０６５１】
・保全システムでは監視操作端末を試験系へ切り替えることで、各種試験系業務の操作が可能となる。モニタが２台ある監視操作端末は、個別に（モニタの片方だけでも）試験系の切り替えが可能となっている。全ての監視操作端末数を試験系に切り替えることも可能であれば、全ての監視操作端末を運用系として使用することも可能である。
【０６５２】
・保全システムでは試験系に切り替えられた監視操作端末が無い状態でも試験系機能は処理を継続する。
【０６５３】
・運用系と試験系で機能データの独立性を保つ。例えば、運用系で受信した停止計画情報と試験系で受信した停止計画情報は別情報であり、計画Ｎｏが同じであっても状態チェックはしない。
【０６５４】
・直接制御回線と接続し、直接制御回線上に繋がる他システムと情報の送受信を行う。
【０６５５】
以上に説明したように、本実施形態では、変電所６０，７０に設けられた複数の変電所機器６３，６４，７３，７４を監視制御する監視制御装置１０と、複数の変電所機器６３，６４，７３，７４と監視制御装置１０との間で送受信される情報を中継する中継装置３１，４１，６１，７１，６２，７２と、を備え、中継装置３１，４１，６１，７１，６２，７２は、複数の変電所機器６３，７３と監視制御装置１０との間において、国際標準の通信プロトコルに準拠していない情報と国際標準の通信プロトコルに準拠した情報とを相互に変換して中継する第１中継部３１，４１，６１，７１と、複数の変電所機器６４，７４と監視制御装置１０との間において、国際標準の通信プロトコルに準拠した情報を中継する第２中継部３１，４１，６２，７２と、を有する。このような構成によれば、国際標準に準拠した設備（変電所機器６３，７３）と国際標準に準拠していない設備（変電所機器６４，７４）とを併存した状態で運用することができる。従って、システム構成の変化に柔軟かつ迅速に対応可能な拡張性を持たせること、及び他のアプリケーションとの相互運用性と互換性を確保することが可能となる。また、監視制御装置１０は、変電所６０，７０の設備における国際標準に準拠した設備と国際標準に準拠していない設備とを区別することなく、同じ国際標準に準拠した通信方式で通信することができる。従って、監視制御装置１０は通信プロトコルごとの伝送フォーマット形式や伝送手順などを認識する必要がなくなり、監視制御が簡略化されるとともに、システムの開発コストを抑制することができる。
【０６５６】
また、本実施形態では、第２中継部３１，４１，６２，７２は、複数の変電所機器６４，７４からの情報を収集して監視制御装置１０に送信し、監視制御装置１０からの情報を複数の変電所機器６４，７４に送信するゲートウェイ６２，７２を含む構成（図３参照）とされている。このような構成によれば、ゲートウェイ６２，７２（つまりＦＧＷ）が直接、監視制御装置１０（つまりＦＥＰ１５ａ、１５ｂ）と接続されているので、既存のシステム構成（ＧＷ３１，４１及びＴＣ６１，７１）を変更することなく、国際標準に準拠したシステム構成（ＦＧＷ６２，７２）を追加することができる。
【０６５７】
また、本実施形態では、第２中継部３１，４１，６２，７２は、監視制御装置１０からの情報を送信し、複数の変電所機器６４，７４側からの情報を監視制御装置１０に送信する第１ゲートウェイ３１，４１と、第１ゲートウェイ３１，４１からの情報を複数の変電所機器６４，７４に送信し、複数の変電所機器６４，７４からの情報を収集して第１ゲートウェイ３１，４１に送信する第２ゲートウェイ６２，７２と、を含み、第１ゲートウェイ３１，４１は、第１中継部における情報の中継を兼用する（図４参照）。このような構成によれば、第２ゲートウェイ６２，７２（つまりＦＧＷ）が近くの第１ゲートウェイ３１，４１を介して監視制御装置１０（つまりＦＥＰ１５ａ、１５ｂ）と接続されているので、通信回線の敷設が容易となり、システム構成を確実に実現することができる。
【０６５８】
＜第２実施形態＞
上記した第１実施形態では、監視制御装置１０はデータセンター１Ａ，１Ｂ，１Ｃに設けられていた。これに対し、第２実施形態では、監視制御装置はデータセンター１Ａ，１Ｂ，１Ｃだけでなく、制御所にも設けている。
【０６５９】
図１７は、本発明の第２実施形態に係る監視制御システムＳＹＳ−Ｂの構成を示すシステム構成図である。図１７に示す監視制御システムＳＹＳ−Ｂは、制御所３０にＧＷ３５が設けられ、制御所４０にＧＷ４５が設けられている。ＧＷ３５，４５は、上記第１実施形態におけるＧＷ３１，４１と同じ構成である。ＧＷ３５，４５には、それぞれ、監視制御装置３６，４６が内蔵されている。監視制御装置３６，４６は、上記第１実施形態における監視制御装置１０と同じ構成である。すなわち、監視制御装置３６，４６は、系統監視制御サブシステム、配電監視制御サブシステム及び統合ＮＷ設備管理サブシステムを備えている。なお、図１７において、図１に示した構成と同一構成については同一符号を付して重複する説明を省略する。また、図１７では、制御所５０のＧＷ５１や配電設備８０、オペレーションサービスバス１１０、システム運用サービスバス１１１、外部システム１００を省略している。
【０６６０】
監視制御装置３６，４６は、ＧＷ３５，４５を通過する情報、すなわち、監視制御装置１０と変電所６０，７０の設備（６１〜６４、７１〜７４）との間でやり取りされる情報を受信してデータベース（図示せず）に格納する。これにより、制御所３０，４０のオペレータは、監視制御装置１０において故障などの異常が発生した時に、制御所３０，４０が管轄する監視制御装置３６，４６を用いて監視制御システムＳＹＳ−Ｂの運用を継続することができる。なお、上記の第２実施形態では、制御所３０，４０に設けられたＧＷ３５，４５の端末内に監視制御装置３６，４６の機能を持たせていたが、制御所３０，４０に設けられた監視制御装置内にＧＷの機能を持たせてもよい。
【０６６１】
＜第３実施形態＞
第３実施形態では、上記した第１及び第２実施形態に示す監視制御システムＳＹＳ−Ａ，ＳＹＳ−Ｂと異なる構成の監視制御システムを示す。
【０６６２】
図１５及び図１９は、本発明の第３実施形態に係る監視制御システムの構成を示すシステム構成図である。第３実施形態の監視制御システムは、発電及び配電設備５０１、変電所／配電自動化装置５０２、フィールドデバイス５０３、メータリングサブネット５０４、及びその他のコントロールセンター５０５を備えている。これらの装置は、国際標準に準拠した通信網であるユーティリティ・コミュニケーション・ネットワーク５００（ＭＰＬＳ／ＩＰ）に接続されている。ユーティリティ・コミュニケーション・ネットワーク５００は、図１及び図１７のＷＡＮに相当する。
【０６６３】
発電及び配電設備５０１は、図１及び図１７におけるＴＣ６１，７１の配下の変電所機器６３，７３に相当する。変電所／配電自動化装置５０２も、図１及び図１７におけるＴＣ６１，７１の配下の変電所機器６３，７３に相当する。フィールドデバイス５０３は、図１及び図１７におけるＦＧＷ６２，７２の配下の変電所機器６４，７４に相当する。メータリングサブネット５０４は、各需要家における電力量に関する情報を送信する部分である。各需要家において、電力をデジタルで計測する電力量計内に通信機能を持たせたもの（スマートメータ（登録商標））が設けられている。メータリングサブネット５０４は、電力量計からの電力量に関する情報をユーティリティ・コミュニケーション・ネットワーク５００を介してＡＭＩ  ＮＭＳ５５４に送信する。その他のコントロールセンター５０５は、需要家、他の電力会社などのコントロールセンターである。
【０６６４】
また、監視制御システムは、コントロールセンターオペレーション５４１を備えている。コントロールセンターオペレーション５４１は、ＩＣＣＰゲートウェイ５２１、ＳＣＡＤＡゲートウェイ５２２、ＩＥＣ６１８５０ゲートウェイ５２３、ＳＣＡＤＡ５４２、ＤＥＲ最適化５４３、エネルギー管理システム（ＥＭＳ）５４４、及びＤＭＳ／ＯＭＳ５４５を備えている。ＩＣＣＰゲートウェイ５２１、ＳＣＡＤＡゲートウェイ５２２、ＩＥＣ６１８５０ゲートウェイ５２３、ＳＣＡＤＡ５４２、エネルギー管理システム（ＥＭＳ）５４４、及びＤＭＳ／ＯＭＳ５４５は、リアルタイムリアルタイムサービスバスバス５５０に接続され、これらの装置はリアルタイムサービスバス５５０を介して情報の送受信を行う。
【０６６５】
ＩＣＣＰゲートウェイ５２１は、ＩＥＣ６０８７０−６−ＴＡＳＥ−２の通信プロトコルの通信回線でユーティリティ・コミュニケーション・ネットワーク５００に接続されている。ＳＣＡＤＡゲートウェイ５２２は、ＤＮＰ３／ＩＥＣ６０８７０−５−１０４／ＯＰＣの通信プロトコルの通信回線でユーティリティ・コミュニケーション・ネットワーク５００に接続されている。ＩＥＣ６１８５０ゲートウェイ５２４は、ＩＥＣ６１８５０の通信プロトコルの通信回線でユーティリティ・コミュニケーション・ネットワーク５００に接続されている。ＩＣＣＰゲートウェイ５２１、ＳＣＡＤＡゲートウェイ５２２、及びＩＥＣ６１８５０ゲートウェイ５２３は、図１及び図１７におけるＧＷ３１，４１に相当する。ＳＣＡＤＡ５４２は図１及び図１７における監視制御装置１０の系統監視制御サブシステム１１及び配電監視制御サブシステム１２が有するＳＣＡＤＡ機能に相当する。リアルタイムサービスバス５５０は図１及び図１７におけるリアルタイムサービスバス１４に相当する。なお、図１８ではＦＥＰ１５ａ，１５ｂに相当する構成は示していない。
【０６６６】
ＤＥＲ最適化５４３（DER; Distributed Energy Resource）は、分散型エネルギー資源の電力需給の最適化を行う部分である。ＥＭＳ５４４は、系統監視制御サブシステム１１が有するＥＭＳ機能に相当する。ＤＭＳ／ＯＭＳ５４５は、配電監視制御サブシステム１２が有するＤＭＳ機能及びＯＭＳ機能（OMS; Outage Management System；停電管理システム）に相当する。ＤＥＲ最適化５４３、ＥＭＳ５４４及びＤＭＳ／ＯＭＳ５４５は、オペレーションサービスバス６００及びシステム運用サービスバス６１０に接続されている。オペレーションサービスバス６００は図１のオペレーションサービスバス１１０に相当し、システム運用サービスバス６１０は図１のシステム運用サービスバス１１１に相当する。
【０６６７】
また、監視制御システムは、ネットワーク設備管理５５１を備えている。ネットワーク設備管理５５１は、図１及び図１７における統合ＮＷ設備管理サブシステム１３に相当する。ただし、図１８に示すネットワーク設備管理５５１は、監視制御装置１０とは異なる装置として配置されている。ネットワーク設備管理５５１は、６１８５０ＳＣＬゲートウェイ５２５、ＳＮＭＰゲートウェイ５２６、専用ゲートウェイ５２７、ＣＮＭＳ５５２、機器／構成管理５５２、及びＡＭＩ  ＮＭＳ５５４を有している。６１８５０ＳＣＬゲートウェイ５２５、ＳＮＭＰゲートウェイ５２６、専用ゲートウェイ５２７は、ユーティリティ・コミュニケーション・ネットワーク５００に接続されている。ＣＮＭＳ５５２及び機器／構成管理５５３は、６１８５０ＳＣＬゲートウェイ５２５、ＳＮＭＰゲートウェイ５２６、専用ゲートウェイ５２７と接続されている。
【０６６８】
ＣＮＭＳ５５２は、ネットワークを管理するネットワーク管理システムである。機器／構成管理５５３は、統合ＮＷ設備管理サブシステム１３が有する構成・設定管理機能に相当する。ＡＭＩ  ＮＭＳ５５４（AMI; Advanced Metering Infrastructure、NMS; Network Management System）は、ユーティリティ・コミュニケーション・ネットワーク５００、及びシステム運用サービスバス６１０に接続され、メータリングサブネット５０４からの電力量に関する情報をユーティリティ・コミュニケーション・ネットワーク５００を通じて受信し、受信した電力量に関する情報をシステム運用サービスバス６１０を通じてＡＭＩ５８１に送信する。
【０６６９】
ユーティリティ・コミュニケーション・ネットワーク５００とオペレーションサービスバス６００及びシステム運用サービスバス６１０とは、デバイス専用ゲートウェイ５２４を介して接続されている。例えば、フィールドデバイス５０３の配下のセンサなどのデバイスの情報は、コントロールセンターオペレーション５４１やネットワーク設備管理５５１を介さずに、直接、デバイス専用ゲートウェイ５２４を介してデータウェアハウス５６７に格納することができる。
【０６７０】
ユーティリティ・コミュニケーション・ネットワーク５００とオペレーションサービスバス６００及びシステム運用サービスバス６１０とは、ビデオゲートウェイ５２８を介して接続されている。変電所の中に設けられた監視カメラ（例えば、フィールドデバイス５０３の配下の監視カメラ）の画像情報は、ビデオゲートウェイ５２８を介してデータウェアハウス５６７に格納し又は所定の端末で監視することができる。ユーティリティ・コミュニケーション・ネットワーク５００とオペレーションサービスバス６００及びシステム運用サービスバス６１０とは、ＦＴＰゲートウェイ５２９を介して接続されている。変電所には設定情報を書き込み可能な設定装置（例えば何アンペアで動作させるなどの設定を行う装置）が設けられ、その設定装置に対する設定情報は、ＦＴＰゲートウェイ５２９（FTP; ファイル・トランスファー・プロトコル）を介して所定の端末から設定装置に送信することができる。
【０６７１】
監視制御システムは、エンジニアリングとプランニング５６１を備えている。エンジニアリングとプランニング５６１は、図１における外部システム１００のツール１０４に相当する。エンジニアリングとプランニング５６１は、ネットワークプランニング５６２、ビジュアライゼーション５６３（可視化）、パフォーマンス分析５６４、実績データ５６５、保護及び故障調査５６６、データウェアハウス５６７を有している。
【０６７２】
監視制御システムは、参照情報５７１を有している。参照情報５７１は、図１及び図１７における監視制御装置１０が備えるデータベースに相当する。参照情報５７１は、電力供給網、トポロジー、インピーダンス、定格、ＣＩＭモデルなどの情報を記憶する。
【０６７３】
監視制御システムは、システム運用サービスバス６１０に接続されたＡＭＩ５８１、ＯＭＳ５８２及びマーケットオペレーション５８３を備えている。ＡＭＩ５８１は、メータリングサブネットメインのデータセンターの監視制御装置から送られからの電力量に関する情報を収集し、収集した情報を管理する。
【０６７４】
リアルタイムサービスバス５５０とエンタープライズサービスバス６０１とは、アプリケーション間のメッセージの連携を行うためのアプリケーション間連携７０１を介して接続されている。システム運用サービスバス６１０とエンタープライズサービスバス６０１とは、アプリケーション間のメッセージの連携を行うためのアプリケーション間連携７０２を介して接続されている。アプリケーション間連携７０１，７０２は、例えばミドルウェアで構成される。アプリケーション間連携７０１，７０２は、それぞれ、図１のアプリケーション間連携１０１，１０２に相当する。また、人的リソースマネジメント６０２、アセットマネジメント６０３、地理情報システム６０４、顧客情報システム６１１、カスタマーポータル６１２及び自動音声応答６１３がエンタープライズサービスバス６０１に接続されている。人的リソースマネジメント６０２、アセットマネジメント６０３、地理情報システム６０４、顧客情報システム６１１、カスタマーポータル６１２及び自動音声応答６１３は、図１における外部システム１００のツール１０４に相当する。
【０６７５】
以上、本発明を実施の形態を用いて説明したが、本発明の技術的範囲は、上記実施形態に記載の範囲には限定されない。本発明の趣旨を逸脱しない範囲で、上記実施形態に多様な変更又は改良を加えることが可能である。また、上記の実施形態で説明した要件の１つ以上は、省略されることがある。そのような変更又は改良、省略した形態も本発明の技術的範囲に含まれる。また、上記した実施形態を適宜組み合わせて適用することも可能である。
【０６７６】
例えば、データセンターは３箇所に限定されず、１箇所であっても、２個所や４箇所以上（例えば１０箇所）であってもよい。この場合も、データセンターのそれぞれに監視制御装置が設けられ、それらの監視制御装置に所定の機能が割り当てられる。また、監視制御装置１０は、データセンターではなく給電所などに設けられてもよい。
【０６７７】
また、図１等に示すシステム構成では、ＧＷ３１，４１は制御所３０，４０に配置していた。しかし、そのような構成に限定されず、ＧＷの設置スケジュールやコスト、及び災害対策等を考慮し、最適な設置場所（制御所、変電所、その他）に設置してもよい。
【０６７８】
また、図９に示した情報のフォーマット構成や図１０に示した伝送手順も一例であって、他のフォーマット構成や伝送手順であってもよい。また、図１等においてＧＷは制御所に１つだけ設けられている構成を示していたが、ＧＷが制御所に複数設けられている構成でもよい。
【符号の説明】
【０６７９】
ＳＹＳ−Ａ，ＳＹＳ−Ｂ  監視制御システム
１０    監視制御装置
１１    系統監視制御サブシステム
１２    配電監視制御サブシステム
１３    統合ＮＷ設備管理サブシステム
１５ａ，１５ｂ  ＦＥＰ
２０    ＷＡＮ
３０，４０  制御所
３１，４１  ＧＷ（中継装置、第１中継部、第２中継部、第１ゲートウェイ）
６１，７１  ＴＣ（中継装置、第１中継部）
６２，７２  ＦＧＷ（中継装置、第２中継部、第２ゲートウェイ）
６３，６４  変電所機器
７３，７４  変電所機器
【図１】
0006604076.tif 000002
【図２】
0006604076.tif 000003
【図３】
0006604076.tif 000004
【図４】
0006604076.tif 000005
【図５】
0006604076.tif 000006
【図６】
0006604076.tif 000007
【図７】
0006604076.tif 000008
【図８】
0006604076.tif 000009
【図９】
0006604076.tif 000010
【図１０】
0006604076.tif 000011
【図１１】
0006604076.tif 000012
【図１２】
0006604076.tif 000013
【図１３】
0006604076.tif 000014
【図１４】
0006604076.tif 000015
【図１５】
0006604076.tif 000016
【図１６】
0006604076.tif 000017
【図１７】
0006604076.tif 000018
【図１８】
0006604076.tif 000019
【図１９】
0006604076.tif 000020